(57)【要約】【課題】運動の動機付けを明確に提示でき、無理なく運動を継続して行えるようにするとともに、操作が簡便で使い勝手のよい装置を提供する。【解決手段】個人プロフィール情報の入力画面を表示部３４に表示し、キー操作部４１を通じて個人プロフィール情報を受け付ける。また、再生楽曲リストの選択画面を表示部３４に表示し、キー操作部４１を通じて再生楽曲リストの選択入力を受け付け、この選択された再生楽曲リストに従って、制御部１０が音声信号出力処理部３１を制御して音楽データを再生する。制御部１０は、再生した音楽データの特性情報と、受け付けた個人プロフィール情報とに基づいて、使用者の運動量を算出し、これを報知する。【選択図】図１
2006239398.tif 000002
【特許請求の範囲】
【請求項１】
使用者の身体に関する情報である個人プロフィール情報の入力画面を表示素子に表示する第１の表示手段と、
前記第１の表示手段を通じて表示された前記入力画面に対する前記個人プロフィール情報の入力を受け付ける第１の受付手段と、
１曲以上の音楽データの再生順序と前記１曲以上の音楽データのそれぞれの再生回数とを含む１以上の再生楽曲リストから使用する再生楽曲リストを選択するための選択画面を表示素子に表示する第２の表示手段と、
前記第２の表示手段を通じて表示された前記選択画面に対する前記選択入力を受け付ける第２の受付手段と、
前記第２の受付手段を通じて選択された前記再生楽曲リストに従って、音楽データの再生を制御する再生制御手段と、
利用可能な音楽データについての特性情報を記憶保持する特性記憶手段と、
前記第１の受付手段を通じて受け付けた前記個人プロフィール情報と前記特性記憶手段に記憶保持されている再生された音楽データについての特性情報とに基づいて、再生された音楽データに応じて運動を行った使用者の運動量を算出する算出手段と、
前記算出手段によって算出された運動量を報知する報知手段と
を備えることを特徴とする音響再生装置。
【請求項２】
請求項１に記載の音響再生装置であって、
再生楽曲リストの生成モードの選択を受け付けるための選択画面を表示素子に表示する第３の表示手段と、
前記第３の表示手段を通じて表示された前記選択画面に対する選択入力を受け付ける第３の受付手段と、
前記第３の受付手段を通じて、目標運動量に基づいて再生楽曲リストを生成するモードが選択された場合に、前記目標運動量の入力を受け付けるための入力画面を表示素子に表示する第４の表示手段と、
前記第４の表示手段を通じて表示された前記入力画面に対する前記目標運動量の入力を受け付ける第４の受付手段と、
前記第３の受付手段を通じて、目標運動量に基づいて再生楽曲リストを生成するモード以外のモードが選択された場合に、運動の種類の入力を受け付けるための入力画面を表示素子に表示する第５の表示手段と、
前記第４の表示手段を通じて表示された前記入力画面に対する前記運動の種類の入力を受け付ける第５の受付手段と、
前記第３の受付手段を通じて、目標運動量に基づいて再生楽曲リストを生成するモードが選択された場合に、前記第１の受付手段を通じて受け付けた前記個人プロフィール情報と前記第４の受付手段を通じて受け付けた前記目標運動量とに応じて前記再生楽曲リストを生成する第１のリスト生成手段と、
前記前記第３の受付手段を通じて、目標運動量に基づいて再生楽曲リストを生成するモード以外のモードが選択された場合に、前記第１の受付手段を通じて受け付けた前記個人プロフィール情報と前記第５の受付手段を通じて受け付けた前記運動の種類とに応じて前記再生楽曲リストを生成する第２のリスト生成手段と
を備え、
前記第２の表示手段は、前記第１のリスト生成手段によって生成された再生楽曲リストと、前記第２のリスト生成手段とによって生成された再生楽曲リストとの表示を行うことができるものであることを特徴とする音響再生装置。
【請求項３】
請求項１に記載の音響再生装置であって、
前記第２の受付手段を通じて選択された再生楽曲リストの内容を表示素子に表示する第６の表示手段と、
前記第６の表示手段を通じて表示された前記再生楽曲リストの内容に対する修正入力を受け付ける第６の受付手段と
を備え、
前記再生制御手段は、前記第２の受付手段を通じて選択され、前記第６の受付手段を通じて修正するようにされた前記再生楽曲リストに従って、音楽データの再生を制御することを特徴とする音響再生装置。
【請求項４】
請求項１に記載の音響再生装置であって、
使用者が行う前記運動は、ウォーキング、ジョギング、ランニング、ダッシュの少なくとも１つ以上を含むことを特徴とする音響再生装置。
【請求項５】
請求項１に記載の音響再生装置であって、
前記運動量は、運動時間、運動強度、運動量、運動距離、消費カロリー、脂肪燃焼量の内の少なくとも１つを含むものであることを特徴とする音響再生装置。
【請求項６】
請求項２に記載の音響再生装置であって、
前記目標運動量は、運動時間、運動強度、運動量、運動距離、消費カロリー、脂肪燃焼量の内の少なくとも１つを含むものであることを特徴とする音響再生装置。
【請求項７】
請求項１に記載の音響再生装置であって、
前記個人プロフィール情報は、身長、体重、年齢、性別、歩幅の内の少なくとも１つを含むものであることを特徴とする音響再生装置。
【請求項８】
請求項１に記載の音響再生装置であって、
音楽データが再生された場合の履歴情報であって、再生された音楽データの識別情報、運動量情報、個人プロフィール情報の少なくとも１つを含む履歴情報を記憶保持する記憶手段を備えることを特徴とする音響再生装置。
【請求項９】
請求項８に記載の音響再生装置であって、
前記記憶手段は、光ディスク、光磁気ディスク、磁気テープ、ハードディスク、半導体メモリー、ＩＣカードメモリーの内のいずれかの記録媒体を用いるものであることを特徴とする音響再生装置。
【請求項１０】
請求項１に記載の音響再生装置であって、
再生可能な音楽データを記憶保持するコンテンツ記憶手段を備え、
前記コンテンツ記憶手段は、光ディスク、光磁気ディスク、磁気テープ、ハードディスク、半導体メモリー、ＩＣカードメモリーの内のいずれかの記録媒体を用いるものであることを特徴とする音響再生装置。
【請求項１１】
使用者の身体に関する情報である個人プロフィール情報の入力画面を表示素子に表示する第１の表示工程と、
前記第１の表示工程において表示した前記入力画面に対する前記個人プロフィール情報の入力を受け付ける第１の受付工程と、
１曲以上の音楽データの再生順序と前記１曲以上の音楽データのそれぞれの再生回数とを含む１以上の再生楽曲リストから使用する再生楽曲リストを選択するための選択画面を表示素子に表示する第２の表示工程と、
前記第２の表示工程において表示した前記選択画面に対する前記選択入力を受け付ける第２の受付工程と、
前記第２の受付工程において選択した前記再生楽曲リストに従って、音楽データの再生を制御する再生制御工程と、
前記第１の受付工程において受け付けた前記個人プロフィール情報と所定の記憶手段に記憶保持されている利用可能な音楽データについての特性情報とに基づいて、再生した音楽データに応じて運動を行った使用者の運動量を算出する算出工程と、
前記算出工程において算出した運動量を報知する報知工程と
を有することを特徴とする音響再生方法。
【請求項１２】
請求項１１に記載の音響再生方法であって、
再生楽曲リストの生成モードの選択を受け付けるための選択画面を表示素子に表示する第３の表示工程と、
前記第３の表示工程において表示した前記選択画面に対する選択入力を受け付ける第３の受付工程と、
前記第３の受付工程において、目標運動量に基づいて再生楽曲リストを生成するモードの選択を受け付けた場合に、前記目標運動量の入力を受け付けるための入力画面を表示素子に表示する第４の表示工程と、
前記第４の表示工程において表示した前記入力画面に対する前記目標運動量の入力を受け付ける第４の受付工程と、
前記第３の受付工程において、目標運動量に基づいて再生楽曲リストを生成するモード以外のモードの選択入力を受け付けた場合に、運動の種類の入力を受け付けるための入力画面を表示素子に表示する第５の表示工程と、
前記第４の表示工程において表示した前記入力画面に対する前記運動の種類の入力を受け付ける第５の受付工程と、
前記第３の受付工程において、目標運動量に基づいて再生楽曲リストを生成するモードの選択入力を受け付けた場合に、前記第１の受付工程において受け付けた前記個人プロフィール情報と前記第４の受付工程において受け付けた前記目標運動量とに応じて前記再生楽曲リストを生成する第１のリスト生成工程と、
前記第３の受付工程において、目標運動量に基づいて再生楽曲リストを生成するモード以外のモードの選択入力を受け付けた場合に、前記第１の受付工程において受け付けた前記個人プロフィール情報と前記第５の受付工程において受け付けた前記運動の種類とに応じて前記再生楽曲リストを生成する第２のリスト生成工程と
を有し、
前記第２の表示工程においては、前記第１のリスト生成工程において生成した再生楽曲リストと、前記第２のリスト生成工程において生成した再生楽曲リストとの表示を行うことができることを特徴とする音響再生方法。
【請求項１３】
請求項１１に記載の音響再生方法であって、
前記第２の受付工程において選択した再生楽曲リストの内容を表示素子に表示する第６の表示工程と、
前記第６の表示工程において表示した前記再生楽曲リストの内容に対する修正入力を受け付ける第６の受付工程と
を有し、
前記再生制御工程においては、前記第２の受付工程において選択し、前記第６の受付工程において修正するようにした前記再生楽曲リストに従って、音楽データの再生を制御することを特徴とする音響再生方法。
【請求項１４】
請求項１１に記載の音響再生方法であって、
使用者が行う前記運動は、ウォーキング、ジョギング、ランニング、ダッシュの少なくとも１つ以上を含むことを特徴とする音響再生方法。
【請求項１５】
請求項１１に記載の音響再生方法であって、
前記運動量は、運動時間、運動強度、運動量、運動距離、消費カロリー、脂肪燃焼量の内の少なくとも１つを含むものであることを特徴とする音響再生方法。
【請求項１６】
請求項１２に記載の音響再生方法であって、
前記目標運動量は、運動時間、運動強度、運動量、運動距離、消費カロリー、脂肪燃焼量の内の少なくとも１つを含むものであることを特徴とする音響再生方法。
【請求項１７】
請求項１１に記載の音響再生方法であって、
前記個人プロフィール情報は、身長、体重、年齢、性別、歩幅の内の少なくとも１つを含むものであることを特徴とする音響再生方法。
【請求項１８】
請求項１１に記載の音響再生方法であって、
音楽データが再生された場合の履歴情報であって、再生された音楽データの識別情報、運動量情報、個人プロフィール情報の少なくとも１つを含む履歴情報を記憶手段に記録する工程を有することを特徴とする音響再生方法。
【請求項１９】
請求項１８に記載の音響再生方法であって、
前記履歴情報を記憶保持する前記記憶手段は、光ディスク、光磁気ディスク、磁気テープ、ハードディスク、半導体メモリー、ＩＣカードメモリーの内のいずれかの記録媒体を用いるものであることを特徴とする音響再生方法。
【請求項２０】
請求項１１に記載の音響再生方法であって、
再生可能な音楽データは所定の記録媒体に記録されたものであり、
前記記録媒体は、光ディスク、光磁気ディスク、磁気テープ、ハードディスク、半導体メモリー、ＩＣカードメモリーの内のいずれかであることを特徴とする音響再生方法。
【請求項２１】
音楽データを再生する音響再生装置のコンピュータに、
使用者の身体に関する情報である個人プロフィール情報の入力画面を表示素子に表示する第１の表示ステップと、
前記第１の表示ステップにおいて表示した前記入力画面に対する前記個人プロフィール情報の入力を受け付ける第１の受付ステップと、
１曲以上の音楽データの再生順序と前記１曲以上の音楽データのそれぞれの再生回数とを示す利用可能な１つ以上の再生楽曲リストから使用する再生楽曲リストを選択するための選択画面を表示素子に表示する第２の表示ステップと、
前記第２の表示ステップにおいて表示した前記選択画面に対する前記選択入力を受け付ける第２の受付ステップと、
前記第２の受付ステップにおいて選択した前記再生楽曲リストに従って、音楽データの再生を制御する再生制御ステップと、
前記第１の受付ステップにおいて受け付けた前記個人プロフィール情報と所定の記憶手段に記憶保持されている利用可能な音楽データについての特性情報とに基づいて、再生された音楽データに応じて運動を行った使用者の運動量を算出する算出ステップと、
前記算出ステップにおいて算出した運動量を報知する報知ステップと
を実行させることを特徴とする音響再生プログラム。
【発明の詳細な説明】
【技術分野】
【０００１】
この発明は、例えば、ハードディスクプレーヤ、ＭＤ（Mini Disc（登録商標））プレーヤ、音楽データ再生機能付き携帯情報端末などの音響を再生する機能を備えた装置、音響を再生する装置において用いられる方法、プログラムに関する。
【背景技術】
【０００２】
近年、健康意識の高まりから健康維持、健康増進、ダイエットなどの目的でジョギング、ウォーキング、エアロビクスなどの有酸素運動を多く含むスポーツに取り組む人が増えてきている。これらのスポーツは一定の効果を得るためにはある程度まとまった時間、継続して運動を続けることが必要になる。このため、上述のようなスポーツをより楽しく続けるために音楽を聴きながら運動をする人たちがいる。スポーツをしながら音楽を聴くための再生機器には、運動の動機付けや継続を支援する機能を持ったものがある。
【０００３】
例えば、運動をする際に運動するリズムを提示する装置が知られている。特許文献１（特開昭５５−０１２４５２号公報）には、ランニング中の運動者に「ピッ、ピッ」という音を発してランニングペースを指示するランニングペースメーカに関する技術が開示されている。
【０００４】
また、特許文献２（特開平０６−１３０９６０号公報）、特許文献３（特開２００３−１７７７４９号公報）には、運動者が身体に装着した検出器により、運動にともなう振動やステップデータを検出し、この検出したデータから運動ペースを求めて、その変化に応じて音楽の再生テンポを変化させる装置が開示されている。
【０００５】
また、特許文献４（特開２００１−２９９９８０号公報）には、より健康増進効果や減量効果を高めるために、運動者が行っている運動のテンポを検出する運動センサとテンポ補正量演算手段を備え、運動者の脈拍数と目標脈拍数との差に基づいて再生する音楽のテンポに補正を加え、目標脈拍数に誘導していく装置が開示されている。
【０００６】
また、特許文献５（特開２００３−３０５１４６号公報）には、運動者が携帯する端末にネットワークを介してサーバー上に置かれた音楽データを提供して、その曲のリズムに合わせて歩行やウォーキングを行った時の歩数や歩数に基づいた消費エネルギーなどの運動量の情報も運動者に提供する装置が開示されている。
【０００７】
更に、特許文献６（特開２００２−０７３０１８号公報）には、運動者の運動テンポに合わせて音楽のテンポを変える代わりに、運動の各パート（ウォーミングアップ、予備、やや激しく、激しく、クールダウン）ごとの運動テンポに応じたテンポの音楽を音楽データベース上に用意しておき、適宜音楽を選択提示する装置が開示されている。また、特許文献７（特開２００２−３０１０５０号公報）にも、利用者の生体情報を測定し、その測定結果に基づいて、家電機器などの出力を調整し、利用者の運動量が目的とする運動量になるように誘導する装置が開示されている。
【０００８】
このように、ジョギング、ウォーキング、エアロビクスなどのスポーツを、無理なく継続できるようにし、より効果的に行えるようにすることを補助する種々の装置についての関心は高く、上述のように種々の装置が提案されて、実際に使用されるようになってきている。
【０００９】
なお、上述した特許文献１〜特許文献７を一覧にまとめると以下の通りである。
【特許文献１】特開昭５５−０１２４５２号公報
【特許文献２】特開平０６−１３０９６０号公報
【特許文献３】特開２００３−１７７７４９号公報
【特許文献４】特開２００１−２９９９８０号公報
【特許文献５】特開２００３−３０５１４６号公報
【特許文献６】特開２００２−０７３０１８号公報
【特許文献７】特開２００２−３０１０５０号公報
【発明の開示】
【発明が解決しようとする課題】
【００１０】
上述した特許文献１〜特許文献７に開示された技術は、それぞれに特徴があり、それぞれに有効なものである。しかし、特許文献１〜特許文献７に記載の技術のそれぞれは、ある部分においては利用者を満足させるものであるが、他の部分においては利用者を十分に満足させることができない場合がある。
【００１１】
例えば、特許文献１に開示されている技術の場合、上述もしたように、ランニングペースを提供するために発せられるペース音が、「ピッ、ピッ」などのような無味乾燥な電子音であることや、運動が定常状態になるまでの間や疲れてきてついていけなくなった時などに、使用者の運動のペースとペース音との間にズレが生じることにより、使用者に違和感や不快感を与え、楽しく運動が続けられなくなるなどのことがある。
【００１２】
そこで、特許文献２や特許文献３に開示されている技術を用い、「ピッ、ピッ」という電子音の代わりに音楽を用いたり、また、運動のペースに合わせて音楽の再生テンポを変化させたりすることによって、より楽しく運動が続けられると考えられる。しかし、特許文献２や特許文献３に開示された技術の場合、長時間快適に運動を持続させることについては効果が有るものの、健康増進効果、減量効果を高めることや運動量の管理については十分考慮されてはいない。すなわち、目的とする運動をどのように行うことが健康増進や減量に効果があるのか、また、どれだけ運動を行ったかなどの情報の使用者へのフィードバックについては十分な考慮がなされていない。
【００１３】
このため、特許文献４、特許文献５、特許文献６、特許文献７などに開示されている技術のように、運動センサの他に脈拍などの生理指標の検出器をさらに持つ装置や再生した音楽データから運動量を算出して提供するなどのことが可能である。しかし、複数のセンサが必要になるなどするために、システムが複雑になったり、種々の機能を盛り込むためにシステムが大規模化したり、提供コストが上昇したりする場合がある。また、使い方が複雑で難しく気軽に使用できないといった問題が発生したり、運動に関する個人情報を管理する観点から、個人情報の管理面において十分な考慮が必要になったりするなどの問題も考えられる。
【００１４】
そして、ジョギング、ウォーキング、エアロビクスなどの有酸素運動を多く含むために継続することが難しい運動（スポーツ）を効果的に行うために、運動の動機付けを明確に提示でき、無理なく運動を継続して行えるようにすることが望まれている。また、使い勝手がよく、運動量などの管理についても適切に行うことができる運動を支援するための装置の提供が望まれている。
【００１５】
以上のことにかんがみ、この発明は、運動を支援するための装置、方法、プログラムであって、上記の課題を解決することが可能であるとともに、操作が簡便で使い勝手のよい装置、および、このような装置を実現する方法、プログラムを提供することを目的とする。
【課題を解決するための手段】
【００１６】
上記課題を解決するため、請求項１に記載の発明の音響再生装置は、
使用者の身体に関する情報である個人プロフィール情報の入力画面を表示素子に表示する第１の表示手段と、
前記第１の表示手段を通じて表示された前記入力画面に対する前記個人プロフィール情報の入力を受け付ける第１の受付手段と、
１曲以上の音楽データの再生順序と前記１曲以上の音楽データのそれぞれの再生回数とを含む１以上の再生楽曲リストから使用する再生楽曲リストを選択するための選択画面を表示素子に表示する第２の表示手段と、
前記第２の表示手段を通じて表示された前記選択画面に対する前記選択入力を受け付ける第２の受付手段と、
前記第２の受付手段を通じて選択された前記再生楽曲リストに従って、音楽データの再生を制御する再生制御手段と、
利用可能な音楽データについての特性情報を記憶保持する特性記憶手段と、
前記第１の受付手段を通じて受け付けた前記個人プロフィール情報と前記特性記憶手段に記憶保持されている再生された音楽データについての特性情報とに基づいて、再生された音楽データに応じて運動を行った使用者の運動量を算出する算出手段と、
前記算出手段によって算出された運動量を報知する報知手段と
を備えることを特徴とする。
【００１７】
この請求項１に記載の発明の音響再生装置によれば、第１の表示手段と第１の受付手段を通じて個人プロフィール情報が受け付けられ、また、第２の表示手段と第２の受付手段を通じて利用する再生楽曲リストが選択され、この選択された再生楽曲リストに従って、再生制御手段によって音楽データの再生が行うようにされる。
【００１８】
そして、再生された音楽データの特性情報と、受け付けた個人プロフィール情報とに基づいて、音楽データを再生することにより得られた音楽に合わせて運動を行った使用者の運動量が、算出手段によって算出され、この算出結果が報知手段を通じて使用者に報知するようにされる。
【００１９】
このように、受け付ける情報に応じた画面を表示して、目的とする種々の情報の入力を受け付けることができるようにされる。したがって、使用者が簡単かつ正確に種々の情報の入力を行うことができるようにされ、使用者の使い勝手を向上させることができる。また、再生される音楽に呼応して運動を行うように使用者を誘導することができるとともに、使用者が行った運動の運動量を報知することもできるので、運動を継続して行うことの動機付けを提供したり、ある程度の時間継続して行う必要のある運動を無理なく継続させることができたり、楽しく運動を行うようにしたりするなどのことが可能となる。
【００２０】
また、請求項２に記載の発明の音響再生装置は、請求項１に記載の音響再生装置であって、
再生楽曲リストの生成モードの選択を受け付けるための選択画面を表示素子に表示する第３の表示手段と、
前記第３の表示手段を通じて表示された前記選択画面に対する選択入力を受け付ける第３の受付手段と、
前記第３の受付手段を通じて、目標運動量に基づいて再生楽曲リストを生成するモードが選択された場合に、前記目標運動量の入力を受け付けるための入力画面を表示素子に表示する第４の表示手段と、
前記第４の表示手段を通じて表示された前記入力画面に対する前記目標運動量の入力を受け付ける第４の受付手段と、
前記第３の受付手段を通じて、目標運動量に基づいて再生楽曲リストを生成するモード以外のモードが選択された場合に、運動の種類の入力を受け付けるための入力画面を表示素子に表示する第５の表示手段と、
前記第４の表示手段を通じて表示された前記入力画面に対する前記運動の種類の入力を受け付ける第５の受付手段と、
前記第３の受付手段を通じて、目標運動量に基づいて再生楽曲リストを生成するモードが選択された場合に、前記第１の受付手段を通じて受け付けた前記個人プロフィール情報と前記第４の受付手段を通じて受け付けた前記目標運動量とに応じて前記再生楽曲リストを生成する第１のリスト生成手段と、
前記前記第３の受付手段を通じて、目標運動量に基づいて再生楽曲リストを生成するモード以外のモードが選択された場合に、前記第１の受付手段を通じて受け付けた前記個人プロフィール情報と前記第５の受付手段を通じて受け付けた前記運動の種類とに応じて前記再生楽曲リストを生成する第２のリスト生成手段と
を備え、
前記第２の表示手段は、前記第１のリスト生成手段によって生成された再生楽曲リストと、前記第２のリスト生成手段とによって生成された再生楽曲リストとの表示を行うことができるものであることを特徴とする。
【００２１】
この請求項２に記載の音響再生装置によれば、第３の表示手段と第３の入力手段とを通じて再生楽曲リストの生成モードが受け付けられ、また、受け付けられた生成モードに応じて、目標運動量や運動の種類などの必要な情報が受け付けられ、第１のリスト生成手段または第２のリスト生成手段によって生成され、これら生成された再生楽曲リストも選択可能なものとして、提供することができるようにされる。
【００２２】
これにより、使用者が一々再生する音楽データを選曲して再生楽曲リストを生成しなくても、自動生成される再生楽曲リストを用いて、使用者が行おうとしている運動に応じた再生楽曲リストが形成され、これを利用することもできるようにされる。これにより、使用者が効率よく運動を行うために用いる音楽を面倒な操作をすることなく選択して再生することができるようにされる。
【００２３】
また、請求項３に記載の発明の音響再生装置は、請求項１に記載の音響再生装置であって、
前記第２の受付手段を通じて選択された再生楽曲リストの内容を表示素子に表示する第６の表示手段と、
前記第６の表示手段を通じて表示された前記再生楽曲リストの内容に対する修正入力を受け付ける第６の受付手段と
を備え、
前記再生制御手段は、前記第２の受付手段を通じて選択され、前記第６の受付手段を通じて修正するようにされた前記再生楽曲リストに従って、音楽データの再生を制御することを特徴とする。
【００２４】
この請求項３に記載の音響再生装置によれば、第６の表示手段と第６の受付手段とを通じて、先に選択された再生楽曲リストの内容についての修正を行うことができるようにされる。これにより、例えば、自動生成された再生楽曲リストであっても、使用者の使い方や好みに応じて修正することができるようにされる。
【発明の効果】
【００２５】
この発明によれば、効果的に運動を行えるようにすることができる。ウォーキング、ジョギングなどの運動を行う場合に、運動を行うことについての動機付けを行ったり、運動を無理なく継続するようにしたりすることができる。また、使用者の運動量の管理を支援することができるようにされる。また、表示を通じて使用者の操作を促すようにしているので、操作が簡便で使い勝手のよい装置を実現することができる。
【発明を実施するための最良の形態】
【００２６】
以下、図を参照しながら、この発明による装置、方法、プログラムの一実施の形態について説明する。以下に説明する実施の形態においては、この発明による装置、方法、プログラムを、例えば、携帯型ハードディスクプレーヤ、携帯型ＭＤ（Mini Disc（登録商標））プレーヤ、音楽データ（楽曲データ）の再生機能を備えた携帯電話端末などの携帯型の音響再生装置（音楽再生装置）に適用した場合を例にして説明する。
【００２７】
［第１の実施の形態］
［音響再生装置の構成と基本動作について］
図１は、この実施の形態の音響再生装置を説明するためのブロック図である。この実施の形態の音響再生装置は、上述もしたように、携帯型のものであり、小型化、軽量化が図られ、衣服のポケットなどに収納するなどして気軽に持ち運んで利用することができるものである。したがって、ウォーキングやジョギングといった運動をしながら音楽を再生して聴取する場合に用いて好適なものである。
【００２８】
図１に示すように、この実施の形態の音響再生装置は、制御部１０、音楽情報記憶装置部２１、音楽再生データ生成装置部２２、運動情報解析回路２３、運動情報センサ２４、音声信号出力処理部３１、スピーカ３２、表示回路３３、表示部３４、キー操作部４１、マイクロホン（図１においてはマイクと記載。）４２、音声信号入力処理部４３、外部端子５１、Ｉ／Ｆ（インターフェース）５２、記憶装置部５３、通信Ｉ／Ｆ６１、送受信回路６２、送受信アンテナ６３を備えたものである。
【００２９】
制御部１０は、この音響再生装置の各部を制御するものであり、ＣＰＵ（Central Processing Unit）１１、ＲＯＭ（Read Only Memory）１２、ＲＡＭ（Random Access Memory）１３が、ＣＰＵバス１４を通じて接続されて構成されたものである。ここで、ＣＰＵ１１は、プログラムを実行し、これに応じて生成される制御信号を各部に供給することによって各部を制御することができるものであり、制御の主体となるものである。ＲＯＭ１２は、ＣＰＵ１１によって実行される種々のプログラムや処理に必要となる種々のデータなどを記憶保持するものである。また、ＲＡＭ１３は、処理の途中結果を一時記憶するなど、主に作業領域（ワークエリア）として用いられるものである。
【００３０】
音楽情報記憶装置部２１は、記録媒体に記録されている音楽データを読み出したり、記録媒体に対して音楽データを書き込んだりする処理を行う装置部分である。記録媒体には、ハードディスク、ＭＤ（Mini Disc（登録商標））などの光磁気ディスク、ＣＤ（Compact Disc）やＤＶＤ（Digital Versatile Disc）などの光ディスク、半導体メモリー、半導体メモリーが用いられて形成されたＩＣカードメモリー、磁気テープなどの種々のものがあり、記録媒体が例えばハードディスクの場合には、音楽情報記憶装置部２１はハードディスクドライブに相当し、記録媒体が光ディスクの場合には、音楽情報記憶装置部２１は光ディスクドライブに相当する。
【００３１】
音楽再生データ生成装置部２２は、制御部１０からの制御に応じて、再生する音楽データ（楽曲データ）についての種々の処理を行うものである。具体的には後述もするが、音楽情報記憶装置部２１に記憶されている複数の音楽データの中から再生する音楽データを選択したり、再生する音楽データの再生順序を決定したり、再生する音楽データの再生テンポを調整したりするなどの処理を行う部分である。
【００３２】
運動情報解析回路２３は、制御部１０等からの制御に応じて、使用者の運動に関する解析処理等を行う部分である。後述もするが、運動情報解析回路２３は、キー操作部４１を通じて入力される使用者の身長、体重、性別などの個人プロフィール情報と、再生された音楽データの再生時間やテンポなどの特性情報に基づいて、音楽データを再生することにより提供された音楽に合わせて使用者が所定の運動を行った場合に、運動量はどれ位かを算出する。
【００３３】
また、運動情報解析回路２３は、キー操作部４１を通じて目標とする運動量が入力された場合には、入力された運動量の運動を行う場合の運動の強度や運動時間（運動を継続して行うべき時間）などを算出する機能を有する。また、運動情報解析部２３は、運動情報センサ２４からの検出出力の供給を受けて、使用者の実運動量を算出することもできるものである。
【００３４】
なお、図１において、二重線のブロックで示した音楽再生データ生成装置部２２、運動情報解析回路２３の機能は、制御部１０において実行されるプログラムによっても実現することができる。すなわち、音楽再生データ生成装置部２２、運動情報解析回路２３の機能は、制御部１０が機能して実現することも可能である。
【００３５】
運動情報センサ２４は、加速度センサ、ショックセンサ、圧力センサ、帯電位センサ、歪みセンサ、測距センサ、電流センサ、温度センサなどの種々のセンサの内の１つ以上を用いて、使用者が運動を行っている場合にこれを検出したり、あるいは、使用者の体温の変化や脈拍の変化などを検出したりするなどのことができるものである。これらの検出出力が、上述もしたように、運動情報解析回路２３に供給され、実運動量の算出などに用いられることになる。この実施の形態において、運動情報センサ２４は、例えば、ショックセンサが用いられ、ウォーキングやジョギングのテンポなどを検出することができるようにされている。
【００３６】
音声信号出力処理部３１は、この実施の形態の音響再生装置においては、制御部１０を通じて供給される再生対象の音声データ（デジタルデータ）の供給を受けて、これをＤ／Ａ（Digital/Analog）変換するなどして出力用のアナログ音声信号を形成するものである。音声信号出力処理部３１からのアナログ音声信号は、スピーカ３２に供給され、スピーカ３２からは、これに供給されたアナログ音声信号に応じた音声が放音するようにされる。
【００３７】
なお、図示しないが、音声信号出力処理部３１には、音声出力端子が接続するようにされており、これにヘッドホンやイヤホンが接続された場合には、音声信号出力処理部３１からのアナログ音声信号が当該音声信号出力端子を通じて、これに接続されたヘッドホンやイヤホンに供給され、ヘッドホンやイヤホンを通じて再生音声を聴取することもできるようにされる。このように、音声出力端子にヘッドホンやイヤホンが接続されている場合には、スピーカ３２からは再生音声は放音しないようにされる。
【００３８】
表示回路３３は、制御部１０からの制御に応じて、表示部３４の表示画面に表示する画像を形成するものである。この場合、表示部３４は、例えば、ＬＣＤ（Liquid Crystal Display）、ＥＬ（Electro Luminescence）パネルなどの表示素子が用いられたものであり、比較的に大きな表示画面を備え、種々の情報を表示することができるものである。この表示部３４の表示画面には、制御部１０の制御に応じて、操作ガイダンス、エラーメッセージ、再生音楽のタイトル、その他の種々の文字情報や画像情報等が表示するようにされる。
【００３９】
キー操作部４１は、複数の操作キーやファンクションキーを備え、音楽再生の開始や終了、再生する音楽の選択、個人プロフィール情報、目標運動量など、この音響再生装置に対して与えるべき指示や情報等の入力を受け付ける部分である。また、マイクロホン４２は、音声を収音して、これを電気信号に変換して取り込むものである。マイクロホン４２によって収音された音声に応じたアナログ音声信号は、音声信号入力処理部４３に供給され、ここでＡ／Ｄ（Analog/Digital）変換などが施され、制御部１０を通じて音楽情報記憶装置部２１の記録媒体に記録するなどのことができるようにされる。
【００４０】
外部端子（外部入出力端子）５１は、外部機器との接続端子であり、例えば、他の音響再生装置から音声データの供給を受けて、これを取り込むようにしたり、逆に、この実施の形態の音響再生装置から他の外部機器に音楽データを供給したりすることができるようにしている。なお、Ｉ／Ｆ５２は、外部端子を通じて供給を受けたデータをこの実施の形態の音響再生装置に取り込んで、これを処理することができる形式の音声データに変換したり、逆に、他の機器に出力すべき音声データから出力可能な形式の音声データに変換したりするなどの処理を行うものである。
【００４１】
記憶装置部５３は、後述もするが、保存しておくべきデータ、例えば、再生された音声データの識別情報、その音声データの特性情報、使用者の個人プロフィール情報、算出される運動量情報等の種々の情報を記憶保持することができるものである。また、この記憶装置部５３に音楽データを記憶させるようにするなどのことももちろん可能である。
【００４２】
なお、記憶装置部５３は、上述した音楽情報記憶装置部２１と同様に、記録媒体に記録されている種々のデータを読み出したり、記録媒体に対して種々のデータを書き込んだりする処理を行う装置部分である。記録媒体には、ハードディスク、ＭＤ（Mini Disc（登録商標））などの光磁気ディスク、ＣＤ（Compact Disc）やＤＶＤ（Digital Versatile Disc）などの光ディスク、半導体メモリー、半導体メモリーが用いられて形成されたＩＣカードメモリー、磁気テープなどの種々のものがあり、記録媒体が例えばハードディスクの場合には、記憶装置部５３はハードディスクドライバに相当し、記録媒体が光ディスクの場合には、記憶装置部５３は光ディスクドライバに相当する。
【００４３】
また、この実施の形態の音響再生装置は、通信Ｉ／Ｆ（インターフェース）６１を備え、例えば、インターネットなどのネットワーク１００に接続して、目的とする音楽データやその音楽データの特性情報等の送受を行うことができるようにしている。また、送受信回路６２、送受信アンテナ６３を通じて、例えば、無線ＬＡＮ（Local Area Network）などに接続することによって、音楽データやその特性情報等を取得することもできるようにされる。
【００４４】
そして、キー操作部４１を通じて受け付ける使用者からの指示入力に応じて、制御部１０は各部を制御し、通信Ｉ／Ｆ６１、あるいは、外部端子５１及びＩ／Ｆ５１、あるいは、送受信回路６２及び送受信アンテナ６３を通じて供給を受ける音楽データやその音楽データの総再生時間、テンポ、ジャンル、曲調などの音楽データの特性情報を制御部１０を通じて音楽情報記憶装置部２１の記録媒体に記録することができるようにされている。
【００４５】
そして、通常は、音楽情報記憶装置部２２に音楽データとして記憶保持されている音楽（楽曲）の一覧表が、制御部１０によって形成され、これが表示回路３３を通じて表示部３４の表示画面に表示され、その表示された音楽の一覧表示の中から、キー操作部４１を通じて再生する音楽データを選択することにより、その音楽データを再生することができるようにされる。
【００４６】
この場合、制御部１０は、キー操作部４１を通じて受け付けた音楽データの選択情報を含む再生指示に応じて、音楽情報記憶装置部２１から目的とする音楽データを読み出し、これを音声信号出力処理部３１に供給する。このように、音声信号出力処理部３１に音声データが供給されると、上述もしたように出力用のアナログ音声信号が形成され、スピーカ３２、あるいは、図示しない外部出力端子に接続されたヘッドホンやイヤホンを通じて目的とする音楽データを再生して、これにより放音される音楽を聴取することができるようにしている。
【００４７】
そして、この実施の形態の音響再生装置においては、以下に詳しく説明するように、キー操作部４１を通じて、使用者の体重、身長、性別、年齢などの個人プロフィール情報が入力された場合であって、音楽データが再生された場合には、個人プロフィール情報と再生された音楽データの再生時間、テンポなどの特性情報とに基づいて、当該音楽データに応じた音楽に呼応してウォーキングやジョギングなどの所定の運動を行った場合の運動量が運動情報解析回路２３で算出される。そして、音楽データの再生終了時などにおいて、その算出された運動量情報を、表示回路３３を通じて、表示部３４に表示し、使用者に提供できるようにしている。
【００４８】
また、この実施の形態の音響再生装置の場合には、運動情報センサ２４を備えており、この運動情報センサ２４を通じて使用者が運動したことを検出した場合には、その検出出力が運動情報解析回路２３に供給され、使用者の実運動量を算出することもできる。この実運動量についても、表示部３４の表示画面に表示して、使用者に提供することができる。
【００４９】
このように、使用者が行った運動の量を簡単かつ正確に算出し、これを使用者に提示できるようにすることによって、音楽を聴きながらどのくらい運動すると、どのくらいの運動量になり、どれくらい運動すべきかなど、運動を継続して行う動機付けを明確に行うことができるようにしている。
【００５０】
さらに、以下に詳しく説明するように、キー操作部４１を通じて、目標とする運動量が入力された場合には、運動情報解析回路２３の機能により必要な運動時間および運動強度などが算出され、その結果をもとにして音楽再生データ生成装置部２２が音楽情報記憶装置部２１に記憶保持されている音楽データから再生する音楽データを選択する。そして、選択した音楽データの再生テンポ、再生する音楽データの組み合わせ（再生順序）、各音楽データの再生繰り返し回数などを決定し、その決定したとおりに音楽データを再生し、再生される音楽に呼応して運動することによって、目的とする運動量の運動を無理なく行うことができるようにしている。
【００５１】
また、運動を行った場合に、再生した音楽データの識別情報、再生時間、再生回数、個人プロフィール情報、運動量情報などの情報の１つ以上を履歴情報として、記憶装置部５３に記憶保持するようにしておくことにより、運動終了後において、記憶保持するようにした情報を解析することができるようにしている。例えば、運動量情報を記憶装置部５３に蓄積しておくようにすれば、日々どのように運動を行った、運動量のトータルはどれ位かなどの情報を得ることができるようにしている。
【００５２】
［運動を行うために再生した音楽データの特性情報を用いて、使用者が行った運動量を求める場合について］
次に、図２〜図５を参照しながら、この実施の形態の音響再生装置で音楽データを再生して得られる音楽に合わせるようにして、使用者がウォーキングやジョギングなどの運動を行った際に、使用者の運動量を再生した音楽データの特性情報を用いて求める場合の処理について説明する。
【００５３】
図２は、この実施の形態の音響再生装置を使用して運動をした際に、運動量を再生した音楽データの特性情報に基づいて求める場合の制御フローを示したものである。この図２に示す処理は、主に制御部１０によって実行されるものである。この実施の形態の音響再生装置の制御部１０は、まず、キー操作部４１を通じて、使用者の運動量を算出するために必要な使用者の体重、身長（歩幅）、年齢、性別などの個人プロフィール情報のキー入力を受け付けて、これをＲＡＭ１３などに記憶保持する（ステップＳ１０１）。
【００５４】
次に、音響再生装置の制御部１０は、使用者が行おうとしている運動の種類（種別）を示す情報のキー入力を受け付け、これをＲＡＭ１３などに記憶保持する（ステップＳ１０２）。ここで、運動の種類を示す情報（運動情報）は、ウォーキング、ジョギング、ランニングなどの別を示す情報である。この後、音響再生装置の制御部１０は、再生可能な音楽データのタイトルや、再生時間、テンポなどの特性情報を取得して、これを例えば表示部３４に一覧表示するなどして、使用者に提供する（ステップＳ１０３）。
【００５５】
このステップＳ１０３において、再生可能な音楽データのタイトルや特性情報は、例えば、音楽情報記憶装置部２１の記録媒体（記録メディア）から読み出して取得するようにしたり、また、通信Ｉ／Ｆ６１を介してネットワークに接続し、ネットワーク上のサーバー装置に形成されたデータベースから取得するようにしたりすることが可能である。なお、ネットワーク上のデータベースから、この音響再生装置において再生可能な音楽データのタイトルや特性情報を取得する場合には、再生可能な音楽データの識別情報に基づいて検索し、取得することができるようにされる。
【００５６】
また、音楽情報記憶装置部２１の記録媒体に記憶保持される音楽データ自身についても、ＣＤなどのメディアから取得したり、ネットワーク上のデータベースから、通信Ｉ／Ｆ６１や、送受信アンテナ６３、送受信回路６２を通じて取得したり、外部端子５１、Ｉ／Ｆ５２を通じて外部機器から取得したりすることができる。
【００５７】
また、ステップＳ１０３において、表示部３４の表示画面に表示される再生可能な音楽データの一覧表（再生楽曲情報）は、例えば、図３に示すように、再生可能な音楽データ（楽曲データ）のタイトル（曲目）、再生時間（演奏時間、（図においては「長さ」と記載。））、テンポ（音楽信号の速さであり、この実施の形態においては、１分間あたりの拍の数。）などからなるものである。
【００５８】
そして、制御部１０は、キー操作部４１を通じて、使用者が再生を希望する音楽データの選択入力を受け付け、これに応じて再生する音楽データを決定する（ステップＳ１０４）。この場合、再生可能な音楽データのすべてを再生する場合には不要であるが、制御部１０は、再生する音楽データとして決定したものの一覧表（再生楽曲リスト）を、表示回路３３を通じて表示部３４の表示画面に表示するようにする。
【００５９】
図４は、再生楽曲リストの一例を説明するための図である。例えば、最初から最後まで、一定の強度の運動を比較的長く継続して行いたい場合には、同じ音楽データを繰り返し再生するようにすればよい。そして、例えば、曲Ａを５０回繰り返し再生するように決定した場合には、制御部１０は、図４Ａに示したように、再生する音楽データのタイトル、再生時間（図４においては「長さ」と記載。）、曲テンポ、再生回数からなる再生楽曲リスト１を形成し、これを表示回路３３を通じて表示部３４の表示画面に表示し、使用者に通知する。
【００６０】
この図４Ａに示した再生楽曲リスト１により、１回あたりの再生時間（曲Ａの長さ）が１分１１秒で、テンポが１００である曲Ａが、５０回連続して再生するように決定されたことが使用者に通知することができるようにされる。そして、曲Ａの長さは１分１１秒であるので、これが５０回繰り替えされることにより、約６０分間、曲Ａが繰り返し再生され、曲Ａに合わせて運動を行うことにより、所定の強度の運動を約６０分間継続して行うように使用者を誘導することができる。
【００６１】
また、運動の強度を徐々に上げていき、途中で一定に保ち、その後徐々に下げていくようにしたい場合もある。このような場合には、まず、テンポが比較的に遅い音楽データの再生から徐々にテンポの速い音楽データの再生を行うようにし、所定のテンポの音楽データの再生を一定期間継続した後に、テンポの速い音楽データの再生から徐々にテンポの遅い音楽データの再生を行うようにする。
【００６２】
具体的には、図４Ｂに示すように、曲Ａを５回→曲Ｃを１回→曲Ｂを１回→曲Ｄを１回→曲Ｅを３０回→曲Ｂを２回→曲Ｃを１回→曲Ｆを１回というように、順次に再生を行うように決定することによって、上述したように、運動強度を徐々に上げていき、その後、一定に保った後に、徐々に下げていくとう、運動強度の強弱のコントロールを自然と行うことができるように使用者を誘導することができる。
【００６３】
このように、キー操作部４１を通じて受け付ける使用者からの指示入力に応じて、この実施の形態の音響再生装置においては、再生する音楽データとその再生回数や再生順序を、キー操作部４１を通じて受け付ける使用者からの操作入力に応じて決定することができるようにしている。
【００６４】
そして、ステップＳ１０４の処理により、再生する音楽データ、再生回数、再生順序などが決定された後、制御部１０は、キー操作部４１を通じて再生開始指示入力を受け付けると、ステップＳ１０４に再生するものとして決定された音楽データの再生を開始する（ステップＳ１０５）。使用者は、ステップＳ１０５の処理により再生される音楽に合わせて、ウォーキングやジョギングなどの所定の運動を行うことにより、無理なく、運動を継続して行うことができるようにされる。
【００６５】
そして制御部１０は、自機の処理状態を監視し、音楽再生中か否かを判断する（ステップＳ１０６）。ステップＳ１０６の判断処理において、音楽の再生中であると判断したときには、再生中の音楽データのタイトル、再生時間、テンポなどの情報（再生楽曲情報）を再生履歴情報として、記録装置部５３の記録媒体に格納するようにし（ステップＳ１０７）、ステップＳ１０６からの処理を繰り返す。
【００６６】
ステップＳ１０６の判断処理において、制御部１０が、音楽データの再生が終了したと判断したときには、制御部１０は、運動情報解析回路２３を制御し、ステップＳ１０７において記憶装置部５３の記録媒体に記録した再生履歴情報と、ステップＳ１０１、ステップＳ１０２の処理において取得し、ＲＡＭ１３に一時記憶した使用者の体重、身長、年齢、性別などからなる個人プロフィール情報と運動情報とに基づいて、使用者が行った運動の運動量を算出する（ステップＳ１０８）。
【００６７】
この実施の形態の音響再生装置においては、詳しくは後述もするように、再生される音楽に合わせてウォーキングやジョギングなどの運動を行った場合における、運動時間、歩行距離（移動距離）、平均速度、消費カロリー、脂肪燃焼量などの値をステップＳ１０８の処理において算出する。ステップＳ１０２で行う運動の種類（種別）を入力するようにしているので、その情報にしたがって、行った運動に応じた運動量を計算することが可能となる。
【００６８】
そして、制御部１０は、表示回路３３を制御し、ステップＳ１０８で求めた使用者の運動量を示す情報等を表示部３４の表示画面に表示して（ステップＳ１０９）、この図２に示す処理を終了する。図５は、ステップＳ１０９において使用者に表示により提供される運動量情報の表示画面の一例を説明するための図である。図５に示すように、この実施の形態の音響再生装置においては、音楽データの再生が終了すると、運動時間、歩行距離、平均速度、消費カロリー、脂肪燃焼量などの情報からなる表示を行う。
【００６９】
図５に示した例の場合、再生された音楽に合わせて運動、例えば、ウォーキングを行った使用者は、３０分運動し、平均速度６ｋｍ／ｈ（時速ｋｍ）で３ｋｍの道のりを移動し、これによって、１５０ｋｃａｌ（キロカロリー）分の熱量を消費し、脂肪を２０グラム燃焼させたことを通知するようにしている。また、画面上端側には、運動量情報を表示する旨のメッセージが、画面下端側には「お疲れ様でした！」というメッセージを表示するようにしている。
【００７０】
これにより、当該音響再生装置が再生する音楽に合わせて所定の運動を行った使用者は、自分がどれくらい運動したかを客観的に、しかも簡単かつ正確に把握することができるようにされる。これによって、自己の運動量の目安、どのくらいの時間、どのくらいの強度で、ウォーキングやジョギングなどの所定の運動を行った場合に、どのくらいの運動ができ、今後、どのくらいの運動をすべきかなどについて、適切に判断することができるようにされる。
【００７１】
なお、ＲＡＭ１３に一時記憶した個人プロフィール情報やステップＳ１０８において算出した運動量情報を、再生履歴情報と共に、記憶装置部５３に記憶保持するようにしておくことによって、後で、種々の解析を行うなどのことができるようにされる。
【００７２】
［種々の運動量の算出方法について］
次に、図２に示したステップＳ１０８において行われる種々の運動量の算出処理の一例について具体的に説明する。上述もしたように、ここでは、この実施の形態の音響再生装置によって再生される音楽に合わせて所定の運動を行った場合の種々の運動量を算出する。この算出処理においては、使用者によって入力された体重、身長、年齢、性別などの個人プロフィール情報と、再生した音楽データの再生時間やテンポなどからなる特性情報とに基づいて算出される。
【００７３】
まず、運動時間であるが、これは音楽データの再生時間と同じである。したがって、どの音楽データが何回再生されたかを把握しておくことにより、運動時間を算出することが可能である。また、再生するように決定された音声データが再生された場合に、この再生時間を図１においては図示しなかったが制御部１０に接続された時計回路（タイマー）などを用いて計測することによっても特定することができる。
【００７４】
次に、歩行距離であるが、これは、個人プロフィール情報と再生された音楽データの特性情報とに基づいて算出することができる。図６は、歩行距離の算出について説明するための図である。図６の（１）式に示すように、人間の歩幅は身長の約４５パーセントに相当する長さであることが知られている。そして、歩行距離は、図６の（２）式に示すように、歩幅と歩数とを掛け合わせることにより求めることが可能である。
【００７５】
したがって、例えば、図６に示したように、身長１７０ｃｍの人がテンポ１２０の音楽に合わせて、２分３０秒間あるいは場合の歩行距離は、図６の（３）式に示したように、まず、身長×０．４５なる演算を行って歩幅を求め、テンポ（１分間あたりの拍数）が１２０の音楽に合わせてウォーキングしているので、１分間に約１２０歩（回）歩いているものとして、歩幅に１２０歩（回）を乗算することにより、１分間あたりの歩行距離が求められ、これに運動時間（運動継続時間）である２分３０秒を乗算することにより、図６に示すように、歩行距離は２２９．５ｍであると算出することができる。
【００７６】
次に、運動時の平均速度であるが、上述のように求めることが可能である運動時間と歩行距離とに基づいて算出可能である。図７は、運動時の移動の平均速度の算出を説明するための図である。速さは、道のり／時間で求めることができるので、平均速度は、図７の（４）式に示すように、歩行距離を運動時間で割り算することにより求めることができる。したがって、３ｋｍを３０分で歩いた場合の平均速度は、図７の（５）式に示す演算により、時速６ｋｍ（６ｋｍ／ｈ）であると算出することができる。
【００７７】
次に、消費カロリー（消費エネルギー）であるが、これには、１分間あたりの消費エネルギーに基づいて算出する方法と、運動ごとに定められる運動強度を示す値であるＭＥＴＳ（Metabolic Equivalents）値を用いて算出する方法とを用いることが可能である。
【００７８】
図８は、１分間当たりの消費エネルギーを用いて消費エネルギーを求める場合について説明するための図である。１分間当たりの消費エネルギーＷｍｉｎは、図８の（６）式に示すように、定数値「３５」に運動時の速度を加算して得た値を、定数値「２０００」に運動者の体重を掛け算した値で割り算することにより求めることができる。このようにして得られる１分間当たりの消費エネルギーＷｍｉｎに運動総時間（分）を掛け算することにより、当該運動総時間分の運動によって消費された消費エネルギー（消費カロリー）を算出することができる。
【００７９】
そして、図８に示したように、体重が６８ｋｇの人が、分速１００メートル（１００ｍ／ｍｉｎ）の速度で６０分歩いたときの消費カロリーを求める場合には、まず、図８の（７）式に示すように、１分間当たりの消費エネルギーＷｍｉｎを求める。そして、図８の（８）式に示すように、求めた１分間当たりの消費エネルギーＷｍｉｎに運動総時間である６０分を掛け算することによって、この場合の消費エネルギーのトータルを求めることができる。この例の場合の消費エネルギー（消費カロリー）は、２７５．４ｋｃａｌである。
【００８０】
また、図９は、運動ごとに定められる運動強度を示す値であるＭＥＴＳ値を用いて消費エネルギーを求める場合について説明するための図である。ＭＥＴＳ値は、詳しくは後述するが、各種の運動毎に予め求められている運動強度を示す値であり、例えば、図９に示すように、ウォーキングであれば、ＭＥＴＳ値は４〜７、ジョギングであれば、ＭＥＴＳ値は７〜１５が効果的な運動をする場合の値として知られている。
【００８１】
そして、ＭＥＴＳ値を用いて消費エネルギーを求める場合には、図９の（９）式に示すように、運動者の体重とＭＥＳＴＳ値と運動時間とを掛け算することにより求めることができる。例えば、体重６０ｋｇの人が、５ＭＥＴＳの強度の運動を３０分行った場合の消費エネルギー（消費カロリー）は、図９の（１０）式に示すように、１５０ｋｃａｌと求めることができる。
【００８２】
このように、１分間当たりの消費エネルギーを用いることにより、あるいは、運動ごとに定められる運動強度を示す値であるＭＥＴＳ値を用いることにより、運動を行った場合の消費エネルギー（消費カロリー）を求めることができる。図８、図９に示したように、消費エネルギーは、運動者の個人プロフィール情報の１つである体重と、この実施の形態の音響再生装置においての音楽データの再生時間と同じと考えることが可能な運動時間（運動継続時間）や、この運動時間を用いることによって算出可能な速度などの情報を用いることによって算出することができる。
【００８３】
また、脂肪燃焼量は、図８、図９を用いて説明した消費エネルギーを用いることによって算出することができる。図１０は、脂肪燃焼量を求める場合について説明するための図である。図１０にも示したように、１ｋｇ（キログラム）の脂肪を燃焼させるためには、約７７００ｋｃａｌのエネルギーが消費されることが知られている。
【００８４】
このため、脂肪燃焼量を求めるためには、図１０の（１１）式に示したように、消費エネルギー（ｋｃａｌ）を１ｋｇの脂肪を燃焼させるために必要なエネルギーである７７００ｋｃａｌで割り算し、さらに単位合わせのために１０００ｇ（グラム）を掛け算することによって求めることができる。そして、図８を用いて説明したように、運動によって２７５．４ｋｃａｌのエネルギーが消費されたことが分かっている場合には、図１０の（１２）式に示した演算を行うことによって、約３５．７７ｇ（グラム）の脂肪が燃焼されたと算出することができる。
【００８５】
このように、運動時間、歩行距離、平均速度、消費エネルギー（消費カロリー）、脂肪燃焼量は、この実施の形態の音響再生装置によって再生される音楽を聴きながら運動を行う使用者の個人プロフィール情報と再生された音楽データの特性情報とに基づいて算出することが可能である。そして、図２に示した処理のステップＳ１０８の処理において、図６〜図１０を用いて説明した算出処理を行うことによって、ステップＳ１０９において、図５に示したように表示することによって使用者に通知する運動量情報を算出することができるようにされる。
【００８６】
［ＭＥＴＳ値について］
ここで、図９を用いて説明した消費エネルギーの算出において用いるようにしたＭＥＴＳ値について説明する。図１１、図１２は、ＭＥＴＳ値について説明するための図である。ＭＥＴＳ値は、図１１の（１３）式に示したように、運動時酸素酸素摂取量を安静時酸素摂取量で割り算することによって得られる値である。
【００８７】
図１１にも示したように、安静時の酸素消費量（安静時酸素摂取量）を「Ｒ」、水平方向に移動を伴うときの酸素摂取量である水平移動要素を「Ｈ」、垂直方向に移動を伴うときの酸素摂取量である垂直移動要素を「Ｖ」とする。なお、ウォーキング時の水平移動要素は、図１１の（１５）式に示したように、（０．１×速度）で求めることができ、ランニング時の水平移動要素は、図１１の（１６）式に示したように、（０．２×速度）で求めることができる。また、垂直運動要素は、図１１の（１７）式に示したように、（０．９×速度×傾き）で求めることができる。
【００８８】
そして、運動時酸素摂取量は、図１１の（１４）式に示したように、（Ｒ＋Ｈ＋Ｖ）として求めることができ、安静時酸素摂取量は、上述もしたようにＲで表されるので、ＭＥＴＳ値は、図１１の（１３）式にも示したように、（Ｒ＋Ｈ＋Ｖ）／Ｒという演算を行うことによって、求めることができるものである。なお、図１１にも示したように、１ＭＥＴＳは、３．５ｍｌ／ｋｇ・ｍｉｎ（ミリリットル／キログラム・分）の酸素消費量に相当し、安静時の酸素消費量と同じである。
【００８９】
次に、上述したＭＥＴＳ値の具体的な計算例について説明する。図１２に示すように、２つの例について考える。まず、時速６ｋｍ／ｈのウォーキングのＭＥＴＳ値を算出する場合を考える。図１１を用いて説明したように、ＭＥＴＳ値は、安静時酸素摂取量Ｒ、水平移動要素Ｈ、垂直移動要素Ｖが分かれば計算できる。安静時酸素摂取量Ｒは、図１１にも示したように、３．５ｍｌ／ｋｇ・ｍｉｎであると分かっているので、水平移動要素Ｈと垂直移動要素Ｖが分かればＭＥＴＳ値を計算できる。
【００９０】
そして、水平移動要素Ｈは、ウォーキングの場合、図１１の（１５）式に示したように、（０．１×分速）で求めることができる。したがって、時速６ｋｍ／ｈのウォーキングの場合の分速は、１００ｍ／ｍｉｎであるので、水平移動要素Ｈは、図１２の（１８）式によって、１０．０ｍｌ／ｋｇ・ｍｉｎであると算出することができる。一方、垂直移動要素Ｖは、図１１の（１７）式に示したように、（０．９×分速×傾き）で求められる。しかし、平坦な場所でのウォーキングの場合、運動時において一般に傾きが生じることは無いので、図１２の（１９）式に示したように、傾き＝０ｒａｄ（％）となり、垂直移動要素Ｖは０（ゼロ）ということになる。
【００９１】
このようにして求められる、安静時酸素摂取量Ｒ、水平移動要素Ｈ、垂直移動要素Ｖを、図１２の（２０）式に示すように加算することにより、運動時酸素摂取量を求めることができ、これを図１２の（２１）式に示すように、安静時酸素摂取量Ｒで割り算することによって、「３．９」というＭＥＴＳ値を求めることができる。すなわち、時速６ｋｍ／ｈのウォーキングのＭＥＴＳ値は、「３．９」であることが求められる。
【００９２】
次に、時速１０ｋｍ／ｈのジョギングのＭＥＴＳ値を算出する場合を考える。この場合にも、上述したウォーキングの場合と同様に、安静時酸素摂取量Ｒは既に分かっているので、水平移動要素Ｈ、垂直移動要素Ｖが分かればＭＥＴＳ値を算出することができる。そして、時速１０ｋｍ／ｈのランニング時の分速は、１６６．７ｍ／ｍｉｎであるので、水平移動要素Ｈは、図１２の（２２）式に示すように、３３．３４ｍｌ／ｋｇ・ｍｉｎであると算出することができる。
【００９３】
一方、ランニングの場合にも、ウォーキングの場合と同様に、運動時において一般に傾きが生じることは無いので、図１２の（２３）式に示したように、傾き＝０ｒａｄ（％）となり、垂直移動要素Ｖは０（ゼロ）ということになる。
【００９４】
このようにして求められる、安静時酸素摂取量Ｒ、水平移動要素Ｈ、垂直移動要素Ｖを、図１２の（２４）式に示すように加算することにより、運動時酸素摂取量を求めることができ、これを図１２の（２５）式に示すように、安静時酸素摂取量Ｒで割り算することによって、「１０．５」というＭＥＴＳ値を求めることができる。すなわち、時速１０ｋｍ／ｈのランニングのＭＥＴＳ値は、「１０．５」であることが求められる。
【００９５】
このように、運動の種類毎に、その運動を行った場合の運動強度であるＭＥＴＳ値を求めることができる。そして、上述したように求められるＭＥＴＳ値を用いて消費エネルギー求める場合には、図９の（９）式に示したように、体重×ＭＥＴＳ値×運動時間で求めることができる。
【００９６】
そして、図１３に示すように、時速１０ｋｍ／ｈ（分速１６６．７ｍ／ｍｉｎ）で体重６０ｋｇの人が平坦な所を３０分走った場合の消費エネルギー（消費カロリー）を、ＭＥＴＳ値を用いて算出する場合を考える。この場合には、図１３の（２６）式に示すように、まず、（３．５＋１６６．７×０．２）／３．５なる演算を行うことにより、ＭＥＴＳ値を求め、このＭＥＴＳ値と、体重（６０ｋｇ）と、時間（（３０／６０）時間）とを掛け算することにより、消費エネルギーを「３１５．７７ｋｃａｌ」と算出することができる。
【００９７】
なお、ＭＥＴＳ値を用いた消費エネルギーの算出式を詳細に示すと、図１４のように示すことができる。例えば、ウォーキングした場合について考える。まず、１回の運動の速度（一歩あるくために係る速度）Ｖｉは、図１４の（２７）式に示したように、歩幅Ｗｗを１回の運動時間（一歩あるくためにかかる時間）Ｔｉで割り算することにより求めることができる。
【００９８】
１回の運動の速度Ｖｉが分かれば、図１１を用いて説明したように、水平移動要素を求めることができる。なお、傾斜のある場所での運動の場合には、その傾きが分かれば、垂直移動要素も算出可能である。しかし、平坦な場所でのウォーキングの場合、通常、傾きが生じることはないので、水平移動成分が分かれば、図１１の（１３）式にしたがって、１回の運動のＭＥＴＳ値を求めることができる。
【００９９】
そして、図１４の（２８）式に示すように、体重Ｗｅｉｇｈｔと、１回の運動の速度Ｖｉから求めたＭＥＴＳ値ＭＥＴＳ（Ｖｉ）と、一回の運動の時間Ｔｉとを掛け算したものの運動時間分の合計をとることによって、運動によって消費した消費エネルギーを計算することができる。なお、図１４の（２８）式をまとめると、図１４の（２９）式のように示すことができる。
【０１００】
なお、ＭＥＴＳ値の代表的なものを上げると、時速３．２ｋｍ／ｈのウォーキングのＭＥＴＳ値は２〜３であり、時速４．８ｋｍ／ｈのウォーキングのＭＥＴＳ値は３〜４であり、時速６．４ｋｍ／ｈのウォーキングのＭＥＴＳ値は５〜６であり、時速８ｋｍ／ｈのウォーキングのＭＥＴＳ値は６〜７である。
【０１０１】
また、時速８ｋｍ／ｈのジョギングのＭＥＴＳ値は７〜８であり、時速１０ｋｍ／ｈのジョギングのＭＥＴＳ値は１１であり、時速１２ｋｍ／ｈのジョギングのＭＥＴＳ値は１２．５である。この他、種々の運動についてＭＥＴＳ値が求められているが、サイクリング、エアロビックダンス、縄跳び、ラケットボールなどは比較的にＭＥＴＳ値が高い運動である。
【０１０２】
このように、運動を行った使用者の体重、身長、歩幅などの個人プロフィール情報と、運動実行時に再生された音楽のテンポなどの属性情報が分かれば、その使用者の運動量などの運動情報を簡単かつ迅速に、しかも正確に求めて、運動を行った使用者に提供したり、これを保存して分析したりするなどのことができるようにされる。また、個人プロフィール情報として、年齢や性別などの詳細な情報を有している場合には、より詳細かつ正確に運動情報を算出し、これを利用することができるようにされている。
【０１０３】
［音響再生装置に搭載された運動情報センサからの検出出力を考慮して、使用者が行った運動量を求める場合について］
上述した例では、再生した音楽のテンポを用いて、当該再生した音楽に合わせてウォーキングやジョギングを行った使用者の運動量を算出するようにした。しかし、図１を用いて前述したように、この実施の形態の音響再生装置は、運動情報センサ２４を備えている。このため、運動情報センサ２４からの検出出力に基づいて、使用者の運動のテンポを検出して、より正確に使用者の運動量を求めるようにすることも可能である。
【０１０４】
さらに、運動情報センサ２４からの情報を利用することによって、使用者の実際の運動のテンポを把握して、再生する音楽のテンポを変えるようにすることも可能である。例えば、運動のテンポが下がってきたら、再生している音楽のテンポを上げるようにしたり、運動のテンポが上がってきたら、再生している音楽のテンポを下げるようにしたりするなどのことが可能になる。この場合にも、運動情報センサ２４により使用者の運動のテンポを正確に把握することができるので、使用者の運動量を正確に求めることができる。
【０１０５】
図１５は、図１に示したこの実施の形態の音響再生装置を使用して運動をする際に、この実施の形態の音響再生装置において、予め設定するようにした運動量から再生する音楽データを生成して再生するとともに、使用者が行ったウォーキングやジョギングなどの運動の運動量を求めることもできるようにした処理について説明するためのフローチャートである。
【０１０６】
この実施の形態の音響再生装置の制御部１０は、まず、キー操作部４１を通じて、使用者の運動量を算出するために必要な使用者の体重、身長（歩幅）、年齢、性別などの個人プロフィール情報のキー入力を受け付けて、これをＲＡＭ１３などに記憶保持する（ステップＳ２０１）。ここで入力される体重や身長などの情報は、消費カロリーや歩行距離（運動距離）などの運動量を算出するために必要な情報であり、年齢や性別は例えば運動終了時の表示などのために必要な情報である。
【０１０７】
次に、音響再生装置の制御部１０は、使用者が運動によって消費しようとする目標消費エネルギー（目標運動量）と運動モードとの入力を受け付ける（ステップＳ２０２）。運動モードは、例えば一定速度（一定負荷）の運動を行うコンスタントモード（Constant mode）、速さ（負荷）をランダムに変化させた運動を行うランダムモード（Random mode）、速さ（負荷）を徐々に上げていき途中で一定に保ちその後徐々に強度を下げていく運動を行うヒルモード（Hill mode）などがあり、使用者にかかる負荷のパターンに応じたものである。
【０１０８】
また、ウォーキング、ジョギング、ランニングなどの運動の種類（種別）を入力するようにすることも可能である。このように、行おうとする運動の種類を入力するようにした場合には、行おうとする運動の強度をも考慮して、目的とする運動量を適切に把握することが可能となる。
【０１０９】
この後、音響再生装置の制御部１０は、再生可能な音楽データのタイトルや、再生時間、テンポなどの特性情報を取得し（ステップＳ２０３）、目標消費エネルギーと運動モードや種類に応じて再生楽曲リストを生成して、これを例えば表示部３４に一覧表示するなどして、使用者に提供する（ステップＳ２０４）。
【０１１０】
このステップＳ２０４においては、図４Ａ、図４Ｂに示したような再生楽曲リストが生成される。すなわち、図４Ａが目標消費エネルギーを５００ｋｃａｌとし運動モードを一定ペースとした場合の再生楽曲リストの一例に相当し、図４Ｂがウォーミングアップとクールダウンとを含んだ運動強度の上昇と下降とを含むように指定した場合の一例に相当する。
【０１１１】
次に、音響再生装置の制御部１０は、キー操作部４１を通じて、運動情報センサ２４の検出結果に応じて、再生している音楽のテンポを変更するか否か（再生時に再生音楽のテンポの変更あり／なし）の指示入力を受け付ける（ステップＳ２０５）。再生テンポを変更するモードを選んだ場合には、運動のテンポあるいはリズムに対応させて再生する音楽（楽曲）のテンポを変化させるが、再生テンポを変更させないモードを選んだ場合には、運動センサの情報は運動量情報を正確に求めるための計算に利用する。
【０１１２】
そして、音響再生装置の制御部１０は、各部を制御し、再生楽曲リストにピックアップした音楽データの再生を開始し、使用者に運動を開始するように促す（ステップＳ２０６）。音響再生装置の運動情報解析回路２３は、運動情報センサ２４からの検出出力を取得し（ステップＳ２０７）、運動情報センサ２４からの検出出力に基づいて使用者の運動のテンポあるいはリズムを算出して、これを制御部１０に供給する（ステップＳ２０８）。
【０１１３】
制御部１０は、運動情報解析回路２３からの算出結果（解析結果）に基づいて、再生している音楽のテンポの変更が必要か否かを判断する（ステップＳ２０９）。このステップＳ２０９においては、例えば、使用者の運動のテンポと再生している音楽のテンポとのずれが大きい場合には、再生している音楽のテンポの変更が必要であると判断し、使用者の運動のテンポと再生している音楽のテンポとのずれが小さい、あるいは、ずれが生じていない場合には、再生している音楽のテンポの変更は必要ないと判断する。
【０１１４】
ステップＳ２０９の判断処理において、再生している音楽のテンポの変更が必要であると判断した場合には、制御部１０は、音楽再生データ生成装置部２２を制御して、再生している音楽データに対してテンポを変更する処理を行い、再生している音楽のテンポを変更する（ステップＳ２１０）。
【０１１５】
ステップＳ２１０の処理の後、あるいは、ステップＳ２０９の判断処理において、再生している音楽のテンポの変更は必要ないと判断した場合には、制御部１０は、自機の処理状態を監視し、音楽再生中か否かを判断する（ステップＳ２１１）。ステップＳ２１１の判断処理において、音楽の再生中であると判断したときには、再生中の音楽データのタイトル、再生時間、テンポなどの情報（再生楽曲情報）を再生履歴情報として、また、運動のテンポあるいはリズム、歩数などの情報を運動履歴情報として記録装置部５３の記録媒体に格納するようにし（ステップＳ２１２）、ステップＳ２０７からの処理を繰り返す。
【０１１６】
ステップＳ２１１の判断処理において、制御部１０が、音楽データの再生が終了したと判断したときには、制御部１０は、運動情報解析回路２３を制御し、ステップＳ２１２において記憶装置部５３の記録媒体に記録した再生履歴情報と運動履歴情報、ステップＳ２０１、ステップＳ２０２の処理において取得し、ＲＡＭ１３に一時記憶した使用者の体重、身長、年齢、性別などからなる個人プロフィール情報と運動情報とに基づいて、図６〜図１４を用いて説明したように、使用者が行った運動の運動量を算出する（ステップＳ２１３）。
【０１１７】
このステップＳ２１３においても、再生される音楽に合わせてウォーキングやジョギングなどの運動を行った場合における、運動時間、歩数、歩行距離（移動距離）、平均速度、消費カロリー、脂肪燃焼量などの値を算出する。なお、消費エネルギー（消費カロリー）は、図１４に示した計算式によって簡単かつ正確に求めることができるようにされる。そして、制御部１０は、表示回路３３を制御し、ステップＳ２１３で求めた使用者の運動量を示す情報等を表示部３４の表示画面に表示して（ステップＳ２１４）、この図１５に示す処理を終了する。
【０１１８】
図１６は、ステップＳ２１４において使用者に表示により提供される運動量情報の表示画面の一例を説明するための図である。図１６に示すように、この実施の形態の音響再生装置においては、音楽データの再生が終了すると、運動時間、歩数、歩行距離、平均速度、消費カロリー、脂肪燃焼量などの情報からなる表示を行う。
【０１１９】
図１６に示した例の場合には、再生された音楽に合わせて運動、例えば、ウォーキングを行った使用者は、３０分運動することにより１００００歩あるき、平均速度６ｋｍ／ｈ（時速ｋｍ）で３ｋｍの道のりを移動し、これによって、１５０ｋｃａｌ（キロカロリー）分の熱量を消費し、脂肪を２０グラム燃焼させたことを通知するようにしている。また、画面上端側には、運動量情報を表示する旨のメッセージが、画面下端側には「お疲れ様でした！」というメッセージを表示するようにしている。
【０１２０】
このように、運動情報センサ２４からの情報を利用することによって、使用者の実際の運動のテンポを把握して、再生する音楽のテンポを変えるようにすることができる。そして、この場合においても、運動情報センサ２４により使用者の運動のテンポを正確に把握することができるので、使用者の運動量を正確に求めることができる。
【０１２１】
なお、この例においても、使用者によって入力された個人プロフィール情報、運動情報、ステップＳ２１３において算出した運動量情報についても、記憶装置部５３に記憶保持させておくことにより、運動終了後においての解析などに利用することが可能である。
【０１２２】
［予め設定した運動量に基づいて、再生する音楽データを選択し決定すると共に、運動量は再生された音楽データの特性情報を用いて算出する場合について］
次に、図１７〜図２０を参照しながら、予め設定した運動量に基づいて、再生する音楽データを選択し決定すると共に、運動量は再生された音楽データの特性情報を用いて算出する場合について説明する。
【０１２３】
図１７は、図１に示した音響再生装置を使用して運動をする際に、予め設定した運動量（目標運動量）から再生する音声データを選択し決定し再生する場合の音響再生装置においての処理を説明するためのフローチャートである。この図１７に示す処理は、図１５に示した処理において、再生音楽のテンポの変更に関連する処理（ステップＳ２０５、ステップＳ２０７〜ステップＳ２１０まで）を除いた処理部分とほぼ同じ処理になる。
【０１２４】
そして、この図１７に示す処理の場合、音響再生装置の制御部１０は、まず、キー操作部４１を通じて、使用者の運動量を算出するために必要な使用者の体重、身長（歩幅）、年齢、性別などの個人プロフィール情報のキー入力を受け付けて、これをＲＡＭ１３などに記憶保持する（ステップＳ３０１）。ここで入力される体重や身長などの情報は、消費カロリーや歩行距離（運動距離）などの運動量を算出するために必要な情報であり、年齢や性別は例えば運動終了時の表示などのために必要な情報である。
【０１２５】
次に、音響再生装置の制御部１０は、使用者が運動によって消費しようとする目標消費エネルギー（目標運動量）と運動モードの入力を受け付けて、これをＲＡＭ１３などに記憶保持する（ステップＳ３０２）。運動モードは、図１５を用いて説明した例の場合と同様に、例えば一定速度の運動を行うコンスタントモード、速さをランダムに変化させた運動を行うランダムモード、強度を徐々に上げていき途中で一定に保ちその後徐々に強度を下げていく運動を行うヒルモードなどがある。また、ウォーキング、ジョギング、ランニングなど行おうとする運動の種類（種別）を入力するようにすることも可能である。
【０１２６】
この後、音響再生装置の制御部１０は、再生可能な音楽データのタイトルや、再生時間、テンポ、消費エネルギー、運動により移動可能な距離などの特性情報を取得する（ステップＳ３０３）。タイトル、再生時間、テンポ、消費エネルギー、運動により移動可能な距離などの特性情報は音楽（楽曲）ごとに予め決まる情報である。
【０１２７】
また、消費エネルギーは、当該音楽データを再生することにより放音される音楽に呼応するようにして運動を行った場合においての運動者（使用者）の消費エネルギーを示すものであり、運動により移動可能な距離は、当該音楽データを再生することにより放音される音楽に呼応するようにして運動を行った場合においての運動者（使用者）の移動距離を示すものである。なお、消費エネルギーや使用者の移動距離は、例えば、行う運動の運動強度に応じて複数の異なるものを用いるようにすることが可能とされる。
【０１２８】
図１８は、ステップＳ３０３の処理において取得される再生可能な音楽データの一覧リスト（再生楽曲情報）の一例を説明するための図である。図１８に示す例の場合には、再生可能な音楽データのタイトル、その音声データにより再生される音楽の長さ（再生時間）、テンポ、その音楽データを再生することにより得られる音楽に応じて、当該音楽の初めから終わりまで運動した場合の消費エネルギーなどの情報からなるものである。
【０１２９】
そして、音響再生装置の制御部１０は、ステップＳ３０１において取得した個人プロフィール情報、ステップＳ３０２で取得した目標とする消費カロリーや運動の種類などの情報、ステップＳ３０３で取得した音楽データの特性情報とに基づいて、再生すべき音楽データの一覧リストである再生楽曲リストを生成することにより、再生する音楽データを決定する（ステップＳ３０４）。
【０１３０】
ステップＳ３０４においては、例えば、図１９Ａ、図１９Ｂに示すような再生楽曲リストが生成される。すなわち、図１９Ａが目標消費エネルギーを５００ｋｃａｌとし運動モードをコンスタントモード（一定モード）とした場合の再生楽曲リストの一例に相当し、図１９Ｂがウォーミングアップとクールダウンとを含んだ運動強度の上昇と下降とを含むように指定したヒルモード（上昇下降モード）の場合の一例に相当する。
【０１３１】
次に、音響再生装置の制御部１０は、各部を制御し、再生楽曲リストにピックアップした音楽データの再生を開始し、使用者に運動を開始するように促す（ステップＳ３０５）。そして、制御部１０は、自機の処理状態を監視し、音楽再生中か否かを判断する（ステップＳ３０６）。ステップＳ３０６の判断処理において、音楽の再生中であると判断したときには、再生中の音楽データのタイトル、再生時間、テンポなどの情報（再生楽曲情報）を再生履歴情報として記録装置部５３の記録媒体に格納するようにし（ステップＳ３０７）、ステップＳ３０６からの処理を繰り返す。この場合に必須情報は再生時間であるが、その他の情報も例えば表示用するなどのために記録しておく。
【０１３２】
ステップＳ３０６の判断処理において、制御部１０が、音楽データの再生が終了したと判断したときには、制御部１０は、運動情報解析回路２３を制御し、ステップＳ３０７において記憶装置部５３の記録媒体に記録した再生履歴情報と、ステップＳ３０１、ステップＳ３０２の処理において取得し、ＲＡＭ１３に一時記憶した使用者の体重、身長、年齢、性別などからなる個人プロフィール情報や目標運動量情報に基づいて、図６〜図１４を用いて説明したように、使用者が行った運動の運動量を算出する（ステップＳ３０８）。
【０１３３】
このステップＳ３０８においても、再生される音楽に合わせてウォーキングやジョギングなどの運動を行った場合における、運動時間、歩数、歩行距離（移動距離）、平均速度、消費カロリー、脂肪燃焼量などの値を算出する。そして、制御部１０は、表示回路３３を制御し、ステップＳ２１３で求めた使用者の運動量を示す情報等を表示部３４の表示画面に表示して（ステップＳ３０９）、この図１７に示す処理を終了する。
【０１３４】
図２０は、ステップＳ３０９において使用者に表示により提供される運動量情報の表示画面の一例を説明するための図である。図２０に示すように、この実施の形態の音響再生装置においては、音楽データの再生が終了すると、目標消費カロリー、運動時間、歩行距離、平均速度、脂肪燃焼量などの情報からなる表示を行う。
【０１３５】
図２０に示した例の場合には、再生された音楽に合わせて運動、例えば、ウォーキングを行った使用者は、５００ｋｃａｌのエネルギーを消費するために、３０分間継続して３ｋｍの道のりを平均速度時速６ｋｍ／ｈで運動しなければならなかったことが分かり、このときの脂肪燃焼量が２０ｇであることも分かる。また、画面上端側には、運動量情報を表示する旨のメッセージが、画面下端側には「お疲れ様でした！」というメッセージを表示するようにしている。
【０１３６】
このように、目標とする消費エネルギーなどの情報を入力することにより、どのくらいの運動が必要であるかが、再生する音楽データの消費カロリーを基準として、再生する音楽データとその再生回数とによって示すことができるようにされる。この示された音楽データについて、示された通りに再生し、再生することにより得られる音楽に合わせてウォーキングやジョギングなどの運動を行うことにより、再生対象の音楽データの全てが示された回数分再生された場合には、使用者は目標とした消費カロリー分の運動が終了していることになる。すなわち、使用者は再生される音楽に合わせて運動することにより、無理なく、目標量の運動を行うことができるようにされる。
【０１３７】
なお、この例においても、使用者によって入力された個人プロフィール情報、運動情報、ステップＳ３０８において算出した運動量情報についても、記憶装置部５３に記憶保持させておくことにより、運動終了後においての解析などに利用することが可能である。
【０１３８】
そして、上述した実施の形態の音響再生装置は、種々の音楽データを再生するものであり、使用者が運動を行う場合に、強く意識しなくても、自然と再生される音楽のテンポやリズムに自身の動きを合わせることができるので、無理なく運動を行うことができるようにされる。
【０１３９】
また、使用者が行った運動量情報を使用者に提示することができるので、運動を継続しておこなうことの動機付けを提供することができ、ある程度の時間継続して行う必要のある運動を無理なく継続させることができ、しかも楽しく運動を行うようにすることができる。また、再生履歴情報、個人プロフィール情報、運動量情報を、使用者個人専用として用いられる音響再生装置側で管理することができるので、使用者の個人情報を安全性高く管理することも可能である。
【０１４０】
また、図１に示したように、この実施の形態の音響再生装置は、記憶装置部５３を備えているため、上述もしたように、この記憶装置部５３に個人プロフィール情報、運動量情報、再生楽曲情報等を保存しておき、これを後で取り出して、種々の解析を行うようにすることもできる。例えば、図２１に示すように、使用者の体重の変化と運動により消費した消費エネルギーの累積値との関係をグラフ化するなどの処理が可能であり、運動の効果を種々の観点からユーザに通知するなどのことができる。すなわち、この実施の形態の音響再生装置を利用して運動を行った場合の効果を確認するなどのことができる。
【０１４１】
また、目標とする消費エネルギーなどの情報を入力することにより、どのくらいの運動が必要であるかが、再生する音楽データの消費カロリーを基準として、再生する音楽データとその再生回数とによって示すことができるようにされる。この示された音楽データについて、示された通りに再生し、再生することにより得られる音楽に合わせてウォーキングやジョギングなどの運動を行うことにより、再生対象の音楽データの全てが示された回数分再生された場合には、使用者は目標とした消費カロリー分の運動が終了していることになる。すなわち、使用者は再生される音楽に合わせて運動することにより、無理なく、目標量の運動を行うことができるようにされる。
【０１４２】
なお、図２、図１５、図１７のフローチャートを用いて説明した処理を実行するプログラムを作成し、これを種々の音響再生装置に搭載することによって、この発明の音響再生装置を比較的に簡単に実現することができる。
【０１４３】
また、上述した第１の実施の形態においては、制御部１０、音楽情報記憶装置部２１、音声信号出力処理部３１が協働して再生手段を構成し、制御部１０、通信Ｉ／Ｆ６１、送受信回路６２、Ｉ／Ｆ５２などが、特性情報の提供元に応じた取得手段としての機能を実現する。また、制御部１０、運動情報解析回路２３が、算出手段としての機能を実現し、表示回路３３、表示３４が協働して出力手段としての機能を実現している。また、制御部１０あるいは音楽再生データ生成装置部が、再生すべき音楽データを決定する決定手段としての機能を実現している。
【０１４４】
また、運動量情報や目標運動量情報は、消費カロリーの他、運動時間、運動強度、運動距離、脂肪燃焼量などであってももちろんよい。例えば、目標運動量情報として、運動時間を用いる場合、運動を継続したい時間（運動時間）を目標運動量情報として入力することにより、その入力された時間情報分の再生時間を有するように、音声データを選択することができる。脂肪燃焼量を目標運動量情報とした場合にも、入力された脂肪燃焼量を実現できるように、再生すべき音声データを選択し、決定することができるようにされる。
【０１４５】
また、再生すべき音楽データを選択して決定する場合、再生すべき音楽データの種類（ジャンル）、テンポ、組み合わせ、繰り返しの回数などを自動的に決定することも可能である。例えば、音楽データの特性情報にジャンルを示す情報を付加しておくことにより、目標運動量に応じて適したジャンルの音楽データを選択することが可能である。テンポ、組み合わせ、繰り返しの回数などについても、目標運動量に基づいて、自動的に決定することも可能である。
【０１４６】
また、図１８に示した再生楽曲情報において、例えば、行う運動ごとの消費エネルギーなどの運動の強度に関する情報を持つことにより、行う運動毎に詳細な処理が可能となる。行う運動としては、ウォーキング、ジョギング、ランニング、縄跳びなどの種目の別や、運動の速度などに応じて、運動強度を定めておくことが可能である。
【０１４７】
また、上述もしたように、再生可能な楽曲データは、例えば、ＣＤ（Compact Disc）やＭＤ（Mini Disc（登録商標））、カードメモリーなどの記録媒体に記録された状態で提供を受け、これを音楽情報記憶装置部２１に装填し、読み出して再生することが可能である。また、通信Ｉ／Ｆ６１や送受信回路６２などを通じて、通信によりネットワーク上のサーバーや無線ＬＡＮ経由で取得し、音楽情報記録装置部２１の記録媒体に記録して再生するようにすることも可能である。また、外部端子５１に接続される外部機器からの音楽データを直接に再生するようにしたり、一度、音楽情報記録装置部２１の記録媒体に記録して再生したりするようにすることも可能である。
【０１４８】
また、上述もしたように、再生可能な音楽データの再生時間、テンポ、運動強度に応じた消費カロリーなどの音楽データに対する特性情報は、音楽データと共に記録媒体に記録されて提供されたり、あるいは、音楽データと共に、または、音楽データとは別に、インターネットなどの広域ネットワークや無線ＬＡＮ経由で、あるいは、外部端子５１に接続された外部機器から提供を受けたりすることができる。また、音楽データとこれに対応する特性情報とは、例えば、音楽データの識別情報（識別ＩＤ）によって対応付けられていれば、別々に取得することが可能である。
【０１４９】
第１の実施の形態において、図２のフローチャートを用いて説明した運動量を再生した音楽データの特性情報に基づいて求める場合の処理においては、運動情報として運動の種類の入力を受け付けるようにしたが、これに限るものではない。ＭＥＴＳ値を用いないで消費エネルギーを算出する場合には、運動強度であるＭＥＴＳ値を計算するための運動の種類を把握する必要はないので、運動の種類を入力する必要もない。
【０１５０】
なお、上述した実施の形態の音響再生装置は、携帯用の音楽再生機器であるものとして説明したが、具体的には、ハードディスクプレーヤ、ＭＤ（登録商標）プレーヤ、携帯電話などの種々に適用可能である。また、この発明は携帯用の機器として実現することに適したものであるが、小型化が可能である点にかんがみ、例えば、種々のフィットネスマシンに搭載するなどして、据え置き型の形態で利用できるようにすることも可能である。
【０１５１】
［第２の実施の形態］
上述した第１の実施の形態においては、音響再生装置において再生する音楽データは、ユーザが１曲づつ指定することにより１つの再生楽曲リストを形成して用いたり、あるいは、入力される目標運動量情報に基づいて再生する音楽データを選択して１つの再生楽曲リストを形成して用いたりした。しかし、これに限るものではない。
【０１５２】
以下に説明する第２の実施の形態の音響再生装置は、１曲以上の音楽データの再生順序と、当該１曲以上の音楽データのそれぞれの再生回数とを示す再生楽曲リストを、自動生成したり、あるいは、予め登録したりしておくことにより、複数個の再生楽曲リストを利用できるようにしたものである。
【０１５３】
すなわち、この第２の実施の形態の音響再生装置においては、音楽データを再生してこれに呼応して運動を行うようにする場合において、利用できるようにされた複数個の再生楽曲リストの中から使用者が実際に用いる再生楽曲リストを選択することができるようにする。
【０１５４】
そして、この第２の実施の形態の音響再生装置は、使用者によって選択された再生楽曲リストにしたがって音楽データの再生を行うことができるようにしたものである。また、選択された再生楽曲リストに対しては、再生する楽曲の変更、再生回数などの変更も行うことができるようにしている。
【０１５５】
このように、この第２の実施の形態の音響再生装置は、複数の再生楽曲リストを利用可能にすることにより、音響再生装置に対する使用者の入力操作の簡易化を実現すると共に、使用者が目的とする態様で（使用者のニーズにあった態様で）種々の音楽データを再生することができるようにしたものである。
【０１５６】
なお、この第２の実施の形態の音響再生装置は、上述のように、複数の再生楽曲リストを用いる点が第１の実施の形態の音響再生装置とは異なるが、その構成は、図１を用いて説明した第１の実施の形態の音響再生装置と同様に構成されるものである。このため、この第２の実施の形態においても、音響再生装置は図１の構成を有するものとして、図１をも参照して説明することとする。
【０１５７】
また、この第２の実施の形態の音響再生装置においては、個人プロフィール情報等を用いて自動生成した再生楽曲リストや予め登録された再生楽曲リストを用いて音声データを再生するモードと、目標運動量を用いて自動生成した再生楽曲リストや予め登録された再生楽曲リストを用いて音楽データを再生するモードとを備え、いずれのモードを用いるかは、使用者が選択することができるようにしている。以下においては、これら音楽データを再生する２つのモードのそれぞれに分けて説明する。
【０１５８】
［個人プロフィール情報等を用いて自動生成した再生楽曲リストや予め登録された再生楽曲リストを用いて音声データを再生する場合について］
まず、個人プロフィール情報等を用いて自動生成した再生楽曲リストや予め登録された再生楽曲リストを用いて音声データを再生する場合について説明する。図２２は、この第２の実施の形態の音響再生装置を使用して運動をした際に、運動量を再生音楽データから求める場合の制御フローを示したものであり、個人プロフィール情報等を用いて自動生成した再生楽曲リストや予め登録された再生楽曲リストを用いて、音声データを再生するようにした場合のこの第２の実施の形態の音響再生装置の動作を説明するためのフローチャートである。
【０１５９】
図２２に示す処理は、第１の実施の形態の音響再生装置の図２に示した処理と同様に、主に制御部１０によって実行されるものである。この第２の実施の形態の音響再生装置において、制御部１０は、まず、キー操作部４１を通じて、使用者の運動量を算出するために必要な使用者の体重、身長（歩幅）、年齢、性別などの個人プロフィール情報のキー入力を受け付けて、これをＲＡＭ１３などに記憶保持する（ステップＳ４０１）。
【０１６０】
次に、音響再生装置の制御部１０は、使用者が行おうとしている運動の種類（種別）を示す情報のキー入力を受け付け、これをＲＡＭ１３などに記憶保持する（ステップＳ４０２）。ここで、運動の種類を示す情報（運動情報）は、ウォーキング、ジョギング、ランニング、ダッシュ、ブラブラ（ブラブラ歩き）などの別を示す情報である。この後、音響再生装置の制御部１０は、再生可能な音楽データのタイトルや、再生時間、テンポなどの特性情報を取得する（ステップＳ４０３）。
【０１６１】
図２３は、この第２の実施の形態の音響再生装置において再生可能な音楽データについてのタイトルや特性情報からなる再生楽曲情報を説明するための図である。図２３に示すように、再生楽曲情報は、上述もしたように、再生可能な音楽データのタイトル、再生時間（図２３においては、「長さ」と記載。）、その音楽データの曲テンポ（音楽信号の速さであり、第１の実施の形態と同様に、曲テンポは１分間あたりの拍の数（ＢＰＭ）。）などからなるものである。
【０１６２】
このような再生可能な音楽データについてのタイトルや特性情報は、例えば、音楽情報記憶装置部２１の記録媒体（記録メディア）から読み出して取得するようにしたり、また、通信Ｉ／Ｆ６１を介してネットワークに接続し、ネットワーク上のサーバー装置に形成されたデータベースから取得するようにしたりすることが可能である。なお、ネットワーク上のデータベースから、この音響再生装置において再生可能な音楽データのタイトルや特性情報を取得する場合には、再生可能な音楽データの識別情報に基づいて検索し、取得することができるようにされる。
【０１６３】
また、音楽情報記憶装置部２１の記録媒体に記憶保持される音楽データ自身についても、ＣＤ（Compact Disc）などのメディアから取得したり、ネットワーク上のデータベースから、例えば送受信アンテナ６３、送受信回路６２を通じて取得したり、外部端子５１、Ｉ／Ｆ５２を通じて外部機器から取得したりすることができる。取得された再生可能な楽曲についてのタイトルや特性情報からなる再生楽曲情報は、ＲＡＭ１３などに一時記憶し、利用可能になる。また、図２３に示すような再生楽曲情報を音楽情報記憶装置部２１の記録媒体に作成しておき、これを読み出してＲＡＭ１３などに一時記憶させることにより利用可能にすることも可能である。
【０１６４】
なお、図２３に示したような再生可能な音楽データについてのタイトルや特性情報からなる再生楽曲情報を表示部３４に表示することにより使用者に通知し、再生可能な音楽データとしてどのようなものが音楽情報記憶装置部２１に記憶保持されているかを使用者が把握できるようにすることも可能である。
【０１６５】
そして、この第２の実施の形態の音響再生装置において、制御部１０は、図２３に示した再生楽曲情報から自動生成するようにした再生楽曲リストや予め用意されている再生楽曲リストを、再生楽曲候補リストとして表示回路３３を制御し表示部３４に表示することにより使用者に提示する（ステップＳ４０４）。
【０１６６】
なお、詳しくは後述するが、ステップＳ４０４において提示される再生楽曲候補リストは、図２４、図２５、図２６に示すような運動モード等に応じて自動生成される再生楽曲リストや図２７Ａ、Ｂに示すような予め用意されている（登録されている）再生楽曲リストなどである。
【０１６７】
これらの利用可能な再生楽曲リストは、例えば、音楽情報記憶装置部２１の記録媒体や記憶装置部５３の記録媒体、あるいは、図１においては図示しなかったＥＥＰＲＯＭなどの不揮発性メモリーに記憶保持され、例えば図２８に示すような態様で表示部３４の表示画面に表示され、候補となる再生楽曲リストの全てを使用者に提示したり、あるいは、候補を１つづつ順次に提示したりするようにされる。
【０１６８】
そして、制御部１０は、キー操作部４１を通じて使用者からの再生候補リストの選択入力や、選択された再生候補リストに対する修正入力を受け付け（ステップＳ４０５）、再生候補リストの選択入力や選択された再生楽曲リストに対する変更入力等の使用者からの入力操作が終了したか否かを判断する（ステップＳ４０６）。
【０１６９】
ステップＳ４０６の判断処理において、使用者からの操作入力が終了していないと判断したときには、ステップＳ４０５からの処理を繰り返す。また、ステップＳ４０６の判断処理において、使用者からの操作入力が終了したと判断したときには、選択された再生楽曲リストを、あるいは、選択されて内容が変更された再生楽曲リストを用いる再生楽曲リストとして決定する（ステップＳ４０７）。
【０１７０】
そして、制御部１０は、ステップＳ４０７において決定した再生楽曲リストにしたがって、再生すべき音楽データを順次に音楽情報記憶装置部２１の記録媒体から読み出し、これを音声信号出力処理部２３に供給して、読み出した音楽データに応じた音楽をスピーカから放音するようにする一連の再生処理を開始する（ステップＳ４０８）。このようにして再生される音楽に呼応して（再生される音楽に合わせて）、使用者は、ウォーキング、ジョギング、ランニング、ダッシュ、ブラブラ歩きなどのうち、ステップＳ４０２において入力した種類の運動を開始する。
【０１７１】
次に、制御部１０は、自機の処理状態を監視し、音楽再生中か否かを判断する（ステップＳ４０９）。ステップＳ４０９の判断処理において、音楽の再生中であると判断したときには、再生中の音楽データのタイトル、再生時間、テンポなどの情報（再生楽曲情報）を再生履歴情報として、記録装置部５３の記録媒体に格納するようにし（ステップＳ４１０）、ステップＳ４０９からの処理を繰り返す。
【０１７２】
ステップＳ４０９の判断処理において、制御部１０が、音楽データの再生が終了したと判断したときには、制御部１０は、運動情報解析回路２３を制御し、ステップＳ４１０において記憶装置部５３の記録媒体に記録した再生履歴情報と、ステップＳ４０１、ステップＳ４０２の処理において取得し、ＲＡＭ１３に一時記憶した使用者の体重、身長、年齢、性別などからなる個人プロフィール情報と、運動情報とに基づいて、使用者が行った運動の運動量を算出する（ステップＳ４１１）。なお、このステップＳ４１１においては、第１の実施の形態の音響再生装置の場合と同様に、図６〜図１４を用いて説明したようにして、使用者が行った運動の運動量を算出する。
【０１７３】
そして、制御部１０は、表示回路３３を制御し、ステップＳ４１１で求めた使用者の運動量を示す情報等を表示部３４の表示画面に表示して（ステップＳ４１２）、この図２２に示す処理を終了する。このステップＳ４１２においては、後述もするが、例えば、第１の実施の形態の音響再生装置の場合と同様に、図１６に示したような態様で使用者に対して当該使用者が行った運動の運動量が通知される。
【０１７４】
［再生楽曲リストの具体例について］
次に、図２２に示した処理のステップＳ４０４において使用者に提示される再生楽曲リストの具体例と、その提供例について図２４〜図２８を参照しながら説明する。上述もしたように、図２２に示したステップＳ４０４においては、自動生成された再生楽曲リストや予め用意された再生楽曲リストなどの利用可能な複数の再生楽曲リストが、表示部３４の表示画面に表示されることにより使用者に対して提示される。
【０１７５】
そして、図２４〜図２５は、この第２の実施の形態の音響再生装置において、図２２に示した処理のステップＳ４０１において取得した個人プロフィール情報とステップＳ４０２において取得した運動情報とに基づいて、図２３に示した再生楽曲情報から自動生成するようにされた再生楽曲リストの例を説明するための図であり、図２７は、予め用意される再生楽曲リストの一例を説明するための図である。
【０１７６】
まず、個人プロフィール情報と運動情報とに基づいて自動生成される再生楽曲リストについて説明する。この場合、個人プロフィール情報は、例えば、必要以上に大きな負荷を使用者にかけないようにするために、利用可能な曲テンポや運動を行う時間に相当する音楽データの総再生時間を制限する場合に用いられる。具体的には、身長と体重とに基づいて、負荷が過大となるテンポの音楽は除外したり、音楽データの総再生時間を制限したり、性別や年齢に応じて、再生可能な楽曲のテンポや音楽データの総再生時間を制限したりするなどのために用いられる。
【０１７７】
また、図２２に示したステップＳ４０２において取得する運動情報は、上述もしたように、ウォーキング、ジョギング、ランニング、ダッシュ、ブラブラ歩きなどの運動の種類を示すものである、使用者が行おうとする運動に応じて、利用可能な楽曲のテンポを選択する場合などに用いられる。
【０１７８】
また、年齢、身長、体重といった個人プロフィール情報と運動の種類を示す運動情報とに基づいて、運動を行う時間に相当する音楽データの総再生時間を制限するなどのこともできるようにされている。換言すれば、使用者から入力されることにより、この第２の実施の形態の音響再生装置が取得する個人プロフィール情報や運動情報は、運動量の算出に用いられるだけでなく、再生される音楽に合わせて使用者が安全に運動を行えるようにするための１つの基準にもなっている。
【０１７９】
そして、この第２の実施の形態においては、音響再生装置が取得した使用者の個人プロフィール情報と運動情報とに基づくと共に、ヒルモード、コンスタントモード、ランダムモード等の運動モードをも考慮して、利用可能な複数の再生楽曲リストを自動生成するようにしている。
【０１８０】
図２４Ａは、この第２の実施の形態の音響再生装置において、取得した個人プロフィール情報と運動情報とに基づいて、ヒルモードで運動を行うようにするために自動生成される再生楽曲リスト１を説明するための図である。ここで、ヒルモードは、図２４Ｂに示すように、時間の経過にしたがって、運動の負荷が徐々に増加していき、運動の負荷が所定値に達した後においては、運動の負荷を徐々に軽減して行くようにするモードである。
【０１８１】
そして、図２４Ａに示す再生楽曲リスト１は、図２３に示した再生楽曲情報から形成され、曲Ａ（長さ：１分１１秒、テンポ：１００）、曲Ｂ（長さ：３分３３秒、テンポ：１０５）、曲Ｃ（長さ：２分２２秒、テンポ：１２０）、曲Ｄ（長さ：２分３０秒、テンポ：１４５）、曲Ｅ（長さ：１分５０秒、テンポ：１８０）、曲Ｆ（長さ：３分００秒、テンポ：８０）の６曲の音楽データを利用し、曲Ａを５回→曲Ｂを１回→曲Ｃを１回→曲Ｄを１回→曲Ｅを３０回→曲Ｂを２回→曲Ｃを１回→曲Ｆを１回の順で再生することを指示するものであり、全体として約８０分間の運動を行うようにするものである。
【０１８２】
また、図２５Ａは、この第２の実施の形態の音響再生装置において、取得した個人プロフィール情報と運動情報とに基づいて、コンスタントモードで運動を行うようにするために自動生成される再生楽曲リスト２を説明するための図である。ここで、コンスタントモードは、図２５Ｂに示すように、運動の負荷を常に一定とするモードである。
【０１８３】
そして、図２５Ａに示す再生楽曲リスト２は、図２３に示した再生楽曲情報から形成され、曲Ａ（長さ：１分１１秒、テンポ：１００）を５０回連続して再生することを指示するものであり、全体として約６０分間の運動を行うようにするものである。
【０１８４】
また、図２６Ａは、この第２の実施の形態の音響再生装置において、取得した個人プロフィール情報と運動情報とに基づいて、ランダムモードで運動を行うようにするために自動生成される再生楽曲リスト３を説明するための図である。ここで、ランダムモードは、図２６Ｂに示すように、時間の経過にしたがって、運動の負荷がランダムに変化するモードである。
【０１８５】
そして、図２６Ａに示す再生楽曲リスト３は、図２３に示した再生楽曲情報から形成され、曲Ａ（長さ：１分１１秒、テンポ：１００）、曲Ｂ（長さ：３分３３秒、テンポ：１０５）、曲Ｅ（長さ：１分５０秒、テンポ：１８０）、曲Ｆ（長さ：３分００秒、テンポ：８０）の４曲の音楽データを利用し、曲Ａを５回→曲Ｅを５回→曲Ｂを３回→曲Ｅを１０回→曲Ｂを５回→曲Ｆを１回の順で再生することを指示するものであり、全体として約６０分間の運動を行うようにするものである。
【０１８６】
このように、この第２の実施の形態の音響再生装置においては、図２４〜図２６に示したように、音響再生装置が取得した個人プロフィール情報と運動情報とに基づくと共に、複数の運動モードに応じた複数の再生楽曲リストが自動生成され、上述もしたように、所定の記録媒体またはメモリーに記憶保持され、図２２に示した処理のステップＳ４０４においてユーザに提示される。なお、再生楽曲リストの自動生成は、図２２に示した処理のステップＳ４０４において、または、その前段において行うようにしておけばよい。
【０１８７】
次に、予め用意しておく（予め登録しておく）再生楽曲リスト、換言すればプリセットされた再生楽曲リストについて説明する。図２７は、プリセットされた再生楽曲リストの一例を説明するための図である。プリセットされた再生楽曲リストは、この第２の実施の形態の音響再生装置によって再生される楽曲に合わせて運動を行う使用者が、自己の使用態様や好みなどに応じて予め登録したものである。
【０１８８】
例えば、図２７Ａに示すように、３０分間のウォーキングをよく行う使用者は、ウォーキング３０分用のプリセットされた再生楽曲リスト１を予め用意しておくことにより、これを用いて音楽データを再生して運動を行うことができるようにされる。図２７Ａに示す例の場合には、曲Ａ（長さ：１分１１秒、テンポ：１００）、曲Ｂ（長さ：３分３３秒、テンポ：１０５）、曲Ｃ（長さ：２分２２秒、テンポ：１２０）、曲Ｇ（長さ：２分００秒、テンポ：１００）の５曲の音楽データを利用し、曲Ａを２回→曲Ｂを３回→曲Ｃを３回→曲Ｇを３回→曲Ｉを２回の順で再生することを指示するものであり、テンポが約１００の楽曲を約３０分間再生し、全体として約３０分間の運動を行うようにするものである。
【０１８９】
また、図２７Ｂに示すように、３０分間のジョギングをよく行う使用者は、ジョギング３０分用のプリセットされた再生楽曲リスト２を予め用意しておくことにより、これを用いて音楽データを再生して運動を行うことができるようにされる。図２７Ｂに示す例の場合には、曲Ｂ（長さ：３分３３秒、テンポ：１０５）、曲Ｄ（長さ：２分３０秒、テンポ：１４５）、曲Ｅ（長さ：１分５０秒、テンポ：１８０）、曲Ｈ（長さ：３分３０秒、テンポ：１３０）の４曲の音楽データを利用し、曲Ｂを２回→曲Ｄを２回→曲Ｅを２回→曲Ｄを２回→曲Ｈを２回→曲Ｂを２回の順で再生することを指示するものであり、テンポが１２０以上の楽曲を約３０分間再生し、全体として約３０分間の運動を行うようにするものである。
【０１９０】
なお、プリセットされた再生楽曲リストは、例えば、第１の実施の形態の音響再生装置の場合と同様にして、自機において再生可能な音楽データの一覧リストである図２３に示したような再生楽曲情報に基づいて、再生する音楽データと、その再生回数とを順番に入力して、再生楽曲リストをプリプリセットし、所定の記録媒体に記憶保持させておくことができるようにされる。
【０１９１】
図２４〜図２７を用いて説明した複数の再生楽曲リストは、例えば、記録装置部５３やＲＡＭ１３に記憶保持され、これが制御部１０を通じて表示回路３３に供給され、表示部３４の表示画面に再生楽曲候補リストとして表示するようにされる。
【０１９２】
図２８は、複数の再生楽曲リストを使用者に対して提示する場合の再生楽曲候補リストの具体例を説明するための図である。例えば、図２８Ａに示すように、表示部３４の表示画面３４Ｇの最上段部分には表示される情報が再生楽曲候補リストであることを示す表示を表示し、以下に利用可能な再生楽曲リストを一覧表示する態様で表示する。
【０１９３】
ここでは、「リスト１（ヒルモード）」というように、利用可能な各再生楽曲リストのタイトル名と、その再生楽曲リストを構成する音楽データのタイトル、長さ、曲テンポ、再生回数が、再生楽曲リスト毎に表示するようにされる。表示部３４の表示画面３４Ｇの大きさから、表示しきれない再生楽曲リストがある場合には、画面表示をスクロールさせ、その全部を観視することができるようにされる。
【０１９４】
そして、目的とする再生楽曲リストを見つけた場合には、キー操作部４１を通じて操作し、カーソルを目的とする再生楽曲リストのタイトル名などの所定の位置に位置付けて決定操作を行うことにより、目的とする再生楽曲リストを実際に用いる再生楽曲リストとして用いることができるようにされる。
【０１９５】
また、図２８Ｂに示すように、例えば、「リスト１（ヒルモード）」、「リスト２（コンスタントモード）」、「リスト３（ランダムモード）」、「プリセットされたリスト１（ウォーキング３０分用）、「プリセットされたリスト２（ジョギング３０分用）」などの各再生楽曲リストのタイトル名だけを一覧表示し、この中から選択された再生楽曲リストの内容表示を行って、決定したり、選択のし直しを行ったりすることができるようにすることも可能である。
【０１９６】
なお、図２８は再生楽曲候補リストの一例をしめしたものであり、その他の態様、例えば、１画面に利用可能な再生楽曲リストのタイトルと内容を１再生楽曲リスト毎に表示し、キー操作部４１を通じて改ページ操作を受け付けた場合に、利用可能な他の再生楽曲リストを表示するようにするなど、種々の表示態様を用いることが可能である。
【０１９７】
このようにして、図２２に示した処理のステップＳ４０４からステップＳ４０７の処理により選択された再生楽曲リストに基づいて、図２２に示した処理のステップＳ４０８において、音楽データを選択して再生する処理が行われる。
【０１９８】
［再生楽曲リストの内容の変更について］
また、この第２の実施の形態の音響再生装置は、図２２に示した処理のステップＳ４０５において説明したように、選択した再生楽曲リストの内容の修正を行うこともできるようにしている。図２９は、この第２の実施の形態の音響再生装置において行われる再生楽曲リストの内容の修正について説明するための図である。
【０１９９】
図２９において、図２９Ａは、選択され修正の対象となっている再生楽曲リストを示し、図２９Ｂ、Ｃのそれぞれは、修正後の再生楽曲リストの例を示している。例えば、図２９Ａに示すように、利用可能な再生楽曲リストの中から、再生楽曲リスト３（ランダムモード）を選択したとする。
【０２００】
この場合、制御部１０は、選択された再生楽曲リスト３の内容を、表示回路３３を通じて表示部３４の表示画面３４Ｇに表示し、使用者からの内容の修正入力を受け付ける。例えば、図２９Ａに示した再生楽曲リスト（ランダムモード）において、曲Ｇが使用者の好みに合わないものである場合には、図２９Ｂに示すように、曲Ｂを曲Ｉに変更することが可能である。
【０２０１】
具体的には、キー操作部４１の矢印キーなどの操作キーを操作することにより、入れ換える楽曲データについてのタイトルや特性情報の表示欄にカーソルを位置付け、利用可能な他の音楽データを指定する操作を行うことにより、図２９Ｂに示すように、再生楽曲リスト３の曲Ｇを曲Ｉに修正する処理を行うことができるようにされる。
【０２０２】
このような操作を繰り返すことにより、図２９Ｃに示すように、再生する音楽データを入れ換えたり、再生する音楽データの再生順を変更したり、再生回数を変更したりするなどの、一連の修正を行うこともできるようにされている。このように、利用可能な再生楽曲リストの内容の修正を行えるようにしているので、自動生成された再生楽曲リストや予め用意されている再生楽曲リストがある場合には、それらの内容を変更することにより、使用者の使用態様や好みに応じて、既存の再生楽曲リストをアレンジし、自己の使用態様や好みに応じた再生楽曲リストを形成し、これを用いて音楽データを再生することもできるようにしている。
【０２０３】
［運動量表示の具体例について］
また、この第２の実施の形態においても、図２２のステップＳ４１１において算出された運動量は、表示部３４の表示画面に表示して、使用者に対して提供することができる。ステップＳ４１２においては、図１６を用いて説明したように、第１の実施の形態の音響再生装置の場合と同様に、運動時間、歩数、歩行距離、平均速度、消費カロリー、脂肪燃焼量などの情報からなる表示を行うことができるようにしている。
【０２０４】
なお、ここでは、利用可能な運動モードとして、ヒルモード、コンスタントモード、ランダムモードの３つを上げたが、この他の運動モードを定義し、これを用いるようにすることももちろん可能である。
【０２０５】
［目標運動量を用いて自動生成した再生楽曲リストや予め登録された再生楽曲リストを用いて音楽データを再生する場合について］
次に、目標運動量を用いて自動生成した再生楽曲リストや予め登録された再生楽曲リストを用いて音楽データを再生する場合について説明する。図３０は、この第２の実施の形態の音響再生装置において、入力された目標運動量に基づいて、用いる再生楽曲リストを選択し決定すると共に、運動量は再生された音楽データの特性情報を用いて算出する場合の処理について説明するためのフローチャートである。この図３０に示す処理もまた、この第２の実施の形態の音響再生装置の制御部１０によって実行されるものである。
【０２０６】
この第２の実施の形態の音響再生装置において、制御部１０は、まず、キー操作部４１を通じて、使用者の運動量を算出するために必要な使用者の体重、身長（歩幅）、年齢、性別などの個人プロフィール情報のキー入力を受け付けて、これをＲＡＭ１３などに記憶保持する（ステップＳ５０１）。ここで入力される体重や身長などの情報は、消費カロリーや歩行距離（運動距離）などの運動量を算出するために必要な情報であり、年齢や性別は例えば運動終了時の表示などのために必要な情報である。
【０２０７】
次に、音響再生装置の制御部１０は、使用者が運動によって消費しようとする目標消費エネルギー（目標運動量）の入力を受け付けて、これをＲＡＭ１３などに記憶保持する（ステップＳ５０２）。なお、ステップＳ５０２においては、ヒルモード、コンスタントモード、ランダムモードなどの使用者が行おうとする運動モードや、ウォーキング、ジョギング、ランニング、ダッシュ、ブラブラ歩きなどの使用者が行おうとする運動の種類（種別）を入力するように構成することも可能である。
【０２０８】
ステップＳ５０２において使用者からの入力を受け付けて、音響再生装置の制御部１０が取得した運動情報は、詳しくは後述もするように、再生楽曲リストを自動生成する場合において用いられることになる。
【０２０９】
この後、音響再生装置の制御部１０は、再生可能な音楽データのタイトルや、再生時間、テンポ、消費エネルギー、その他、運動により移動可能な距離などの特性情報を取得する（ステップＳ５０３）。タイトル、再生時間、テンポ、消費エネルギー、運動により移動可能な距離などの特性情報は音楽（楽曲）ごとに予め決まる情報である。
【０２１０】
また、消費エネルギーは、当該音楽データを再生することにより放音される音楽に呼応するようにして運動を行った場合においての運動者（使用者）の消費エネルギーを示すものであり、運動により移動可能な距離は、当該音楽データを再生することにより放音される音楽に呼応するようにして運動を行った場合においての運動者（使用者）の移動距離を示すものである。なお、消費エネルギーや使用者の移動距離は、例えば、行う運動の運動強度に応じて複数の異なるものを用いるようにすることが可能とされる。
【０２１１】
そして、ステップＳ５０３においては、この第２の実施の形態の音響再生装置において再生可能な音楽データについての、タイトルや、再生時間、テンポ、消費エネルギーなどの特性情報についても、図２２に示した処理のステップＳ４０３において説明したように、例えば、音楽情報記憶装置部２１の記録媒体（記録メディア）から読み出して取得するようにしたり、また、通信Ｉ／Ｆ６１を介してネットワークに接続し、ネットワーク上のサーバー装置に形成されたデータベースから取得するようにしたりすることが可能である。
【０２１２】
なお、ネットワーク上のデータベースから、この音響再生装置において再生可能な音楽データのタイトルや特性情報を取得する場合には、再生可能な音楽データの識別情報に基づいて検索し、取得することができるようにされる。また、音楽情報記憶装置部２１の記録媒体に記憶保持される音楽データ自身についても、ＣＤ（Compact Disc）などのメディアから取得したり、ネットワーク上のデータベースから取得したりすることができる。
【０２１３】
取得された再生可能な楽曲についてのタイトルや特性情報からなる再生楽曲情報は、ＲＡＭ１３などに一時記憶され、この第２の実施の形態の音響再生装置において利用可能にされる。また、図２３に示すような再生楽曲情報を音楽情報記憶装置部２１の記録媒体に作成しておき、これを読み出してＲＡＭ１３などに一時記憶させることにより利用可能にすることも可能である。
【０２１４】
図３１は、ステップＳ５０３の処理において取得される再生可能な音楽データの一覧リスト（再生楽曲情報）の一例を説明するための図である。図３１に示す例の場合には、再生可能な音楽データのタイトル、その音声データにより再生される音楽の長さ（再生時間）、テンポ、その音楽データを再生することにより得られる音楽に応じて、当該音楽の初めから終わりまで運動した場合の消費エネルギーなどの情報からなるものである。
【０２１５】
図３１に示したように、取得された再生可能な楽曲についてのタイトルや特性情報からなる再生楽曲情報は、ＲＡＭ１３などに一時記憶し、利用可能になる。また、図２３に示すような再生楽曲情報を音楽情報記憶装置部２１の記録媒体に作成しておき、これを読み出してＲＡＭ１３などに一時記憶させることにより利用可能にすることも可能である。
【０２１６】
そして、この第２の実施の形態の音響再生装置の制御部１０は、図３１に示した再生楽曲情報から自動生成するようにした再生楽曲リストや予め用意されている再生楽曲リストを、再生楽曲候補リストとして表示回路３３を制御し表示部３４に表示することにより使用者に提示する（ステップＳ５０４）。
【０２１７】
なお、詳しくは後述するが、ステップＳ５０４において提示される再生楽曲候補リストは、目標運動量等に基づいて、また運動モードを考慮して、例えば、図３２〜図３５に示すような態様で自動生成される再生楽曲リストや図３６に示すような予め用意されている（登録されているもの）である。
【０２１８】
これらの利用可能な再生楽曲リストは、上述もしたように、例えば、音楽情報記憶装置部２１の記録媒体や記憶装置部５３の記録媒体、あるいは、図１においては図示しなかったＥＥＰＲＯＭなどの不揮発性メモリーに記憶保持され、例えば図２８に示すような態様で表示部３４の表示画面に表示され、候補となる再生楽曲リストの全てを使用者に提示したり、あるいは、候補を１つづつ順次に提示したりするようにされる。
【０２１９】
そして、制御部１０は、キー操作部４１を通じて使用者からの再生候補リストの選択入力や、選択された再生候補リストに対する修正入力を受け付け（ステップＳ５０５）、再生候補リストの選択入力や選択された再生楽曲リストに対する変更入力等の使用者からの入力操作が終了したか否かを判断する（ステップＳ５０６）。
【０２２０】
ステップＳ５０６の判断処理において、使用者からの操作入力が終了していないと判断したときには、ステップＳ５０５からの処理を繰り返す。また、ステップＳ５０６の判断処理において、使用者からの操作入力が終了したと判断したときには、選択された再生楽曲リストを、あるいは、選択されて内容が変更された再生楽曲リストを用いる再生楽曲リストとして決定する（ステップＳ５０７）。
【０２２１】
そして、制御部１０は、ステップＳ５０７において決定した再生楽曲リストにしたがって、再生すべき音楽データを順次に音楽情報記憶装置部２１の記録媒体から読み出し、これを音声信号出力処理部２３に供給して、読み出した音楽データに応じた音楽をスピーカから放音するようにする一連の再生処理を開始する（ステップＳ５０８）。このようにして再生される音楽に呼応して（再生される音楽に合わせて）、使用者は運動を開始する。
【０２２２】
次に、制御部１０は、自機の処理状態を監視し、音楽再生中か否かを判断する（ステップＳ５０９）。ステップＳ５０９の判断処理において、音楽の再生中であると判断したときには、再生中の音楽データのタイトル、再生時間、テンポなどの情報（再生楽曲情報）を再生履歴情報として、記録装置部５３の記録媒体に格納するようにし（ステップＳ５１０）、ステップＳ５０９からの処理を繰り返す。
【０２２３】
ステップＳ５０９の判断処理において、制御部１０が、音楽データの再生が終了したと判断したときには、制御部１０は、運動情報解析回路２３を制御し、ステップＳ５１０において記憶装置部５３の記録媒体に記録した再生履歴情報と、ステップＳ５０１、ステップＳ５０２の処理において取得し、ＲＡＭ１３に一時記憶した使用者の体重、身長、年齢、性別などからなる個人プロフィール情報や運動情報に基づいて、使用者が行った運動の運動量を算出する（ステップＳ５１１）。なお、このステップＳ５１１においては、第１の実施の形態の音響再生装置の場合と同様に、図６〜図１４を用いて説明したようにして、使用者が行った運動の運動量を算出する。
【０２２４】
そして、制御部１０は、表示回路３３を制御し、ステップＳ５１１で求めた使用者の運動量を示す情報等を表示部３４の表示画面に表示して（ステップＳ５１２）、この図３０に示す処理を終了する。このステップＳ５１２においては、詳しくは後述するが、例えば、図３８に示すような態様で使用者に対して当該使用者が行った運動の運動量が通知されることになる。
【０２２５】
［再生楽曲リストの具体例について］
次に、図３０に示した処理のステップＳ５０４において使用者に提示される再生楽曲リストの具体例と、その提供例について図３２〜図３６を参照しながら説明する。上述もしたように、図３０に示したステップＳ５０４においては、自動生成された再生楽曲リストや予め用意された再生楽曲リストなどの利用可能な複数の再生楽曲リストが、表示部３４の表示画面に表示されることにより使用者に対して提示される。
【０２２６】
そして、図３２〜図３５は、この第２の実施の形態の音響再生装置において、図３０に示した処理のステップＳ５０１において取得した個人プロフィール情報とステップＳ５０２において取得した運動情報（この例においては目標運動量（目標消費カロリー））とに基づいて、図３１に示した再生楽曲情報から自動生成するようにされた再生楽曲リストの例を説明するための図であり、図３６は、予め用意される再生楽曲リストの一例を説明するための図である。
【０２２７】
まず、個人プロフィール情報と目標運動量とに基づいて自動生成される再生楽曲リストについて説明する。この場合、個人プロフィール情報は、必要以上に大きな負荷を使用者にかけないようにするために、利用可能な曲テンポや運動を行う時間に相当する音楽データの総再生時間を制限する場合に用いられる。また、目標運動量は、当該目標運動量の運動を行えるようにする再生楽曲リストを形成する際のターゲット値となるものである。
【０２２８】
そして、図３０に示す処理のステップＳ５０４においては、図２２に示した処理のステップＳ４０４と同様に、音響再生装置が取得した使用者の個人プロフィール情報と目標運動量とに基づくと共に、ヒルモード、コンスタントモード、ランダムモード等の運動モードをも考慮して、利用可能な複数の再生楽曲リストを自動生成するようにしている。
【０２２９】
そして、図３２Ａは、この第２の実施の形態の音響再生装置において、取得した個人プロフィール情報と目標運動量とに基づいて、ヒルモードで運動を行うようにするために自動生成される再生楽曲リスト１を説明するための図である。ここで、ヒルモードは、図３２Ｂに示すように、時間の経過にしたがって、運動の負荷が徐々に増加していき、運動の負荷が所定値に達した後においては、運動の負荷を徐々に軽減して行くようにするモードである。
【０２３０】
そして、図３２Ａに示す再生楽曲リスト１は、図３１に示した再生楽曲情報から形成され、曲Ａ（長さ：１分１１秒、テンポ：１００、消費エネルギー：１０ｋｃａｌ）、曲Ｂ（長さ：３分３３秒、テンポ：１０５、消費エネルギー：２５ｋｃａｌ）、曲Ｃ（長さ：２分２２秒、テンポ：１２０、消費エネルギー：３０ｋｃａｌ）、曲Ｄ（長さ：２分３０秒、テンポ：１４５、消費エネルギー：３５ｋｃａｌ）、曲Ｅ（長さ：１分５０秒、テンポ：１８０、消費エネルギー：３０ｋｃａｌ）、曲Ｆ（長さ：３分００秒、テンポ：８０、消費エネルギー：１５ｋｃａｌ）の６曲の音楽データを利用するものである。
【０２３１】
具体的には、図３２Ａに示す再生楽曲リスト１は、曲Ａを５回（５０ｋｃａｌ）→曲Ｂを１回（３０ｋｃａｌ）→曲Ｃを１回（２５ｋｃａｌ）→曲Ｄを１回（３５ｋｃａｌ）→曲Ｅを８回（２４０ｋｃａｌ）→曲Ｂを２回（７５ｋｃａｌ）→曲Ｃを１回（３０ｋｃａｌ）→曲Ｆを１回（１５ｋｃａｌ）の順で再生することを指示するものであり、全体として５００ｋｃａｌの熱エネルギーを消費する運動を行うようにするものである。
【０２３２】
また、図３３Ａは、この第２の実施の形態の音響再生装置において、取得した個人プロフィール情報と運動情報とに基づいて、コンスタントモードで運動を行うようにするために自動生成される再生楽曲リスト２を説明するための図である。ここで、コンスタントモードは、図３３Ｂに示すように、運動の負荷を常に一定とするモードである。
【０２３３】
そして、図３３Ａに示す再生楽曲リスト２は、図３１に示した再生楽曲情報から形成され、曲Ａ（長さ：１分１１秒、テンポ：１００、消費エネルギー：１０ｋｃａｌ）を５０回連続して再生することを指示するものであり、全体として５００ｋｃａｌの熱エネルギーを消費する運動を行うようにするものである。
【０２３４】
また、図３４Ａは、この第２の実施の形態の音響再生装置において、取得した個人プロフィール情報と運動情報とに基づいて、ランダムモードで運動を行うようにするために自動生成される再生楽曲リスト３を説明するための図である。ここで、ランダムモードは、図３４Ｂに示すように、時間の経過にしたがって、運動の負荷がランダムに変化するモードである。
【０２３５】
そして、図３４Ａに示す再生楽曲リスト３は、図３１に示した再生楽曲情報から形成され、曲Ａ（長さ：１分１１秒、テンポ：１００、消費エネルギー：１０ｋｃａｌ）、曲Ｂ（長さ：３分３３秒、テンポ：１０５、消費エネルギー：３０ｋｃａｌ）、曲Ｅ（長さ：１分５０秒、テンポ：１８０、消費エネルギー：３０ｋｃａｌ）、曲Ｆ（長さ：３分００秒、テンポ：８０、消費エネルギー：１５ｋｃａｌ）の４曲の音楽データを利用し、曲Ａを３回（３０ｋｃａｌ）→曲Ｅを３回（９０ｋｃａｌ）→曲Ｂを３回（９０ｋｃａｌ）→曲Ｅを５回（１５０ｋｃａｌ）→曲Ｂを５回（１２５ｋｃａｌ）→曲Ｆを１回（１５ｋｃａｌ）の順で再生することを指示するものであり、全体として５００ｋｃａｌの熱エネルギーを消費する運動を行うようにするものである。
【０２３６】
また、図３５Ａは、この第２の実施の形態の音響再生装置において、取得した個人プロフィール情報と運動情報とに基づいて、複合モードで運動を行うようにするために自動生成される再生楽曲リスト４を説明するための図である。ここで、複合モードは、図３５Ｂに示すように、時間の経過にしたがって、軽い負荷の運動を行って時間行った後に、重い負荷の運動を一定時間行い、最後に身体を自然にクールダウンさせるために軽い負荷の運動を一定時間行うというように、負荷の異なる運動を複合して行うようにするモードである。
【０２３７】
そして、図３５Ａに示す再生楽曲リスト４は、図３１に示した再生楽曲情報から形成され、曲Ｃ（長さ：２分２２秒、テンポ：１２０、消費エネルギー：２５ｋｃａｌ）、曲Ｅ（長さ：１分５０秒、テンポ：１８０、消費エネルギー：３０ｋｃａｌ）、曲Ｆ（長さ：３分００秒、テンポ：８０、消費エネルギー：１５ｋｃａｌ）の３曲の音楽データを利用し、曲Ｃを５回（１２５ｋｃａｌ）→曲Ｅを１０回（３００ｋｃａｌ）→曲Ｆを５回（７５ｋｃａｌ）の順で再生することを指示するものであり、全体として５００ｋｃａｌの熱エネルギーを消費する運動を行うようにするものである。
【０２３８】
このように、この第２の実施の形態の音響再生装置においては、図３２〜図３５に示したように、音響再生装置が取得した個人プロフィール情報と運動情報とに基づくと共に、複数の運動モードに応じた複数の再生楽曲リストが自動生成することができるようにされている。なお、再生楽曲リストの自動生成は、図３０に示した処理のステップＳ５０４において、または、その前段において行うようにしておけばよい。
【０２３９】
次に、予め用意しておく（予め登録しておく）再生楽曲リスト、換言すればプリセットされた再生楽曲リストについて説明する。図３６は、プリセットされた再生楽曲リストの一例を説明するための図である。プリセットされた再生楽曲リストは、この第２の実施の形態の音響再生装置によって再生される楽曲に合わせて運動を行う使用者が、自己の使用態様や好みなどに応じて予め登録したものである。
【０２４０】
例えば、図３６に示すように、運動モードとしてランダムモードを用い、５００ｋｃａｌの熱エネルギーを消費するようにする再生楽曲リストを用意しておくことにより、これを用いて音楽データを再生して運動を行うことができるようにされる。図３６に示す例の場合には、曲Ａ（長さ：１分１１秒、テンポ：１００、消費カロリー：１０ｋｃａｌ）、曲Ｂ（長さ：３分３３秒、テンポ：１０５、消費カロリー：３０ｋｃａｌ）曲Ｅ（長さ：１分５０秒、テンポ：１８０、消費カロリー：３０ｋｃａｌ）、曲Ｆ（長さ：３分００秒、テンポ：８０）の４曲の音楽データを利用し、曲Ａを５回（５０ｋｃａｌ）→曲Ｅを２回（６０ｋｃａｌ）→曲Ｂを３回（９０ｋｃａｌ）→曲Ｅを７回（２１０ｋｃａｌ）→曲Ｂを３回（７５ｋｃａｌ）→曲Ｆを１回（８０ｋｃａｌ）の順で再生することを指示するものであり、ランダムモードで運動を行って、熱エネルギーを５００ｋｃａｌ消費することができる運動を行うようにするものである。
【０２４１】
図３２〜図３６を用いて説明した複数の再生楽曲リストは、例えば、記録装置部５３やＲＡＭ１３に記憶保持され、これが制御部１０を通じて表示回路３３に供給され、表示部３４の表示画面に再生楽曲候補リストとして表示するようにされる。この場合、複数の再生楽曲候補リストの使用者への提示は、例えば、図２８Ａに示したように、表示部３４の表示画面３４Ｇの最上段部分には表示される情報が再生楽曲候補リストであることを示す表示を表示し、以下に利用可能な再生楽曲リストを一覧表示する態様で表示する。
【０２４２】
ここでは、「リスト１（ヒルモード）」というように、利用可能な各再生楽曲リストのタイトル名と、その再生楽曲リストを構成する音楽データのタイトル、長さ、曲テンポ、再生回数が、再生楽曲リスト毎に表示するようにされる。表示部３４の表示画面３４Ｇの大きさから、表示しきれない再生楽曲リストがある場合には、画面表示をスクロールさせ、その全部を観視することができるようにされる。
【０２４３】
そして、目的とする再生楽曲リストを見つけた場合には、キー操作部４１を通じて操作し、カーソルを目的とする再生楽曲リストのタイトル名などの所定の位置に位置付けて決定操作を行うことにより、目的とする再生楽曲リストを実際に用いる再生楽曲リストとして用いることができるようにされる。
【０２４４】
また、図２８Ｂに示したように、例えば、「リスト１（ヒルモード）」、「リスト２（コンスタントモード）」、「リスト３（ランダムモード）」、「プリセットされたリスト１（ランダム５００ｋｃａｌ用）」などの各再生楽曲リストのタイトル名だけを一覧表示し、この中から選択された再生楽曲リストの内容表示を行って、決定したり、選択のし直しを行ったりすることができるようにすることも可能である。もちろん、その他の表示態様で表示するようにしてもよい。
【０２４５】
このようにして、図３０に示した処理のステップＳ５０４からステップＳ５０７の処理により選択された再生楽曲リストに基づいて、図３０に示した処理のステップＳ５０８において、音楽データを選択し再生する処理が行われる。
【０２４６】
［再生楽曲リストの内容の変更について］
また、この第２の実施の形態の音響再生装置は、図３０に示した処理のステップＳ５０５において説明したように、選択した再生楽曲リストの内容の修正を行うこともできるようにしている。図３７は、この第２の実施の形態の音響再生装置において行われる再生楽曲リストの内容の修正について説明するための図である。
【０２４７】
図３７において、図３７Ａは、選択され修正の対象となっている再生楽曲リストを示し、図３７Ｂは、修正後の再生楽曲リストの例を示している。例えば、図３７Ａに示すように、利用可能な再生楽曲リストの中から、再生楽曲リスト３（ランダムモード）を選択したとする。
【０２４８】
この場合、制御部１０は、選択された再生楽曲リスト３の内容を、表示回路３３を通じて表示部３４の表示画面３４Ｇに表示し、使用者からの内容の修正入力を受け付ける。例えば、図３７Ａに示した再生楽曲リスト（ランダムモード）において、３番目に再生される楽曲を曲Ｂから曲Ｈに変更するなどのことが可能である。
【０２４９】
具体的には、キー操作部４１の矢印キーなどの操作キーを操作することにより、入れ換える楽曲データについてのタイトルや特性情報の表示欄にカーソルを位置付け、利用可能な他の音楽データを指定する操作を行うことにより、図３７Ｂに示すように、再生楽曲リスト３の３番目の曲Ｂを曲Ｈに修正する処理を行うことができるようにされる。
【０２５０】
もちろん、このような操作を繰り返すことにより、再生する音楽データを入れ換えたり、再生する音楽データの再生順を変更したり、再生回数を変更したりするなどの、一連の修正を行うこともできるようにされている。このように、利用可能な再生楽曲リストの内容の修正を行えるようにしているので、自動生成された再生楽曲リストや予め用意されている再生楽曲リストがある場合には、それらの内容を変更することにより、使用者の使用態様や好みに応じて、既存の再生楽曲リストをアレンジし、自己の使用態様や好みに応じた再生楽曲リストを形成し、これを用いて音楽データを再生することもできるようにしている。
【０２５１】
［運動量表示の具体例について］
そして、図３０に示した処理においても、ステップＳ５１１において算出された運動量は、表示部３４の表示画面に表示して、使用者に対して提供することができる。ステップＳ５１２においては、図３８に示すように、目標消費カロリー、運動時間、歩行距離、平均速度、消費カロリー、脂肪燃焼量などの情報からなる表示を行うことができるようにしている。
【０２５２】
なお、図３０〜図３８を用いて説明した目標運動量を考慮して再生楽曲リストを自動生成する場合においては、利用可能な運動モードとして、ヒルモード、コンスタントモード、ランダムモードの他に、図３５を用いて説明した複合モードをも利用できるものとして説明した。この複合モードは、目標運動量に基づいて再生楽曲リストを自動生成する場合だけでなく、図２２〜図２９を用いて説明した個人プロフィール情報や運動情報に基づいて再生楽曲リストを自動生成する場合においても用いることができる。
【０２５３】
また、図２２〜図２９を用いて説明した個人プロフィール情報や運動情報に基づいて再生楽曲リストを自動生成する場合においても、また、図３０〜図３８を用いて説明した目標運動量を考慮して再生楽曲リストを自動生成する場合においても、ヒルモード、コンスタントモード、ランダムモード、複合モードの他、これらの各モードを組み合わせた運動モードやその他の種々の新たな運動モードを用いるようにすることも可能である。
【０２５４】
このように、この第２の実施の形態の音響再生装置においては、自動生成される再生楽曲リストや予め登録された再生楽曲リストなど、複数の再生楽曲リストを用いることができるようにされているので、使用者が運動を開始する直前において、再生する複数の音楽データを指示する操作を行うひつようを無くすことができる。
【０２５５】
そして、使用者は、自分が行おうとする運動に対して適した再生楽曲リストを選択することにより、一連の音楽データを再生し、これによって使用者が行う運動を誘導することができるので、使用者は目的とする運動を無理なく、確実に行うことができるようにされる。
【０２５６】
また、使用しようとした再生楽曲リストの一部の音楽データが、運動に不向きなものであったり、あるいは、使用者の好みでなかったりする場合には、再生楽曲リストの修正を行って、使用者の用途や好みに応じた音楽データの再生を行うことが可能な再生楽曲リストに作り変え、これを利用することもできる。
【０２５７】
また、第１の実施の形態の音響再生装置と同様に、使用者が行った運動量情報を使用者に提示することができるので、運動を継続しておこなうことの動機付けを提供することができ、ある程度の時間継続して行う必要のある運動を無理なく継続させることができ、しかも楽しく運動を行うようにすることができる。また、再生履歴情報、個人プロフィール情報、運動量情報を、使用者個人専用として用いられる音響再生装置側で管理することができるので、使用者の個人情報を安全性高く管理することも可能である。
【０２５８】
また、この第２の実施の形態の音響再生装置もまた、記憶装置部５３を備えているため、上述もしたように、この記憶装置部５３に個人プロフィール情報、運動量情報、再生楽曲情報等を保存しておき、これを後で取り出して、種々の解析を行うようにすることもできる。
【０２５９】
また、目標とする消費エネルギーなどの情報を入力することにより、どのくらいの運動が必要であるかが、再生する音楽データの消費カロリーを基準として、再生する音楽データとその再生回数とによって示すことができるようにされる。この示された音楽データについて、示された通りに再生し、再生することにより得られる音楽に合わせてウォーキングやジョギングなどの運動を行うことにより、再生対象の音楽データの全てが示された回数分再生された場合には、使用者は目標とした消費カロリー分の運動が終了していることになる。すなわち、使用者は再生される音楽に合わせて運動することにより、無理なく、目標量の運動を行うことができるようにされる。
【０２６０】
なお、図２２、図３０のフローチャートを用いて説明した処理を実行するプログラムを作成し、これを種々の音響再生装置に搭載することによって、この発明の音響再生装置を比較的に簡単に実現することができる。
【０２６１】
また、上述した第２の実施の形態においては、制御部１０と表示回路３３及び表示３４とが協働することにより、提示手段を実現し、また、キー操作部４１と制御部１０とが協働することにより、選択入力受付手段、修正入力受付手段を実現し、主に制御部１０が修正手段としての機能を実現するようにしている。
【０２６２】
また、この第２の実施の形態においても、運動量情報や目標運動量情報は、消費カロリーの他、運動時間、運動強度、運動距離、脂肪燃焼量などであってももちろんよい。例えば、目標運動量情報として、運動時間を用いる場合、運動を継続したい時間（運動時間）を目標運動量情報として入力することにより、その入力された時間情報分の再生時間を有するように、音声データを選択することができる。脂肪燃焼量を目標運動量情報とした場合にも、入力された脂肪燃焼量を実現できるように、再生すべき音声データを選択し、決定することができるようにされる。
【０２６３】
また、再生すべき音楽データを選択して決定する場合、再生すべき音楽データの種類（ジャンル）、テンポ、組み合わせ、繰り返しの回数などを自動的に決定することも可能である。例えば、音楽データの特性情報にジャンルを示す情報を付加しておくことにより、目標運動量に応じて適したジャンルの音楽データを選択することが可能である。テンポ、組み合わせ、繰り返しの回数などについても、目標運動量に基づいて、自動的に決定することも可能である。
【０２６４】
また、図２３、図３１に示した再生楽曲情報において、例えば、行う運動ごとの消費エネルギーなどの運動の強度に関する情報を持つことにより、行う運動毎に詳細な処理が可能となる。行う運動としては、ウォーキング、ジョギング、ランニング、縄跳びなどの種目の別や、運動の速度などに応じて、運動強度を定めておくことが可能である。
【０２６５】
また、上述もしたように、再生可能な楽曲データは、例えば、ＣＤ（Compact Disc）やＭＤ（Mini Disc（登録商標））、カードメモリーなどの記録媒体に記録された状態で提供を受け、これを音楽情報記憶装置部２１に装填し、読み出して再生することが可能である。また、通信Ｉ／Ｆ６１や送受信回路６２などを通じて、通信によりネットワーク上のサーバーや無線ＬＡＮ経由で取得し、音楽情報記録装置部２１の記録媒体に記録して再生するようにすることも可能である。また、外部端子５１に接続される外部機器からの音楽データを直接に再生するようにしたり、一度、音楽情報記録装置部２１の記録媒体に記録して再生したりするようにすることも可能である。
【０２６６】
また、上述もしたように、再生可能な音楽データの再生時間、テンポ、運動強度に応じた消費カロリーなどの音楽データに対する特性情報は、音楽データと共に記録媒体に記録されて提供されたり、あるいは、音楽データと共に、または、音楽データとは別に、インターネットなどの広域ネットワークや無線ＬＡＮ経由で、あるいは、外部端子５１に接続された外部機器から提供を受けたりすることができる。また、音楽データとこれに対応する特性情報とは、例えば、音楽データの識別情報（識別ＩＤ）によって対応付けられていれば、別々に取得することが可能である。
【０２６７】
なお、上述した第２の実施の形態の音響再生装置は、携帯用の音楽再生機器であるものとして説明したが、具体的には、ハードディスクプレーヤ、ＭＤ（登録商標）プレーヤ、携帯電話などの種々に適用可能である。また、この発明は携帯用の機器として実現することに適したものであるが、小型化が可能である点にかんがみ、例えば、種々のフィットネスマシンに搭載するなどして、据え置き型の形態で利用できるようにすることも可能である。
【０２６８】
［第３の実施の形態］
この発明は、例えば、ウォーキング、ジョギング、ランニング、ダッシュなどといった運動を行う使用者を支援するものであり、運動を行う使用者によって携帯される携帯型の音響再生装置に適用して好適なものである。しかし、携帯型の音響再生装置といっても、種々の大きさのものがあり、また、キー操作部の構成も様々に考えられる。
【０２６９】
そこで、この第３の実施の形態においては、この発明が適用される携帯型の音響再生装置の外観、さらにはキー操作部の構成や情報の提示態様などといった、使用者からの情報を受け付け部分や使用者に対して情報を提示する部分などのいわゆるユーザインターフェースに関する部分の構成をより明確にする。
【０２７０】
なお、この第３の実施の形態の音響再生装置もまた、第１、第２の実施の形態の音響再生装置と同様に、携帯型のものであり、その内部構成は、図１を用いて説明した第１の実施の形態の音響再生装置と同様に構成されるものである。このため、この第３の実施の形態においても、音響再生装置の内部構成は図１の構成を有するものとし、記録媒体としては、ハードディスクまたは半導体メモリーを用いるものとして、図１をも参照しながら説明することとする。
【０２７１】
［音響再生装置の外観について］
図３９は、この第３の実施の形態の音響再生装置が取り得る代表的な外観の例を説明するための図である。この第３の実施の形態の音響再生装置が取り得る外観の大きさは、使用者の胸ポケットに入る程度以下の大きさであり、使用者の手のひらに納まる程度以下の大きさとなる。
【０２７２】
したがって、この第３の実施の形態の音響再生装置の大きさは、大きくても図３９Ａ、Ｂに示すように、使用者の胸ポケットに入る程度の大きさとなり、小さい場合には、図３９Ｃに示すように、板状に形成されたチューイングガムを複数枚重ねた程度、あるいは、それよりやや大きい程度の大きさとなる。もちろん、技術の進歩により、更なる小型化や薄型化、軽量化の可能性もある。
【０２７３】
そして、図３９Ａ、Ｂのそれぞれは、使用者の胸ポケットに入る程度の大きさに構成した場合のこの第３の実施の形態の音響再生装置の外観を示しており、図３９Ａに示すように音響再生装置の長手方向を使用者に対して上下方向として使用する縦型のものと、図３９Ｂに示すように音響再生装置の長手方向を使用者に対して左右方向として使用する横型のものとが考えられる。
【０２７４】
そして、図３９Ａ、Ｂに示すように、使用者と対向することとなる音響再生装置の面（前面）には、ＬＣＤなどの表示部の表示画面とキー操作部が設けられる。図３９Ａに示すように、縦型の音響再生装置の場合には、表示画面３４Ｇの下側部分にキー操作部４１が設けられる。もちろん、表示画面３４Ｇとキー操作部４１との位置関係を図３９Ａの場合とは逆にすることもできる。また、縦型の音響再生装置の場合には、表示画面３４Ｇを音響再生装置の前面の中央部分に配置し、その上側部分と下側部分との２つの部分にキー操作部４１を分けて設けるようにすることも可能である。
【０２７５】
また、図３９Ｂに示すように、横型の音響再生装置の場合には、表示画面３４Ｇの横側部分にキー操作部４１が設けられる。もちろん、表示画面３４Ｇとキー操作部４１との位置を逆にすることも可能である。すなわち、表示画面３４Ｇとキー操作部４１とのうち、いずれかを右側に配置すれば、他方は左側に配置することになる。また、横型の音響再生装置の場合においても、表示画面３４Ｇを音響再生装置の前面の中央部分に配置し、その右側部分と左側部分との２つの部分にキー操作部４１を分けて設けるようにすることも可能である。
【０２７６】
また、キー操作部４１としては、図３９Ａに示すように、押下操作が可能ないわゆる「ボタンキー」のみで構成したり、図３９Ｂに示すように、ダイヤル部４１Ｄを有し、ダイヤル部４１Ｄ上を指などでなぞる操作と、ダイヤル部４１Ｄ上の所定の位置の押下操作とが可能なダイヤルとで構成したりすることが可能である。なお、ダイヤル部４１Ｄは、ダイヤル部４１Ｄ自体を機械的に回動操作が可能なものとすることも可能である。
【０２７７】
また、図３９Ｃのように極めて小型に構成した場合には、図３９Ａ、Ｂのように音響再生装置の前面にキー操作部４１を設けることができないので、図３９Ｃに示すように、音響再生装置の側面部分に回動操作が可能なダイヤルをキー操作部４１として設けるようにすれば良い。
【０２７８】
また、キー操作部４１としては、回動操作と押下操作とが可能ないわゆるジョグダイヤルやいわゆるジョイスティックなどと呼ばれる操作レバーなどを用いるようにしてもよい。また、音響再生装置が図３９Ａ、Ｂに示したように、表示部の表示画面３４Ｇが比較的に大きな表示領域を有するものである場合には、その表示画面３４Ｇにタッチパネルを貼付し、表示画面３４Ｇに表示される情報とタッチパネルとによってキー操作部４１を構成するようにしてもよい。
【０２７９】
そして、図３９を用いて説明した種々のキー操作部を設けることにより、使用者の名前などの文字や各種の数字、記号などの入力や、カーソルの移動、項目の選択など種々の情報の入力が可能となる。例えば、文字入力の場合には、各ボタンキーに文字を割り当てておいておくことにより、少ない数のボタンキーによって文字入力を行うことが可能である。また、ダイヤルキーを用いる場合には、ダイヤル部をなぞる操作やダイヤル部を回動操作することにより、文字の選択を可能にし、所定のボタンキーの押下操作、あるいは、ダイヤル部の押下操作を決定操作とすることにより、文字の入力が可能となる。
【０２８０】
なお、図３９に示したものは、外観や操作部の構成例を示したものである。したがって、音響再生装置は図３９に示したものの他にも種々の大きさや形状のものが考えられる。また、キー操作部についても、図３９に示したものに限るものではない。例えば、図３９Ａ、３９Ｂに示した例の場合には、さらに側面部分にダイヤルやジョグダイヤル、あるいは、ボタンキー等を設けることもできる。すなわち、キー操作部としては、ボタンキー、ダイヤル、ジョグダイヤル、タッチパネル、ジョイスティック、スライド式の操作スイッチなどの種々の操作部を組み合わせて構成することができる。
【０２８１】
［音響再生装置の動作について］
次に、この第３の実施の形態の音響再生装置の動作について、図４０、図４１のフローチャートを参照しながら説明する。なお、必要において、図４２〜図６０をも用いて、この第３の実施の形態の音響再生装置の動作について説明するが、図４２〜図６０の入力画面や確認画面の詳細については、図４０、図４１を用いたこの第３の実施の形態の音響再生装置の動作の説明の後に別途詳細に説明する。
【０２８２】
なお、この第３の実施の形態の音響再生装置もまた、その構成は、図１を用いて説明した第１の実施の形態の音響再生装置と同様に構成されるものである。このため、この第３の実施の形態においても、音響再生装置は図１の構成を有するものとして、図１をも参照して説明することとする。
【０２８３】
また、この第３の実施の形態の音響再生装置は、第２の実施の形態の音響再生装置の場合と同様に、個人プロフィール情報等を用いて自動生成した再生楽曲リストや予め登録された再生楽曲リストを用いて音声データを再生するモードと、目標運動量を用いて自動生成した再生楽曲リストや予め登録された再生楽曲リストを用いて音楽データを再生するモードとを備えたものである。
【０２８４】
図４０、図４１は、この第３の実施の形態の音響再生装置を使用して運動をした際に、運動量を再生楽曲データから求める場合の制御フローを示したものである。この図４０、図４１に示す処理もまた、主に制御部１０において実行されるものである。
【０２８５】
この第３の実施の形態の音響再生装置においても、制御部１０は、まず、図４２に示す入力画面等を通じて、キー操作部４１を通じて入力される運動量を算出するために必要な使用者の体重、身長（歩幅）などの個人プロフィール情報のキー入力を受け付けて、これをＲＡＭ１３などに記憶保持する（ステップＳ６０１）。
【０２８６】
次に、音響再生装置の制御部１０は、図４３に示す入力画面等を通じて、再生楽曲リストの利用モード、すなわち、個人プロフィール情報等に応じて再生楽曲リストを生成するモードか、目標運動量に応じて再生楽曲リストを生成するモードかの選択入力を受け付ける（ステップＳ６０２）。そして、音響再生装置の制御部１０は、目標運動量に応じて再生楽曲リストを生成するモードが選択されたか否かを判断する（ステップＳ６０３）。
【０２８７】
ステップＳ６０３の判断処理において、目標運動量に応じて再生楽曲リストを生成するモードは選択されていないと判断したときには、制御部１０は、個人プロフィール情報等に応じて再生楽曲リストを生成するモードが選択されたと判断し、個人プロフィール情報等に応じて再生楽曲リストを生成するモードを用いることを決定する（ステップＳ６０４）。また、ステップＳ６０３の判断処理において、目標運動量に応じて再生楽曲リストを生成するモードが選択されたと判断したときには、制御部１０は、目標運動量に応じて再生楽曲リストを生成するモードを用いることを決定する（ステップＳ６０５）。
【０２８８】
そして、制御部１０は、ステップＳ６０４またはステップＳ６０５において決定した再生楽曲リストの利用モードに応じて、使用者からの運動情報の入力を受け付ける（ステップＳ６０６）。このステップＳ６０６における処理を具体的に説明すると、ステップＳ６０４において、個人プロフィール情報等に応じて再生楽曲リストを生成するモードを用いることを決定した場合には、制御部１０は、図４４に示す入力画面等を通じて、使用者が行おうとする運動の種類（種別）等の情報のキー入力を受け付け、これをＲＡＭ１３などに記憶保持する処理をステップＳ６０６において行う。
【０２８９】
また、ステップＳステップＳ６０５において、目標運動量に応じて再生楽曲リストを生成するモードを用いることを決定した場合には、制御部１０は、図４５に示す入力画面等を通じて、目標運動量等の情報のキー入力を受け付け、これをＲＡＭ１３などに記憶保持する処理をステップＳ６０６において行う。なお、この場合、必要に応じて、使用者が行おうとする運動モードや運動の種類などの情報の入力を受け付けるようにすることも可能である。
【０２９０】
この後、制御部１０は、ステップＳ６０４またはステップＳ６０５において決定した再生楽曲リストの利用モードに応じて、再生可能な音楽データの一覧リスト（再生楽曲情報）を取得する（ステップＳ６０７）。ステップＳ６０４において、個人プロフィール情報等に応じて再生楽曲リストを生成するモードを用いることを決定した場合には、ステップＳ６０７においては、図４８に示すように、再生可能な音楽データのタイトルや、長さ（再生時間）、曲テンポといった音楽データの特性情報が取得され、一覧表にまとめられる。
【０２９１】
また、ステップＳステップＳ６０５において、目標運動量に応じて再生楽曲リストを生成するモードを用いることを決定した場合には、ステップＳ６０７においては、図４９に示すように、再生可能な音楽データのタイトルや、長さ（再生時間）、曲テンポ、消費エネルギーといった音楽データの特性情報が取得され、一覧表にまとめられる。
【０２９２】
なお、図４８や図４９に示した再生楽曲情報は、一覧表示するなどして、使用者に提供し、この第３の実施の形態の音響再生装置において再生可能な音楽データとしてはどのようなものがあるかを使用者に通知するようにすることも可能である。
【０２９３】
また、再生楽曲情報の取得は、上述した第１、第２の実施の形態の音響再生装置の場合と同様に、メディアに書かれている情報から取得したり、ネットワーク上のデータベースから取得したり、また、外部端子５１に接続される外部機器から取得したりするなどのことができるようにされる。
【０２９４】
次に音響再生装置の制御部１０は、自動生成したり、予め登録されたりした利用可能な複数の再生楽曲リストを表示部３４の表示画面３４Ｇに表示して使用者に提示する（ステップＳ６０８）。このステップＳ６０８における処理を具体的に説明すると、例えば、ステップＳ６０４において、個人プロフィール情報等に応じて再生楽曲リストを生成するモードを用いることを決定した場合には、制御部１０は、制御部１０は、表示回路３３を通じて表示部３４の表示画面３４Ｇに、図５０に示すように、自動生成されや再生楽曲リスト（図においてはプレイリストと記載。）提示したり、あるいは、図５１に示すように、予め登録された再生楽曲リスト（図においてはプレイリストと記載。）を提示したりする。
【０２９５】
また、ステップＳ６０４において、目標運動量に応じて再生楽曲リストを生成するモードを用いることを決定した場合には、図５７に示すように、自動生成された再生楽曲リスト（図においてはプレイリストと記載。）を提示したり、あるいは、図５８に示すように、予め登録された再生楽曲リスト（図においてはプレイリストと記載。）を提示したりする。
【０２９６】
この後、制御部１０は、利用する再生楽曲リスト（プレイリスト）の選択や、図５６、図５９に示すように、選択した再生楽曲リストの修正を受け付けたりする（ステップＳ６０９）。そして、音響再生装置の制御部１０は、用いる再生楽曲リスト（プレイリスト）の選択や修正が終了したか否かを判断し（ステップＳ６１０）、終了していないと判断したときには、ステップＳ６０９からの処理を繰り返す。
【０２９７】
また、ステップＳ６１０の判断処理において、再生楽曲リストの選択や修正が終了したと判断したときには、制御部１０は、図４１に示す処理に進み、まず、ステップＳ６１０において選択されたり修正されたりした再生楽曲リスト（プレイリスト）を、実際に用いる再生楽曲リストとして決定し（ステップＳ６１１）、その決定した再生楽曲リストに従って音楽データの再生を開始する（ステップＳ６１２）。これに応じて、すなわち、再生される音声データに応じて使用者も運動を開始することになる。
【０２９８】
そして、制御部１０は、自機の処理状態を監視し、音楽再生中か否かを判断する（ステップＳ６１３）。ステップＳ６１３の判断処理において、音楽の再生中であると判断したときには、再生中の音楽データのタイトル、再生時間、テンポなどの情報（再生楽曲情報）を再生履歴情報として、記録装置部５３の記録媒体に格納するようにし（ステップＳ６１４）、ステップＳ６１３からの処理を繰り返す。
【０２９９】
ステップＳ６１３の判断処理において、制御部１０が、音楽データの再生が終了したと判断したときには、制御部１０は、運動情報解析回路２３を制御し、ステップＳ６１４において記憶装置部５３の記録媒体に記録した再生履歴情報と、ステップＳ６０１、ステップＳ６０６の処理において取得し、ＲＡＭ１３に一時記憶した使用者の体重、身長、年齢、性別などからなる個人プロフィール情報や運動情報に基づいて、使用者が行った運動の運動量を算出する（ステップＳ６１５）。なお、このステップＳ６１５においては、第１の実施の形態の音響再生装置の場合と同様に、図６〜図１４を用いて説明したようにして、使用者が行った運動の運動量を算出する。
【０３００】
そして、制御部１０は、表示回路３３を制御し、ステップＳ６１５で求めた使用者の運動量を示す情報等を表示部３４の表示画面に表示して（ステップＳ６１６）、この図４０、図４１に示す処理を終了する。このステップＳ６１６においては、例えば、第１の実施の形態において説明した図１６、図２０に示すような態様で使用者に対して当該使用者が行った運動の運動量が通知される。
【０３０１】
［入力画面等の具体例について］
次に、図４０、図４１を用いて説明した処理において用いられる入力画面等の具他例について詳細に説明する。
【０３０２】
［個人プロフィール情報の入力画面］
図４２は、図４０に示したステップＳ６０１において用いられる個人プロフィール情報の入力画面と確認画面との一例を説明するための図である。図４０に示した処理が実行されると、制御部１０は、ステップＳ６０１において、表示回路３３を制御し、図４２Ａに示す個人プロフィール情報の入力画面を表示部３４の表示画面３４Ｇに表示し、キー操作部４１を通じての情報入力を受け付ける。
【０３０３】
図４２Ａに示した個人プロフィール情報の入力画面は、使用者の名前、性別、年齢、身長、体重の各入力欄を備え、これらの各入力欄に対して、キー操作部４１を通じて情報の入力を行うようにすることができる。そして、名前、性別、年齢、身長、体重のそれぞれを入力し終えると、制御部１０は、表示回路３３を制御し、図４２Ｂに示すように、受け付けた情報をも含めた確認画面を表示し、入力情報が間違っていないか否かの確認入力を受け付ける「はい」アイコン、「いいえ」アイコンを表示画面３４Ｇの下側に表示し、確認入力を求める。
【０３０４】
なお、図４２Ｂに示す確認画面の場合には、入力された情報に加えて、肥満度を測定する指数であって、体重÷身長の２乗で求められる体容積指数（ＢＭＩ：Body Mass Index）や肥満度などの値も制御部１０において求め、表示するようにしている。
【０３０５】
そして、図４２Ｂに示した確認画面において、「はい」アイコンが選択された場合には、入力された情報が個人プロフィール情報として、音響再生装置に取得され、ＲＡＭ１３などの予め決められたメモリーに一時記憶される。また、「いいえ」アイコンが選択された場合には、制御部１０は、表示回路３３を制御し、図４２Ａに示した入力画面を再度表示し、入力情報の変更や修正を受け付けることができるようにされる。
【０３０６】
［再生楽曲リストの利用モードの入力画面］
図４３は、図４０に示したステップＳ６０２において用いられる再生楽曲リストの利用モードの入力画面と確認画面との一例を説明するための図である。図４０に示したステップＳ６０２においては、制御部１０は、図４３Ａに示すように、個人プロフィール情報等に応じて再生楽曲リストを自動生成するモードを選択するための「プロフィール等から」という表示と、目標運動量に応じて再生楽曲リストを自動生成するモードを選択するための「目標運動量から」という表示とがなされ、キー操作部４１を通じてカーソルを移動させ、いずれか一方にカーソルを位置付けて所定の確定操作を行うことによって、いずれか一方のモードを用いるモードとして選択することができるようにしている。
【０３０７】
そして、「プロフィール等から」という表示と「目標運動量から」という表示とのうちの一方を選択すると、図４３Ｂに示すように、確認画面に遷移し、「はい」アイコン、「いいえ」アイコンを表示画面３４Ｇの下側に表示し、選択したモードで間違いないか否かの確認入力を求める。
【０３０８】
そして、図４３Ｂに示した確認画面において、「はい」アイコンが選択された場合には、選択された再生楽曲リストの利用モードが決定される。また、「いいえ」アイコンが選択された場合には、制御部１０は、表示回路３３を制御し、図４３Ａに示した入力画面を再度表示し、再生楽曲リストの利用モードの選択を行うことができるようにしている。
【０３０９】
［運動情報の入力画面］
図４４、図４５は、図４０に示したステップＳ６０６において用いられる運動情報の入力画面と確認画面との一例を説明するための図である。そして、図４４が、再生楽曲リストの利用モードとして、個人プロフィール情報等に応じて再生楽曲リストを自動生成するモードが選択された場合の運動情報の入力画面であり、図４５が、再生楽曲リストの利用モードとして、目標運動量に応じて再生楽曲リストを自動生成するモードが選択された場合の運動情報の入力画面である。
【０３１０】
まず、図４４に示した、再生楽曲リストの利用モードとして、個人プロフィール情報等に応じて再生楽曲リストを自動生成するモードが選択された場合の運動情報の入力画面について説明する。この場合、図４０に示したステップＳ６０６においては、図４４Ａに示す運動情報の入力画面が表示部３４の表示画面３４Ｇに表示される。そして、図４４Ａに示す運動情報の入力画面は、行う運動の種類、運動モード、平均速度、運動時間ついての各入力欄が設けられたものである。
【０３１１】
ここで行う運動の種類は、上述もしたように、ウォーキング、ジョギング、ランニング、ダッシュ、ブラブラ歩きなどのこれから行おうとする運動の種類を示すものである。運動モードは、上述もしたように、ヒルモード、コンスタントモード、ランダムモード、複合モード、あるいは、これらの各モードを組み合わせたモードなど予め利用することができるようにされた運動のモードを示すものである。
【０３１２】
また、平均速度は、これから行おうとする運動におけるおおよその移動速度を示すものであり、例えば、ウォーキングの場合には、時速４ｋｍ（４ｋｍ／ｈ）程度、ジョギングの場合は、時速１０ｋｍ（１０ｋｍ／ｈ）、ランニングの場合には、時速２０ｋｍ（２０ｋｍ／ｈ）程度のように入力することができる。また、時間は、目的とする運動を継続して行おうとする時間であり、ジョギングななどの運動を３０分行いたい場合には、３０分と入力することになる。
【０３１３】
そして、図４４Ａに示した入力画面において各入力項目を入力し終えると、制御部１０の制御に応じて、図４４Ｂに示す確認画面に遷移し、「はい」アイコン、「いいえ」アイコンを表示画面３４Ｇの下側に表示し、入力内容が間違いないか否かの確認入力を求める。
【０３１４】
そして、図４４Ｂに示した確認画面において、「はい」アイコンが選択された場合には、入力された情報は例えばＲＡＭ１３に記憶保持される。また、「いいえ」アイコンが選択された場合には、制御部１０は、表示回路３３を制御し、図４４Ａに示した入力画面を再度表示し、運動情報の入力や修正を行うことができるようにしている。
【０３１５】
次に、図４５に示した、再生楽曲リストの利用モードとして、目標運動量に応じて再生楽曲リストを自動生成するモードが選択された場合の運動情報の入力画面について説明する。この場合、図４０に示したステップＳ６０６においては、図４５Ａに示す運動情報の入力画面が表示部３４の表示画面３４Ｇに表示される。そして、図４５Ａに示す運動情報の入力画面は、行う運動の種類、運動モード、平均速度、目標運動量についての各入力欄が設けられたものである。
【０３１６】
ここで、運動の種類、運動モード、平均速度は、図４４を用いて説明したものと同様のものであるが、図４５Ａにおいては、目標運動量の入力欄が設けられている。ここで、目標運動量情報は、第１、第２の実施の形態の音響再生装置の場合と同様に、運動を行うことによって消費しようとするエネルギー量（ｋｃａｌ（キロカロリー））を入力することができるようにしている。
【０３１７】
そして、図４５Ａに示した入力画面において各入力項目を入力し終えると、制御部１０の制御に応じて、図４５Ｂに示す確認画面に遷移し、「はい」アイコン、「いいえ」アイコンを表示画面３４Ｇの下側に表示し、入力内容が間違いないか否かの確認入力を求める。
【０３１８】
そして、図４５Ｂに示した確認画面において、「はい」アイコンが選択された場合には、入力された情報は例えばＲＡＭ１３に記憶保持される。また、「いいえ」アイコンが選択された場合には、制御部１０は、表示回路３３を制御し、図４４５に示した入力画面を再度表示し、運動情報の入力や修正を行うことができるようにしている。
【０３１９】
なお、図４４Ａ、図４５Ａにおいて、各入力項目の入力は、その項目の入力欄にカーソルを位置付けることにより、プルアップメニューやプルダウンメニューを開き、そのメニュー内の情報を選択することにより入力することができるようにされる。もちろん、入力欄に対して、直接情報を入力するようにしてもよい。
【０３２０】
この他、例えば、運動の種類の入力欄にカーソルが位置付けられた場合に、図４６に示すような運動の種類の選択画面を表示し、この選択画面を通じて目的とする運動の種類の選択を受け付けたり、また、運動モードの入力欄にカーソルを位置付けると、図４７に示すような運動モードの選択画面を表示し、この選択画面を通じて運動モードの選択を受け付けたりすることもできる。図４６や図４７のような、所定の情報に専用の選択画面を用いることにより、操作が分かりやすく簡単にすることができ、操作性の向上に繋がる。
【０３２１】
［再生楽曲情報の表示］
図４８、図４９は、上述もしたが、図４０に示したステップＳ６０７において、制御部１０によって取得される再生楽曲情報の例を示す図である。そして、図４８が、再生楽曲リストの利用モードとして、個人プロフィール情報等に応じて再生楽曲リストを自動生成するモードが選択された場合に取得される再生楽曲情報の例であり、図４９が、再生楽曲リストの利用モードとして、目標運動量に応じて再生楽曲リストを自動生成するモードが選択された場合に取得される再生楽曲情報の例である。
【０３２２】
図４８、図４９を比較すると分かるように、目標運動量に応じて再生楽曲リストを自動生成するモードが選択された場合においては、目標運動量を消費カロリーによって把握するようにしているので、各音楽データ毎に、その音楽データの再生音声に合わせて運動を行った場合の消費カロリーを示す情報が付加された構成となっている。
【０３２３】
そして、図４８、図４９に示すように、利用可能な音楽データの一覧リストである再生楽曲情報を取得しておくことにより、上述もしたように、この再生楽曲情報から、例えば、各運動モードに応じた再生楽曲リストを自動生成するなどのことが比較的簡単にできるようにされる。
【０３２４】
［再生楽曲リストの選択画面１］
図５０は、再生楽曲リストの利用モードとして、個人プロフィール情報等に応じて再生楽曲リストを自動生成するモードが選択された場合において、図４０に示したステップＳ６０８において提示される自動生成された再生楽曲リストの表示画面について説明するための図である。
【０３２５】
再生楽曲リストの利用モードとして、個人プロフィール情報等に応じて再生楽曲リストを自動生成するモードが選択された場合、図４０に示したステップＳ６０８においては、制御部１０は、まず、図５０Ａに示す再生楽曲リスト（図においてはプレイリストと記載。）の選択のための入力画面を、表示回路３３を通じて表示部３４の表示画面３４Ｇに表示する。図５０Ａに示すように、再生楽曲リストの選択のための入力画面においては、自動生成された再生可能な再生楽曲リストの個数を示すと共に、何番目の再生楽曲リストを表示するようにするかの選択入力欄が設けられ、キー操作部４１を通じて選択入力が受け付けられる。
【０３２６】
図５０Ａに示した入力画面において、表示する再生楽曲リストの選択入力を受け付けると、制御部１０は、表示回路３３を通じて、表示部３４の表示画面を、図５０Ｂに示す確認画面に遷移させる。図５０Ｂに示すように、確認画面においては、前段の入力画面（図５０Ａ）を通じて選択された再生楽曲リストの番号を示すと共に、確認入力を受け付けるための「はい」アイコン、「いいえ」アイコンを表示画面３４Ｇの下側に表示し、選択した再生楽曲リストの番号が間違いないか否かの確認入力を求める。
【０３２７】
そして、図５０Ｂに示した確認画面において、「はい」アイコンが選択された場合には、選択された再生楽曲リストを形成するための情報が、例えば、記録装置部５３から読み出され、これが表示回路３３に供給され、図５０Ｃに示すように、表示部３４の表示画面３４Ｇに選択された再生楽曲リストが表示される。この表示された再生楽曲リストを使用者が確認し、この再生楽曲リストを用いる場合には、確認キーを押下操作するなどの所定の操作を行うことにより、表示された再生楽曲リストを用いることを決定することができるようにされる。
【０３２８】
また、「いいえ」アイコンが選択された場合には、制御部１０は、表示回路３３を制御し、図５０Ａに示した入力画面を再度表示し、再生楽曲リストの再度の選択を行うことができるようにされる。
【０３２９】
［再生楽曲リストの選択画面２］
図５１は、再生楽曲リストの利用モードとして、個人プロフィール情報等に応じて再生楽曲リストを自動生成するモードが選択された場合において、図４０に示したステップＳ６０８において提示されるプリセットされた再生楽曲リストの表示画面について説明するための図である。
【０３３０】
再生楽曲リストの利用モードとして、個人プロフィール情報等に応じて再生楽曲リストを自動生成するモードが選択された場合において、既にプリセットされた再生楽曲リストが存在する場合には、図４０に示したステップＳ６０８においては、まず、図５１Ａに示すプリセットされた再生楽曲リスト（図においてはプレイリストと記載。）を使用するか否かの確認画面が表示回路３３を通じて表示部３４の表示画面３４Ｇに表示される。
【０３３１】
図５１Ａにおいては、プリセットされた再生楽曲リストを利用するか否かの確認入力を受け付けるための「はい」アイコン、「いいえ」アイコンが表示画面３４Ｇの下側に表示され、キー操作部４１を通じて、プリセットされた再生楽曲リストを利用するか否かの確認入力が受け付けられる。
【０３３２】
そして、図５１Ａに示した確認画面において、「はい」アイコンが選択された場合には、図５１Ｂに示すようにプリセットされた再生楽曲リストを形成するための情報が、例えば、記録装置部５３から読み出され、これが表示回路３３に供給され、表示部３４の表示画面３４Ｇにプリセットされた再生楽曲リストが表示される。この表示された再生楽曲リストを使用者が確認し、この再生楽曲リストを用いる場合には、確認キーを押下操作するなどの所定の操作を行うことにより、表示された再生楽曲リストを用いることを決定することができるようにされる。
【０３３３】
また、図５１Ａに示した確認画面において、「いいえ」アイコンが選択された場合には、制御部１０は、表示回路３３を制御し、図５０Ａに示した自動生成された再生楽曲リストの選択を行うための入力画面に遷移し、自動生成された再生楽曲リストを利用することができるようにされる。
【０３３４】
なお、プリセットされた再生楽曲リストが複数存在する場合、例えば、第２の実施の形態において、図２７に示したように、ウォーキング３０分用の再生楽曲リストやジョギング３０分用の再生楽曲リストなどのように、複数のプリセットされた再生楽曲リストが存在する場合には、図５０を用いて説明したように、自動設定された複数の再生楽曲リストが存在する場合と同様に、プリセットされた再生楽曲リストの総数を通知して、どの再生楽曲リストを使用するかの選択入力を受け付け（図５０Ａ）、選択された再生楽曲リストの番号の確認入力を求め（図５０Ｂ）、確認された場合に選択された、プリセットされた再生楽曲リストを表示して（図５０Ｃ）、確定するようにすればよい。
【０３３５】
［再生楽曲リストの表示例］
図５２〜図５４は、再生楽曲リストの表示例を説明するための図である。ここでは、自動生成された再生楽曲リストの表示例についてまとめて説明する。上述もしたように、この第３の実施の形態の音響再生装置においても、ヒルモード、コンスタントモード、ランダムモード、複合モードの４つの運動モードを用いることができる。そして、再生楽曲リストの利用モードとして、個人プロフィール情報等に応じて再生楽曲リストを自動生成するモードが選択された場合においては、上述した４つの運動モード毎に再生楽曲リストを自動生成することができるようにされる。
【０３３６】
そして、図５０を用いて説明したように、図４０のステップＳ６０８においては、これら自動生成した４つの再生楽曲リストのそれぞれを使用者の選択に応じて、表示することができる。例えば、ヒルモードで生成された再生楽曲リストが選択された場合には、図５０Ｃにも示し、また、図５２にも示すように、運動モードの特徴を示す波形図形と、再生する音楽データのタイトル、長さ（再生時間）、曲テンポ、再生回数からなる再生楽曲リストの内容が表示される。なお、図５２において、楽曲リストの内容は、図２４Ａに示した再生楽曲リスト１と同様の内容を表示している場合を示している。
【０３３７】
また、コンスタントモードで生成された再生楽曲リストが選択された場合には、図５３にも示すように、運動モードの特徴を示す波形図形と、再生楽曲リストの内容とが表示される。この場合、図５３において、楽曲リストの内容は、図２５Ａに示した再生楽曲リスト１と同様の内容を表示している場合を示している。
【０３３８】
また、ランダムモードで生成された再生楽曲リストが選択された場合には、図５４に示すように、運動モードの特徴を示す波形図形と、再生楽曲リストの内容が表示される。この場合、図５４において、楽曲リストの内容は、図２６Ａに示した再生楽曲リスト１と同様の内容を表示している場合を示している。
【０３３９】
また、複合モードで生成された再生楽曲リストが選択された場合には、図５５にも示すように、運動モードの特徴を示す波形図形と、再生楽曲リストの内容が表示される。この場合、図５４において、楽曲リストの内容は、曲Ｃを５回→曲Ｅを５回→曲Ｆを５回の順に音楽データを再生することを指示するものである。
【０３４０】
［再生楽曲リストの修正画面１］
図５６は、再生楽曲リストの利用モードとして、個人プロフィール情報等に応じて再生楽曲リストを自動生成するモードが選択された場合において、図４０に示したステップＳ６０９において用いることが可能な、選択された再生楽曲リスト（プレイリスト）の修正を行う場合の表示画面について説明するための図である。
【０３４１】
再生楽曲リストの利用モードとして、個人プロフィール情報等に応じて再生楽曲リストを自動生成するモードが選択された場合であって、図４０に示したステップＳ６０８において、図５０、図５１を用いて説明したように、用いようとする再生楽曲リスト（プレイリスト）選択して決定すると、図５６Ａに示すように、当該選択した再生楽曲リストの修正を行うか否かの選択入力を受け付ける入力画面が表示回路３３を通じて表示部３４の表示画面３４Ｇに表示される。
【０３４２】
図５６Ａに示す入力画面においては、選択した再生楽曲リストの修正を行うか否かの確認入力を受け付けるための「はい」アイコン、「いいえ」アイコンを表示画面３４Ｇの下側に表示し、これらを通じて選択した再生楽曲リストの修正を行うか否かの確認入力を受け付けることができるようにしている。
【０３４３】
そして、図５６Ａに示した入力画面において、「いいえ」アイコンが選択された場合には、修正を行うことなく、図４０に示したステップＳ６０９の処理は終了するようにされる。また、図５６Ａに示した入力画面において、「はい」アイコンが選択された場合には、選択された再生楽曲リストを形成するための情報が、例えば、記録装置部５３から読み出され、これが表示回路３３に供給され、図５６Ｂに示すように、表示部３４の表示画面３４Ｇに選択された再生楽曲リストが表示される。そして、表示された再生楽曲リストに対する修正入力が受け付けられる。
【０３４４】
図５６Ｂに示しように表示される選択された再生楽曲リストに対して、使用者は、キー操作部４１を通じて修正入力を行う。例えば、再生楽曲リストの３行目の曲Ｇを曲Ｉに修正しようとする場合には、使用者はキー操作部４１を通じてカーソルを表示された再生楽曲リストの３行目のタイトル欄に位置付け、曲Ｇを曲Ｉに修正する入力を行う。この場合、例えば、プルダウンメニューの形式で利用可能な楽曲の一覧リストを表示、そこから目的とする音楽データのタイトルを選択したり、あるいは、目的とする音楽データのタイトルを直接入力したりすることにより、再生する音楽データを変更するようにする。
【０３４５】
このように修正入力が行われると、制御部１０は、表示回路３３を制御して、図５６Ｃに示すように、修正入力に応じて修正された再生楽曲リストを表示部３４の表示画面３４Ｇに表示する。図５６Ｃにおいては、表示された再生楽曲リストの３行目が曲Ｇから曲Ｉに修正されている。この場合、タイトルが変更されると、長さ（再生時間）、曲テンポも変更後の音楽データに合致したものに自動的に修正される。
【０３４６】
同様にして、再生楽曲リストの再生回数についても修正を行うことができる。また、必要に応じて、再生楽曲リストの目的とする行を削除したり、また、再生楽曲リストの目的とする位置に行を追加したりすることも可能である。例えば、表示された再生楽曲リストの目的とする行を削除する場合には、その目的とする行にカーソルを位置付け、例えば、削除キーを押下操作するなどの行削除のための所定の操作を行うことにより、目的とする行の削除を行うことができる。また、表示された再生楽曲リストの目的とする位置に行を追加する場合には、行を挿入したい場所の直前の行にカーソルを位置付け、例えば、追加キーを押下操作するなどの行追加のための所定の操作を行うことにより、カーソルが位置付けられた行の直後に新たな行が設けられ、タイトルや再生回数の入力ができるようにされる。
【０３４７】
そして、制御部１０は、キー操作部４１を通じて修正入力が完了したことの所定の操作入力を受け付けると、表示回路を制御し、図５６Ｄに示す確認入力を受け付けるための確認画面を表示する。図５６Ｄに示す確認画面においては、修正内容が正しいか否かの確認入力を受け付けるための「はい」アイコン、「いいえ」アイコンを表示画面３４Ｇの下側に表示し、これらを通じて行った修正が間違えないか否かの確認入力を受け付けることができるようにしている。
【０３４８】
そして、図５６Ｄに示した入力画面において、「はい」アイコンが選択された場合には、修正内容は正しいと判断し、図４０に示したステップＳ６０９の処理は終了するようにされる。また、図５６に示した入力画面において、「いいえ」アイコンが選択された場合には、修正された内容は正しくないので、例えば、図５６Ｃの状態に戻り、再度の修正を行うことができるようにされる。
【０３４９】
［再生楽曲リストの選択画面３］
図５７は、再生楽曲リストの利用モードとして、目標運動量に応じて再生楽曲リストを自動生成するモードが選択された場合において、図４０に示したステップＳ６０８において提示される自動生成された再生楽曲リストの表示画面について説明するための図である。
【０３５０】
再生楽曲リストの利用モードとして、目標運動量に応じて再生楽曲リストを自動生成するモードが選択された場合、図４０に示したステップＳ６０８においては、まず、図５７Ａに示す再生楽曲リスト（図においてはプレイリストと記載。）の選択のための入力画面が表示回路３３を通じて表示部３４の表示画面３４Ｇに表示される。図５７Ａに示すように、再生楽曲リストの選択のための入力画面においては、自動生成された再生可能な再生楽曲リストの個数を示すと共に、何番目の再生楽曲リストを表示するようにするかの選択入力欄が設けられ、キー操作部４１を通じて選択入力を受け付ける。
【０３５１】
図５７Ａに示した入力画面において、表示する再生楽曲リストの選択入力を受け付けると、図５７Ｂに示す確認画面に遷移する。図５７Ｂに示すように、確認画面においては、前段の入力画面（図５７Ａ）を通じて選択された再生楽曲リストの番号を示すと共に、確認入力を受け付けるための「はい」アイコン、「いいえ」アイコンを表示画面３４Ｇの下側に表示し、選択した再生楽曲リストの番号が間違いないか否かの確認入力を求める。
【０３５２】
そして、図５７Ｂに示した確認画面において、「はい」アイコンが選択された場合には、選択された再生楽曲リストを形成するための情報が、例えば、記録装置部５３から読み出され、これが表示回路３３に供給され、図５７Ｃに示すように、表示部３４の表示画面３４Ｇに選択された再生楽曲リストが表示される。この場合、図５７Ｃにおいて、楽曲リストの内容は、図３２Ａに示した再生楽曲リスト１と同様の内容を表示している場合を示している。
【０３５３】
この図５７Ｃにおいて再生楽曲リストは、目標運動量が消費カロリーに換算して５００ｋｃａｌの場合であって、ヒルモードで運動を行うものとして自動生成されたものである、この他、例えば、第２の実施の形態において、図３３〜図３５に示したように自動生成される再生楽曲リストが存在し、そのそれぞれを選択して、図５７Ｃに示すように表示することもできるようにされる。
【０３５４】
また、「いいえ」アイコンが選択された場合には、制御部１０は、表示回路３３を制御し、図５７Ａに示した入力画面を再度表示し、再生楽曲リストの選択を行うことができるようにされる。
【０３５５】
［再生楽曲リストの選択画面４］
図５８は、再生楽曲リストの利用モードとして、目標運動量に応じて再生楽曲リストを自動生成するモードが選択された場合において、図４０に示したステップＳ６０８において提示されるプリセットされた再生楽曲リストの表示画面について説明するための図である。
【０３５６】
再生楽曲リストの利用モードとして、目標運動量に応じて再生楽曲リストを自動生成するモードが選択された場合において、既にプリセットされた再生楽曲リストが存在する場合には、図４０に示したステップＳ６０８においては、まず、図５８Ａに示すプリセットされた再生楽曲リスト（図においてはプレイリストと記載。）を使用するか否かの確認画面が表示回路３３を通じて表示部３４の表示画面３４Ｇに表示される。
【０３５７】
図５８Ａにおいては、プリセットされた再生楽曲リストを利用するか否かの確認入力を受け付けるための「はい」アイコン、「いいえ」アイコンを表示画面３４Ｇの下側に表示し、プリセットされた再生楽曲リストを利用するか否かの確認入力が受け付けられる。
【０３５８】
そして、図５８Ａに示した確認画面において、「はい」アイコンが選択された場合には、図５８Ｂに示すようにプリセットされた再生楽曲リストを形成するための情報が、例えば、記録装置部５３から読み出され、これが表示回路３３に供給され、表示部３４の表示画面３４Ｇにプリセットされた再生楽曲リストが表示される。この表示された再生楽曲リストを使用者が確認し、この再生楽曲リストを用いる場合には、確認キーを押下操作するなどの所定の操作を行うことにより、表示された再生楽曲リストを用いることを決定することができるようにされる。
【０３５９】
また、図５８Ａに示した確認画面において、「いいえ」アイコンが選択された場合には、制御部１０は、表示回路３３を制御し、図５８Ａに示した自動生成された再生楽曲リストの選択を行うための入力画面に遷移し、自動生成された再生楽曲リストを利用することができるようにされる。この場合、図５８Ｂにおいて、楽曲リストの内容は、図３６に示したプリセットされた再生楽曲リスト１と同様の内容を表示している場合を示している。
【０３６０】
なお、プリセットされた再生楽曲リストが複数存在する場合、図５７を用いて説明したように、自動設定された複数の再生楽曲リストが存在する場合と同様に、プリセットされた再生楽曲リストの総数を通知して、どの再生楽曲リストを使用するかの選択入力を受け付け（図５７Ａ）、選択された再生楽曲リストの番号の確認入力を求め（図５７Ｂ）、確認された場合に選択された、プリセットされた再生楽曲リストを表示して（図５７Ｃ）、確定するようにすればよい。
【０３６１】
［再生楽曲リストの修正画面２］
図５９は、再生楽曲リストの利用モードとして、個人プロフィール情報等に応じて再生楽曲リストを自動生成するモードが選択された場合において、図４０に示したステップＳ６０９において用いることが可能な、選択された再生楽曲リスト（プレイリスト）の修正を行う場合の表示画面について説明するための図である。
【０３６２】
再生楽曲リストの利用モードとして、目標運動量に応じて再生楽曲リストを自動生成するモードが選択された場合であって、図４０に示したステップＳ６０８において、図５７、図５８を用いて説明したように、用いようとする再生楽曲リスト（プレイリスト）選択して決定すると、図５９Ａに示すように、当該選択した再生楽曲リストの修正を行うか否かの選択入力を受け付ける入力画面が表示回路３３を通じて表示部３４の表示画面３４Ｇに表示される。
【０３６３】
図５９Ａに示す入力画面においては、選択した再生楽曲リストの修正を行うか否かの確認入力を受け付けるための「はい」アイコン、「いいえ」アイコンを表示画面３４Ｇの下側に表示し、これらを通じて選択した再生楽曲リストの修正を行うか否かの確認入力を受け付けることができるようにしている。
【０３６４】
そして、図５９Ａに示した入力画面において、「いいえ」アイコンが選択された場合には、修正を行うことなく、図４０に示したステップＳ６０９の処理は終了するようにされる。また、図５９Ａに示した入力画面において、「はい」アイコンが選択された場合には、選択された再生楽曲リストを形成するための情報が、例えば、記録装置部５３から読み出され、これが表示回路３３に供給され、図５９Ｂに示すように、表示部３４の表示画面３４Ｇに選択された再生楽曲リストが表示される。そして、表示された再生楽曲リストに対する修正入力が受け付けられる。
【０３６５】
図５９Ｂに示しように表示される選択された再生楽曲リストに対して、使用者は、キー操作部４１を通じて修正入力を行う。例えば、再生楽曲リストの３行目の曲Ｂを曲Ｈに修正しようとする場合には、使用者はキー操作部４１を通じてカーソルを表示された再生楽曲リストの３行目のタイトル欄に位置付け、曲Ｂを曲Ｈに修正する入力を行う。この場合、例えば、プルダウンメニューの形式で利用可能な楽曲の一覧リストを表示、そこから目的とする音楽データのタイトルを選択したり、あるいは、目的とする音楽データのタイトルを直接入力したりすることにより、再生する音楽データを変更するようにする。
【０３６６】
このように修正入力が行われると、制御部１０は、表示回路３３を制御して、図５９Ｃに示すように、修正入力に応じて修正された再生楽曲リストを表示部３４の表示画面３４Ｇに表示する。図５９Ｃにおいては、表示された再生楽曲リストの３行目が曲Ｂから曲Ｈに修正されている。この場合、タイトルが変更されると、長さ（再生時間）、曲テンポも変更後の音楽データに合致したものに自動的に修正される。
【０３６７】
同様にして、再生楽曲リストの再生回数についても修正を行うことができる。また、必要に応じて、再生楽曲リストの目的とする行を削除したり、また、再生楽曲リストの目的とする位置に行を追加したりすることができることは、図５６を用いて説明した場合と同様である。
【０３６８】
そして、制御部１０は、キー操作部４１を通じて修正入力が完了したことの所定の操作入力を受け付けると、表示回路を制御し、図５９Ｄに示す確認入力を受け付けるための確認画面を表示する。図５９Ｄに示す確認画面においては、修正内容が正しいか否かの確認入力を受け付けるための「はい」アイコン、「いいえ」アイコンを表示画面３４Ｇの下側に表示し、これらを通じて行った修正が間違えないか否かの確認入力を受け付けることができるようにしている。
【０３６９】
そして、図５９Ｄに示した入力画面において、「はい」アイコンが選択された場合には、修正内容は正しいと判断し、図４０に示したステップＳ６０９の処理は終了するようにされる。また、図５６Ｄに示した入力画面において、「いいえ」アイコンが選択された場合には、修正された内容は正しくないので、例えば、図５９Ｃの状態に戻り、再度の修正を行うことができるようにされる。
【０３７０】
このように、この第３の実施の形態の音響再生装置においては、種々の入力画面を用いて、比較的に簡単に種々の情報や指示を音響再生装置に対して入力し、目的とする処理を行うようにすることができる。
【０３７１】
また、この第３の実施の形態においては、音響再生装置は、種々の大きさのものとして実現でき、キー操作部の構成や情報の表示態様などのいわゆるユーザインターフェース部分についても様々な態様を取ることが可能であるが、情報を分かりや安く提示し、かつ、入力操作をできるだけ簡単なものとすることによって、使い勝手を向上させることができる。
【０３７２】
また、この第３の実施の形態の音響再生装置の場合にも、第１、第２の実施の形態の音響再生装置と同様に、運動を継続しておこなうことの動機付けを提供し、ある程度の時間継続して行う必要のある運動を無理なく継続させることができ、しかも楽しく運動を行うようにすることができる。また、再生履歴情報、個人プロフィール情報、運動量情報を、使用者個人専用として用いられる音響再生装置側で管理することができるので、使用者の個人情報を安全性高く管理することも可能である。
【０３７３】
また、この第３の実施の形態の音響再生装置もまた、記憶装置部５３を備えているため、上述もしたように、この記憶装置部５３に個人プロフィール情報、運動量情報、再生楽曲情報等を保存しておき、これを後で取り出して、種々の解析を行うようにすることもできる。
【０３７４】
また、目標とする消費エネルギーなどの情報を入力することにより、どのくらいの運動が必要であるかが、再生する音楽データの消費カロリーを基準として、再生する音楽データとその再生回数とによって示すことができるようにされる。この示された音楽データについて、示された通りに再生し、再生することにより得られる音楽に合わせてウォーキングやジョギングなどの運動を行うことにより、再生対象の音楽データの全てが示された回数分再生された場合には、使用者は目標とした消費カロリー分の運動が終了していることになる。すなわち、使用者は再生される音楽に合わせて運動することにより、無理なく、目標量の運動を行うことができるようにされる。
【０３７５】
なお、図４０、図４１のフローチャートを用いて説明した処理を実行するプログラムを作成し、これを種々の音響再生装置に搭載することによって、この発明の音響再生装置を比較的に簡単に実現することができる。
【０３７６】
また、上述した第３の実施の形態においては、第１〜第６の表示手段としての機能は、制御部１０と表示回路３３とが協働することにより実現し、また、第１〜第６の受付手段としての機能は、キー操作部４１が実現し、また、再生制御手段としての機能は、制御部１０と音声信号出力処理部３１とが協働することにより実現し、算出手段としての機能は、制御部１０が実現し、報知手段としての機能は、制御部１０と表示回路３３と表示部３４とが協働して実現するようにしている。また、第１、第２のリスト生成手段としての機能は、主に制御部１０が実現するようにしている。
【０３７７】
また、第３の実施の形態において、音響再生装置は１つの表示部３４を備えるものとして説明したが、これに限るものではない。表示する情報の内容等に応じて複数の表示部（表示素子）を設けるようにすることもできる。また。キー操作部４１は、ボタンキーやダイヤルが設けられたものに限るものではない。キー操作部は、例えば、マウスなどと呼ばれるポインティングデバイスや、表示素子の表示画面に貼付するようにされるタッチパネルなど、種々の入力デバイスを用いて、あるいは、複数の入力デバイスを有するものとして構成することができる。
【０３７８】
また、この第３の実施の形態においても、運動量情報や目標運動量情報は、消費カロリーの他、運動時間、運動強度、運動距離、脂肪燃焼量などであってももちろんよい。例えば、目標運動量情報として、運動時間を用いる場合、運動を継続したい時間（運動時間）を目標運動量情報として入力することにより、その入力された時間情報分の再生時間を有するように、音声データを選択することができる。脂肪燃焼量を目標運動量情報とした場合にも、入力された脂肪燃焼量を実現できるように、再生すべき音声データを選択し、決定することができるようにされる。
【０３７９】
また、再生すべき音楽データを選択して決定する場合、再生すべき音楽データの種類（ジャンル）、テンポ、組み合わせ、繰り返しの回数などを自動的に決定することも可能である。例えば、音楽データの特性情報にジャンルを示す情報を付加しておくことにより、目標運動量に応じて適したジャンルの音楽データを選択することが可能である。テンポ、組み合わせ、繰り返しの回数などについても、目標運動量に基づいて、自動的に決定することも可能である。
【０３８０】
また、図４８、図４９に示した再生楽曲情報において、例えば、行う運動ごとの消費エネルギーなどの運動の強度に関する情報を持つことにより、行う運動毎に詳細な処理が可能となる。行う運動としては、ウォーキング、ジョギング、ランニング、縄跳びなどの種目の別や、運動の速度などに応じて、運動強度を定めておくことが可能である。
【０３８１】
また、上述もしたように、再生可能な楽曲データは、例えば、ＣＤ（Compact Disc）やＭＤ（Mini Disc（登録商標））、カードメモリーなどの記録媒体に記録された状態で提供を受け、これを音楽情報記憶装置部２１に装填し、読み出して再生することが可能である。また、通信Ｉ／Ｆ６１や送受信回路６２などを通じて、通信によりネットワーク上のサーバーや無線ＬＡＮ経由で取得し、音楽情報記録装置部２１の記録媒体に記録して再生するようにすることも可能である。また、外部端子５１に接続される外部機器からの音楽データを直接に再生するようにしたり、一度、音楽情報記録装置部２１の記録媒体に記録して再生したりするようにすることも可能である。
【０３８２】
また、上述もしたように、再生可能な音楽データの再生時間、テンポ、運動強度に応じた消費カロリーなどの音楽データに対する特性情報は、音楽データと共に記録媒体に記録されて提供されたり、あるいは、音楽データと共に、または、音楽データとは別に、インターネットなどの広域ネットワークや無線ＬＡＮ経由で、あるいは、外部端子５１に接続された外部機器から提供を受けたりすることができる。また、音楽データとこれに対応する特性情報とは、例えば、音楽データの識別情報（識別ＩＤ）によって対応付けられていれば、別々に取得することが可能である。
【０３８３】
なお、上述した第３の実施の形態の音響再生装置は、携帯用の音楽再生機器であるものとして説明したが、具体的には、ハードディスクプレーヤ、ＭＤ（登録商標）プレーヤ、携帯電話などの種々に適用可能である。また、この発明は携帯用の機器として実現することに適したものであるが、小型化が可能である点にかんがみ、例えば、種々のフィットネスマシンに搭載するなどして、据え置き型の形態で利用できるようにすることも可能である。
【０３８４】
［運動モードの修正入力について］
上述した実施の形態においては、予め決められたパターンで負荷がかかる運動を行うようにするための運動モードとして、ヒルモード、コンスタントモード、ランダムモード、複合モードなどの運動モードを用いることができることについて説明した。これらの各運動モードについては、その負荷のパターン（運動パターン）は予め決められているが、これを修正することも可能できるようにされている。
【０３８５】
図６０、図６１は、運動モードのパターン修正について説明するための図である。まず、ヒルモードの運動パターンを修正する場合を考える。この場合、ヒルモードのパターンを表示部３４の表示画面３４Ｇに表示する所定の操作を行うと、制御部１０により表示回路３３が制御され、図６０Ａに示すように、ヒルモードについての現在の運動パターン波形と、カーソルＣＳとが表示画面３４Ｇに表示される。
【０３８６】
そして、負荷を大きくした場合には、図６０Ｂに示すように、カーソルを運動パターン波形の頂点に位置付け、カーソルＣＳを上側に移動させることにより、ヒルモードについての運動パターン波形を変形し、全体的に負荷が大きくなるように修正することができる。また、負荷を大きくすると共に、ピーク位置を変更したい場合には、図６０Ｃに示すように、カーソルを運動パターン波形の頂点に位置付け、カーソルＣＳを上側に移動させると共に、右側にも移動させることにより、ヒルモードについての運動パターン波形を変形し、全体的に負荷を大きくするとともに、ピーク位置を移動させるように修正することができる。
【０３８７】
また、ランダムモードについてもヒルモードの場合と同様にして、負荷を大きくしたり、ピーク位置を移動したりすることができる。もちろん、ヒルモード、ランダムモードのいずれにおいても、負荷を小さくするように修正することもできる。
【０３８８】
次に、複合モードの運動パターンを修正する場合を考える。この場合、複合モードのパターンを表示部３４の表示画面３４Ｇに表示する所定の操作を行うと、制御部１０により表示回路３３が制御され、図６１Ａに示すように、複合モードについての現在の運動パターン波形と、カーソルＣＳとが表示画面３４Ｇに表示される。
【０３８９】
そして、最初の軽い運動期間を長くしたい場合には、図６１Ｂに示すように、カーソルを運動パターン波形の最初の軽い負荷の運動期間の終点部分に位置付け、カーソルＣＳを右側に移動させることにより、複合モードについての運動パターン波形を変形し、最初の軽い負荷の運動期間を長くすることができる。この場合、図６１Ｂに示すように、最初の軽い負荷の運動期間を長くすることにより、次の重い負荷の運動期間を短くするようにすることもできるし、また、図６１Ｃに示すように、最初の軽い負荷の運動期間に続く重い負荷の運動期間と、クールダウン期間とを長さを変えずにスライドさせるようにすることもできる。この場合、いずれの変形を行うかは、音響再生装置の製造者側で決めておいてもよいし、使用者が選択できるようにしておいてもよい。
【０３９０】
また、最初の軽い負荷の運動期間と、重い負荷の運動期間と、クールダウン期間とのいずれかにカーソルＣＳを位置付け、カーソルを上側に移動すればその期間の負荷を大きくし、下側に移動すればその期間の負荷を小さくすることも可能である。このような運動負荷の修正（調整）は、コンスタントモードの場合にも同様にして行うことが可能である。
【０３９１】
また、上述した第１〜第３の実施の形態においては、使用者が行う運動は、ブラブラ歩き、ウォーキング、ジョギング、ランニング、ダッシュなどの一連の歩行運動を行うものとして説明した。この場合、（１）ブラブラ歩き、（２）ウォーキング、（３）ジョギング、（４）ランニング、（５）ダッシュは、この（１）〜（５）の順番に運動速度（移動速度）が速くなり、運動を行う人にかかる負荷が大きくなることを意味している。しかし、これらの運動における運動速度（移動速度）には個人差があるために、一概に速度を数値化して規定することはできず、各運動の速度に応じた区間は、前後の異なる運動の速度に応じた区間と重なり合う場合もあるものである。
【０３９２】
また、（１）ブラブラ歩き、（２）ウォーキング、（３）ジョギング、（４）ランニング、（５）ダッシュという区別は、物理的に移動する場合だけでなく、室内において用いられるいわゆるルームランナーや自転車型トレーニングマシンなど用いて室内などにおいて運動を行う場合においても、その強度に応じて運動の種類を指定する場合に用いることも可能である。
【０３９３】
例えば、自転車型トレーニングマシンを使って運動をする場合、ごくゆっくりとペダルをこぐ場合は（１）ブラブラ歩きとし、ウォーキング程度の負荷がかかるようにペダルをこぐ場合は（２）ウォーキングとし、適度な有酸素運動となるジョギング程度の負荷がかかるようにペダルをこぐ場合は（３）ジョギングとし、より大きく負荷をかけてペダルをこぐようにする場合を、（４）ランニング、あるいは、（５）ダッシュというように分類することにより、使用者が行う運動の種目が異なっても、その負荷や運動テンポにしたがって、（１）ブラブラ歩き、（２）ウォーキング、（３）ジョギング、（４）ランニング、（５）ダッシュという区分けで、使用者が行う運動を管理することができる。
【０３９４】
したがって、音響再生装置などのこの発明が適用される機器においては、運動の強度を（１）ブラブラ歩き、（２）ウォーキング、（３）ジョギング、（４）ランニング、（５）ダッシュという区分けで管理し、使用者が目的に応じた運動を無理なく、継続しておこなうことができるように、音楽などの音声データを再生して使用者に提供し、種々の運動を行う使用者の補助となることができる。
【０３９５】
［その他］
また、第２の実施の形態の図２２のフローチャートに示した処理、及び、第３の実施の形態の図４０、図４１に示した処理においては、運動の種類（種別）の入力をも行うようにしたが、これに限るものではない。ＭＥＴＳ値を用いた消費エネルギーの算出を行わない場合には、ＭＥＴＳ値は必要なないので、これを算出するために用いられる運動の種類を示す情報も必要ない。
【０３９６】
また、上述した第１、第２、第３の実施の形態においては、運動の種類の入力を受け付けるようにしたが、これに限るものではない。例えば、音響再生装置などのこの発明が適用された装置において、使用者が行うべき運動を自動選択したり、予め設定しておくようにしたりすることももちろん可能である。
【０３９７】
また、上述した第２、第３の実施の形態の音響再生装置においても、第１の実施の形態の音響再生装置のように、再生楽曲情報から再生する楽曲を選択して再生楽曲リストを形成するモードを設けておくことにより、自動生成した再生楽曲リストや予め用意された再生楽曲リストから１つの再生楽曲リストを選択して利用するだけでなく、その場において、再生楽曲リストを新規に作成してこれを利用するようにすることもできる。また、このようにして新規に作成した再生楽曲リストを登録し、次回からは予め容易された再生楽曲リストの１つとして用いるようにすることもできる。
【０３９８】
また、上述した第２、第３の実施の形態の音響再生装置においても、第１の実施の形態において、図１５を用いて説明したように、再生音声のテンポの変更を行うようにすることも可能である。
【図面の簡単な説明】
【０３９９】
【図１】この発明による装置、方法の一実施の形態が適用された音響再生装置を説明するためのブロック図である。
【図２】図１に示した音響再生装置を使用して運動をした際に、再生した音楽データの特性情報に基づいて、運動量を求める場合の処理を説明するためのフローチャートである。
【図３】再生可能な音楽データの一覧リストの一例を説明するための図である。
【図４】再生対象の音楽データの一覧表である再生楽曲リストの一例を説明するための図である。
【図５】運動量情報の表示画面の一例を説明するための図である。
【図６】歩行距離の算出について説明するための図である。
【図７】運動時の移動の平均速度の算出を説明するための図である。
【図８】１分間当たりの消費エネルギーを用いて消費エネルギーを求める場合について説明するための図である。
【図９】運動ごとに定められる運動強度を示す値であるＭＥＴＳ値を用いて消費エネルギーを求める場合について説明するための図である。
【図１０】脂肪燃焼量を求める場合について説明するための図である。
【図１１】ＭＥＴＳ値について説明するための図である。
【図１２】ＭＥＴＳ値について説明するための図である。
【図１３】消費カロリーを求める場合の具体例を説明するための図である。
【図１４】消費カロリーを求める場合の具体例を説明するための図である。
【図１５】予め設定するようにした運動量から再生する音楽データを生成して再生する処理について説明するためのフローチャートである。
【図１６】運動量情報の表示画面の一例を説明するための図である。
【図１７】予め設定した運動量から再生する音声データを選択し決定し再生する場合の処理を説明するためのフローチャートである。
【図１８】再生可能な音楽データの一覧リストの一例を説明するための図である。
【図１９】再生対象の音楽データの一覧表である再生楽曲リストの一例を説明するための図である。
【図２０】運動量情報の表示画面の一例を説明するための図である。
【図２１】履歴情報の解析結果の一例を説明するための図である。
【図２２】再生した音楽データの特性情報に基づいて、運動量を求める場合の処理の他の例を説明するためのフローチャートである。
【図２３】再生対象の音楽データの一覧表である再生楽曲リストの一例を説明するための図である。
【図２４】自動生成された再生楽曲リスト（ヒルモード）を説明するための図である。
【図２５】自動生成された再生楽曲リスト（コンスタントモード）を説明するための図である。
【図２６】自動生成された再生楽曲リスト（ランダムモード）を説明するための図である。
【図２７】プリセットされた再生楽曲リストを説明するための図である。
【図２８】再生楽曲候補リストの一例について説明するための図である。
【図２９】再生楽曲リストの内容の修正について説明するための図である。
【図３０】予め設定した運動量から再生する音声データを選択し決定し再生する場合の処理の他の例を説明するためのフローチャートである。
【図３１】再生対象の音楽データの一覧表である再生楽曲リストの一例を説明するための図である。
【図３２】自動生成された再生楽曲リスト（ヒルモード）を説明するための図である。
【図３３】自動生成された再生楽曲リスト（コンスタントモード）を説明するための図である。
【図３４】自動生成された再生楽曲リスト（ランダムモード）を説明するための図である。
【図３５】自動生成された再生楽曲リスト（複合モード）を説明するための図である。
【図３６】プリセットされた再生楽曲リストを説明するための図である。
【図３７】再生楽曲リストの内容の修正について説明するための図である。
【図３８】算出した運動量の表示例を説明するための図である。
【図３９】音響再生装置が取り得る代表的な外観の例を説明するための図である。
【図４０】再生した音楽データの特性情報に基づいて、運動量を求める場合の処理の他の例を説明するためのフローチャートである。
【図４１】図４０に続くフローチャートである。
【図４２】個人プロフィール情報の入力画面と確認画面との一例を説明するための図である。
【図４３】再生楽曲リストの利用モードの入力画面と確認画面との一例を説明するための図である。
【図４４】運動情報の入力画面と確認画面との一例を説明するための図である。
【図４５】運動情報の入力画面と確認画面との一例を説明するための図である。
【図４６】運動の種類の選択画面の一例を説明するための図である。
【図４７】運動モードの選択画面の一例を説明するための図である。
【図４８】再生楽曲情報の例を示す図である。
【図４９】再生楽曲情報の例を示す図である。
【図５０】自動生成された再生楽曲リストの表示画面の一例について説明するための図である。
【図５１】プリセットされた再生楽曲リストの表示画面の一例について説明するための図である。
【図５２】再生楽曲リスト（ヒルモード）の表示例を説明するための図である。
【図５３】再生楽曲リスト（コンスタントモード）の表示例を説明するための図である。
【図５４】再生楽曲リスト（ランダムモード）の表示例を説明するための図である。
【図５５】再生楽曲リスト（複合モード）の表示例を説明するための図である。
【図５６】選択された再生楽曲リストの修正を行う場合の表示画面の一例について説明するための図である。
【図５７】自動生成された再生楽曲リストの表示画面について説明するための図である。
【図５８】プリセットされた再生楽曲リストの表示画面の一例について説明するための図である。
【図５９】選択された再生楽曲リストの修正を行う場合の表示画面の一例について説明するための図である。
【図６０】運動モード（ヒルモード）のパターン修正について説明するための図である。
【図６１】運動モード（複合モード）のパターン修正について説明するための図である。
【符号の説明】
【０４００】
１０…制御部、１１…ＣＰＵ、１２…ＲＯＭ、１３…ＲＡＭ、１４…ＣＰＵバス、２１…音楽情報記憶装置部、２２…音楽再生データ生成装置部、２３…運動情報解析回路、２４…運動情報センサ、３１…音声信号出力処理部、３２…スピーカ、３３…表示回路、３４…表示部、４１…キー操作部、４２…マイクロホン、４３…音声信号入力処理部、５１…外部端子、５１…Ｉ／Ｆ（インターフェース）、５３…記憶装置部、６１…通信Ｉ／Ｆ、６２…送受信回路、６３…送受信アンテナ
【図１】
2006239398.tif 000003
【図２】
2006239398.tif 000004
【図３】
2006239398.tif 000005
【図４】
2006239398.tif 000006
【図５】
2006239398.tif 000007
【図６】
2006239398.tif 000008
【図７】
2006239398.tif 000009
【図８】
2006239398.tif 000010
【図９】
2006239398.tif 000011
【図１０】
2006239398.tif 000012
【図１１】
2006239398.tif 000013
【図１２】
2006239398.tif 000014
【図１３】
2006239398.tif 000015
【図１４】
2006239398.tif 000016
【図１５】
2006239398.tif 000017
【図１６】
2006239398.tif 000018
【図１７】
2006239398.tif 000019
【図１８】
2006239398.tif 000020
【図１９】
2006239398.tif 000021
【図２０】
2006239398.tif 000022
【図２１】
2006239398.tif 000023
【図２２】
2006239398.tif 000024
【図２３】
2006239398.tif 000025
【図２４】
2006239398.tif 000026
【図２５】
2006239398.tif 000027
【図２６】
2006239398.tif 000028
【図２７】
2006239398.tif 000029
【図２８】
2006239398.tif 000030
【図２９】
2006239398.tif 000031
【図３０】
2006239398.tif 000032
【図３１】
2006239398.tif 000033
【図３２】
2006239398.tif 000034
【図３３】
2006239398.tif 000035
【図３４】
2006239398.tif 000036
【図３５】
2006239398.tif 000037
【図３６】
2006239398.tif 000038
【図３７】
2006239398.tif 000039
【図３８】
2006239398.tif 000040
【図３９】
2006239398.tif 000041
【図４０】
2006239398.tif 000042
【図４１】
2006239398.tif 000043
【図４２】
2006239398.tif 000044
【図４３】
2006239398.tif 000045
【図４４】
2006239398.tif 000046
【図４５】
2006239398.tif 000047
【図４６】
2006239398.tif 000048
【図４７】
2006239398.tif 000049
【図４８】
2006239398.tif 000050
【図４９】
2006239398.tif 000051
【図５０】
2006239398.tif 000052
【図５１】
2006239398.tif 000053
【図５２】
2006239398.tif 000054
【図５３】
2006239398.tif 000055
【図５４】
2006239398.tif 000056
【図５５】
2006239398.tif 000057
【図５６】
2006239398.tif 000058
【図５７】
2006239398.tif 000059
【図５８】
2006239398.tif 000060
【図５９】
2006239398.tif 000061
【図６０】
2006239398.tif 000062
【図６１】
2006239398.tif 000063